(57)【要約】      （修正有）【課題】複数のアンテナを用いて送信及び／または受信ダイバーシティを実現する。【解決手段】無線端末内の単一送信機チェーンは時間と共に複数の送信アンテナ３１２に結合される。制御可能な切り換えモジュール３１０はその時々で単一送信機チェーンを複数の送信アンテナの１つに結合する。時間が経てば、切り換えモジュールは単一送信機チェーンからの出力信号を異なる送信アンテナに結合する。切り換え決定は、所定の情報、ドウェル情報及び／またはチャネル状態フィードバック情報に基づく。切り換えは、いくつかのドウェル及び／またはチャネル推定境界上で行われる。いくつかのＯＦＤＭ実施形態では、複数の送信機チェーンの各々はそれぞれ異なる送信アンテナに結合される。送信される情報は複数のトーンにマッピングされる。【選択図】図３
2011101389.tif 000002
【特許請求の範囲】
【請求項１】
基地局と通信するために無線端末を動作する方法であって、前記無線端末が、ドウェル境界切り換えモジュールを含む単一送信機信号処理チェーンを含み、前記ドウェル境界切り換えモジュールが前記単一送信機チェーンを複数のアンテナ素子につなげ、前記ドウェル境界切り換えモジュールが、ドウェル境界間ではなくドウェル境界上で切り換え、前記複数のアンテナ素子が少なくとも第１アンテナ素子及び第２アンテナ素子を含み、これらの各々を独立して用いることができ、前記方法が、
第１期間中に生じる少なくともいくつかのドウェル境界で前記第１及び第２アンテナ素子間を切り換えるため、前記第１期間中、前記ドウェル境界切り換えモジュールを動作し、これにより、前記単一送信機信号処理チェーンから信号を送信するのに用いられているアンテナ素子を変更するステップを含み、１ドウェルが前記第１期間内の第２期間であり、この間、前記無線端末が単一のトーンセットを用いて信号を前記基地局へ送信し、異なるトーンセットが、前記第１期間中、直後に連続するドウェルに用いられる方法。
【請求項２】
前記ドウェル境界切り換えモジュールが、所定の切り換えシーケンスに従って前記第１及び第２アンテナ素子間を切り換える、請求項１に記載の方法。
【請求項３】
前記切り換えシーケンスが周期的である、請求項２に記載の方法。
【請求項４】
前記周期的切り換えシーケンスがアンテナ素子間を一定の間隔で切り換え、これにより、アンテナ素子の一様な使用を生じさせる、請求項３に記載の方法。
【請求項５】
前記ドウェル境界切り換えモジュールが、チャネル品質を表す前記基地局からの信号に応じて前記第１及び第２アンテナ素子間を切り換える、請求項１に記載の方法。
【請求項６】
チャネル品質を表す前記信号が送信電力制御信号である、請求項５に記載の方法。
【請求項７】
チャネル品質を表す前記信号が、送信信号を受信する際に成功または失敗を知らせる送信確認応答信号である、請求項５に記載の方法。
【請求項８】
前記基地局から受信された複数の信号に応じて前記切り換えを実行し、前記方法が、
異なるアンテナ素子を用いて前記無線端末から送信された信号に対応して前記基地局から受信された信号の異なる切り換え制御情報セットを維持するステップを有する、請求項５に記載の方法。
【請求項９】
各ドウェルが複数のＯＦＤＭシンボル送信期間を含み、各ドウェル中、前記無線端末により用いられるトーンをトーンホッピングシーケンスに従って決定する、請求項８に記載の方法。
【請求項１０】
前記複数のアンテナ素子の各々が異なる方向に定められている、請求項１に記載の方法。
【請求項１１】
異なる通信経路が前記第１及び第２アンテナ素子と前記基地局との間に存在するように前記複数のアンテナ素子の各々が離間されている、請求項１に記載の方法。
【請求項１２】
アンテナ素子間の間隔が、前記アンテナ素子から送信される最も低い周波数トーンの波長の少なくとも１／４である、請求項１１に記載の方法。
【請求項１３】
基地局を含む通信システムで用いる無線端末であって、前記無線端末が、
単一送信機チェーンを複数のアンテナ素子につなげるドウェル境界切り換えモジュールを含む単一送信機信号処理チェーンであって、前記ドウェル境界切り換えモジュールが、ドウェル境界間ではなくドウェル境界上で切り換え、前記複数のアンテナ素子が少なくとも第１アンテナ素子及び第２アンテナ素子を含み、これらの各々を独立して用いることができる前記単一送信機信号処理チェーンと、
第１期間中に生じる少なくともいくつかのドウェル境界で前記第１及び第２アンテナ素子間を切り換えるため、前記第１期間中、前記ドウェル境界切り換えモジュールを制御し、これにより、前記単一送信機信号処理チェーンから信号を送信するのに用いられているアンテナ素子を変更する手段であって、１ドウェルが前記第１期間内の第２期間であり、この間、前記無線端末が単一のトーンセットを用いて信号を前記基地局へ送信し、異なるトーンセットが、前記第１期間中、直後に連続するドウェルに用いられる手段とを有する無線端末。
【請求項１４】
前記ドウェル境界切り換えモジュールが、所定の切り換えシーケンスに従って前記第１及び第２アンテナ素子間を切り換える、請求項１３に記載の無線端末。
【請求項１５】
基地局と通信するために無線端末を動作する方法であって、前記無線端末が、単一の送信機処理チェーンを複数のアンテナ素子につなげるチャネル推定境界切り換えモジュールを含む前記送信機処理チェーンを含み、前記チャネル推定境界切り換えモジュールが、信号境界間ではなく、基地局チャネル推定信号境界に対応する信号境界上で切り換え、基地局チャネル推定切り換え境界は、前記基地局がチャネル推定間隔の間で移行する信号点であり、あるチャネル推定間隔内で基地局により実行されるチャネル推定が、直前のチャネル推定間隔内で実行されたチャネル推定から独立し、前記複数のアンテナ素子が少なくとも第１アンテナ素子及び第２アンテナ素子を含み、これらの各々を独立して用いることができ、前記方法が、
第１期間中に生じる少なくともいくつかのチャネル推定境界で前記第１及び第２アンテナ素子間を切り換えるため、前記第１期間中、前記チャネル推定境界切り換えモジュールを動作し、これにより、前記単一の送信機信号処理チェーンから信号を送信するのに用いられているアンテナ素子を変更するステップを有する方法。
【請求項１６】
前記チャネル推定境界切り換えモジュールが、所定の切り換えシーケンスに従って前記第１及び第２アンテナ素子間を切り換える、請求項１５に記載の方法。
【請求項１７】
前記切り換えシーケンスが周期的である、請求項１６に記載の方法。
【請求項１８】
前記周期的切り換えシーケンスがアンテナ素子間を一定の間隔で切り換え、これにより、アンテナ素子の一様な使用を生じさせる、請求項１７に記載の方法。
【請求項１９】
前記チャネル推定境界切り換えモジュールが、チャネル品質を表す前記基地局からの信号に応じて前記第１及び第２アンテナ素子間を切り換える、請求項１５に記載の方法。
【請求項２０】
チャネル品質を表す前記信号が送信電力制御信号である、請求項１９に記載の方法。
【請求項２１】
チャネル品質を表す前記信号が、送信信号を受信する際に成功または失敗を知らせる送信確認応答信号である、請求項１９に記載の方法。
【請求項２２】
前記基地局から受信された複数の信号に応じて前記切り換えを実行し、前記方法が、
異なるアンテナ素子を用いて前記無線端末から送信された信号に対応して前記基地局から受信された信号の異なる切り換え制御情報セットを維持するステップを有する、請求項１９に記載の方法。
【請求項２３】
各チャネル推定信号間隔が複数のＯＦＤＭシンボル送信期間を含み、各ドウェル中、前記無線端末により用いられるトーンをトーンホッピングシーケンスに従って決定する、請求項２２に記載の方法。
【請求項２４】
前記複数のアンテナ素子の各々が異なる方向に定められている、請求項１５に記載の方法。
【請求項２５】
異なる通信経路が前記第１及び第２アンテナ素子と前記基地局との間に存在するように前記複数のアンテナ素子の各々が離間されている、請求項１５に記載の方法。
【請求項２６】
アンテナ素子間の間隔が、前記アンテナ素子から送信される最も低い周波数トーンの波長の少なくとも１／４である、請求項２５に記載の方法。
【請求項２７】
前記送信機送信信号がＣＤＭＡ信号である、請求項１９に記載の方法。
【請求項２８】
基地局を含む通信システムで用いる無線端末であって、前記無線端末が、
単一の送信機処理チェーンを複数のアンテナ素子につなげるチャネル推定境界切り換えモジュールを含む前記送信機処理チェーンであって、前記チャネル推定境界切り換えモジュールが、信号境界間ではなく、基地局チャネル推定信号境界に対応する信号境界上で切り換え、基地局チャネル推定切り換え境界は、前記基地局がチャネル推定間隔の間で移行する信号点であり、あるチャネル推定間隔内で基地局により実行されるチャネル推定が、直前のチャネル推定間隔内で実行されたチャネル推定から独立し、前記複数のアンテナ素子が少なくとも第１アンテナ素子及び第２アンテナ素子を含み、これらの各々を独立して用いることができる単一の送信機処理チェーンと、
第１期間中に生じる少なくともいくつかのチャネル推定境界で前記第１及び第２アンテナ素子間を切り換えるため、前記第１期間中、前記チャネル推定境界切り換えモジュールを制御し、これにより、前記単一送信機信号処理チェーンから信号を送信するのに用いられているアンテナ素子を変更する手段とを有する無線端末。
【請求項２９】
前記チャネル推定境界切り換えモジュールが、所定の切り換えシーケンスに従って前記第１及び第２アンテナ素子間を切り換える、請求項２８に記載の無線端末。
【請求項３０】
ＯＦＤＭ通信装置を動作する方法であって、
ｉ）少なくとも第１及び第２トーンサブセットを含む複数の異なるトーンサブセットに第１トーンセットのトーンを割り当て、前記異なるトーンサブセットの各々が少なくとも１トーンだけ互いに異なるステップと、
ｉｉ）前記異なるトーンサブセットの各々を、同一の時間間隔中に、異なるアンテナ素子を用いて同時に送信するステップと
ｉｉｉ）ステップｉ）及びｉｉ）を繰り返すステップと
を有する方法。
【請求項３１】
前記第１及び第２トーンサブセットに割り当てられるトーンが互いに排他的である、請求項３０に記載の方法。
【請求項３２】
ステップｉ）及びｉｉ）を繰り返す際、前記第１及び第２トーンサブセットの少なくとも１つに割り当てられているトーンの数を変更するステップを更に有する、請求項３０に記載の方法。
【請求項３３】
ステップｉ）及びｉｉ）を繰り返すステップを周期的に実行し、トーンの割り当てが周期的に変化する、請求項３２に記載の方法。
【請求項３４】
前記方法が、前記第１及び第２アンテナ素子から送信された信号を受信する装置から、チャネル品質を表す信号を受信するステップを更に有し、
トーンサブセットへの前記トーンの割り当てを、チャネル品質を表す前記信号に応じて実行する、請求項３２に記載の方法。
【請求項３５】
チャネル品質を表す前記信号が送信電力制御信号である、請求項３４に記載の方法。
【請求項３６】
チャネル品質を表す前記信号が、送信信号を受信する際に成功または失敗を知らせる送信確認応答信号である、請求項３４に記載の方法。
【請求項３７】
前記トーンの割り当てを、前記装置から受信された複数の信号に応じて実行し、前記方法が、
異なるアンテナ素子を用いて前記通信装置から送信された信号に対応して前記基地局から受信された信号の、異なるトーン割り当て制御情報セットを維持するステップを含む、請求項３４に記載の方法。
【請求項３８】
複数のトーンを前記第１トーンサブセットに割り当て、ゼロトーンを前記第２トーンサブセットに割り当てる、請求項３０に記載の方法。
【請求項３９】
少なくとも第１及び第２トーンサブセットを含む複数の異なるトーンサブセットに第１トーンセットのトーンを割り当てる手段であって、前記異なるトーンサブセットの各々が少なくとも１トーンだけ互いに異なる手段と、
前記異なるトーンサブセットの各々を、同一の時間間隔中に、異なるアンテナ素子を用いて同時に送信する手段と、
前記割り当てる手段と、前記送信する手段とを制御して、割り当て動作及び送信動作を繰り返す制御手段と
を有するＯＦＤＭ通信装置。
【請求項４０】
前記第１及び第２トーンサブセットに割り当てられるトーンが互いに排他的である、請求項３９に記載の装置。
【発明の詳細な説明】
【技術分野】
【０００１】
本発明は、通信システムに関し、特に、無線通信システムにおいて複数のアンテナを用いて送信及び／または受信ダイバーシティを行う方法及び装置に関する。
【背景技術】
【０００２】
チャネルフェージングは、無線通信システムの遍在的且つ基本的な特性である。フェージングは無線チャネルのリンク信頼性を下げ、これによりシステム容量を減少させ、且つ／またはユーザのサービス経験を低下させる。ダイバーシティは、無線チャネルフェージングに効果的に対処する周知の原理である。ダイバーシティを達成する方法は、空間、角度、分極、周波数、時間及びマルチパスを利用することを含む。ダイバーシティを送信機及び／または受信機で達成することができる。
【０００３】
無線通信システムの送信機及び／または受信機で複数のアンテナを用いることにより実現できるダイバーシティの形態を検討する。これらはそれぞれ送信及び受信ダイバーシティのカテゴリの下で分類される。
【０００４】
図１には、複数のアンテナ（受信アンテナ１（１０２），受信アンテナＮ（１０２’））が設けられ、受信ダイバーシティを利用する従来技術の無線システム内の受信機１００の略図を示す。この受信機１００では、複数のアンテナ（１０２，１０２’）は、情報を運ぶ同一信号の複数のバージョンを受信する。任意の受信アンテナと関連する無線チャネルが、その他のアンテナにより体験されるチャネルに統計上実質的に独立していると仮定する。更には、受信アンテナの各々が同時にフェードされる確率は、任意の受信アンテナがフェードされる確率よりも著しく小さい。従って、結合信号がフェードされる可能性はかなり少なく、これによりリンク信頼性を改善する。実際には、受信ダイバーシティ利得は次の通りに実現される。まず、複数の受信アンテナ（１０２，１０２’）から送信された信号を、分離した受信チェーンで個々に処理し、受信チェーンの各々はそれぞれアナログ信号処理ブロック（１０４，１０４’）、アナログデジタル変換ブロック（１０６，１０６’）及びデジタル信号処理ブロック（１０８，１０８’）を代表的に含む。次に、処理した信号（１０９，１０９’）をコンバイナブロック１１０で合成する。コンバイナブロック１１０は、例えば選択合成法または最大比合成法を用いることができる。コンバイナ１１０は、更なる信号処理を受けることができる信号１１２を出力する。
【０００５】
同様に、図２には、複数のアンテナ（送信アンテナ１（２０２），送信アンテナＮ（２０２’））が設けられ、送信ダイバーシティを利用する従来技術の無線システム内の送信機２００の略図を示す。ここで示す図２の送信機２００では、まず、情報を運ぶ同一信号すなわち供給源信号２０４をスプリッタプリプロセッサ２０６により分割し、前処理して、相互に関連付けられた複数の送信信号（２０８，２０８’）を発生させる。次に、これら複数の送信信号（２０８，２０８’）を個々に別個の送信チェーンへ送り、複数のアンテナ（２０２，２０２’）でそれぞれ送信する。送信チェーンはそれぞれデジタル信号処理ブロック（２１０，２１０’）、デジタルアナログ変換ブロック（２１２，２１２’）及びアナログ信号処理ブロック（２１４，２１４’）を含む。
【０００６】
送信ダイバーシティは、複数の相関信号を送信機からチャネル上へ送信することによるダイバーシティ利得の実現を意味する。典型的に、送信ダイバーシティ技術は、これら相関信号を送信するのに複数の送信アンテナを用いる。第一に、送信ダイバーシティの実現は一般に容易ではない。同一信号を複数の送信アンテナにより送信することは、典型的に少しのダイバーシティ利得も生じさせない。
【０００７】
提案された最も早い送信ダイバーシティ技術の１つは、送信機が、異なる遅延を有する同一情報の複数コピーを異なるアンテナにより送信する遅延ダイバーシティである。この方式の高性能版は２つの送信アンテナを用い、Ｓ．Ｍ．Ａｌａｍｏｕｔｉ（エス・エム・アラモウティ）著，「Ａ ｓｉｍｐｌｅ ｔｒａｎｓｍｉｔｔｅｒ ｄｉｖｅｒｓｉｔｙ ｓｃｈｅｍｅ ｆｏｒ ｗｉｒｅｌｅｓｓ ｃｏｍｍｕｎｉｃａｔｉｏｎｓ」，ＩＥＥＥ ｊｏｕｒｎａｌ ｏｎ Ｓｅｌｅｃｔｅｄ Ａｒｅａｓ ｉｎ Ｃｏｍｍｕｎｉｃａｔｉｏｎ，１９９８年１０月，第１６巻，ｐ．１４５１−１４５８に記載され、Ａｌａｍｏｕｔｉ（アラモウティ）氏により提案されている。
【０００８】
伝達される信号をＳ（ｔ）と表すことにする。ここで、ｔを離散時刻と考える。アラモウティ方式では、２つの連続する符号を遮断し、２つのアンテナを用いて２つの時刻にわたって送信する。Ｘ１（ｔ）及びＸ２（ｔ）がそれぞれ２つのアンテナからの出力信号を表すと仮定する。このことを、次の通りに表すことができる。
【０００９】
【数１】
2011101389.tif 000003
２つの送信アンテナ例えば２つの基地局送信アンテナから、受信機例えば移動受信機への時変チャネル応答をそれぞれｈ１（ｔ）及びｈ２（ｔ）により表すとする。説明を簡単にするため、フラットチャネルを想定する。しかし、チャネルが周波数に依存する一般的な場合も取り扱うことができる。穏やかな想定として、チャネル係数が２つの符号について変わらないままであると仮定し、移動受信機により受信された複合信号は、次の通りに表すことができる。
【００１０】
【数２】
2011101389.tif 000004
このことを、元の信号Ｓ（ｔ）の観点から次の通りに書き換えることができる。
【００１１】
【数３】
2011101389.tif 000005
あるいはまた、
【数４】
2011101389.tif 000006
２つの送信アンテナから受信機へのチャネル応答が既知であれば、送信機符号構成を反転し、下記の変換により送信信号を抽出することは容易である。
【００１２】
【数５】
2011101389.tif 000007
これにより、フェージングチャネルについて２次ダイバーシティが生じる。アラモウティ方式は簡単であるが、２つの送信アンテナの各々から利得を別々に追跡する受信機を必要とし、これにより、用いられる２つのパイロットセットを通常、必要とする。このことは、セルラーアップリンクにおいて、例えば、移動装置が基地局の受信機に送信する場合において、特に難しい。更に、各々が通常、デジタル及びアナログ双方の信号処理ブロックを含む複数の送信機チェーンを用いるための既知の送信ダイバーシティ技術の要件は、多くの分野で高額な費用がかかるおそれがある。
【００１３】
上記を考慮して、無線通信システムにおいて送信及び／または受信ダイバーシティを実現する方法及び装置を改善する必要がある。既知の方法よりも優れて、パイロットのために行われる信号送信の量を減少させながらダイバーシティを実現する方法及び装置は、有益である。複数の送信チェーンを必要とせずにダイバーシティを実現する方法及び装置も、有益である。
【発明の概要】
【００１４】
幅広い種類の通信分野において送信機及び／または受信機ダイバーシティを実現する方法及び装置を記述する。さまざまな実施形態では、複数のアンテナを用いて送信及び／または受信ダイバーシティを実現する。いくつかの実施形態では、無線端末内の単一送信機チェーンは時間と共に複数の送信アンテナに結合される。制御可能な切り換えモジュールはその時々で単一送信機チェーンを複数の送信アンテナの１つに結合する。時間が経てば、切り換えモジュールは単一送信機チェーンからの出力信号を異なる送信アンテナに結合する。切り換え決定は、所定の情報、ドウェル情報及び／またはチャネル状態フィードバック情報に基づく。切り換えは、いくつかのドウェル及び／またはチャネル推定境界上で行われる。いくつかのＯＦＤＭ実施形態では、複数の送信機チェーンの各々はそれぞれ異なる送信アンテナに結合される。送信される情報は複数のトーンにマッピングされる。トーンの異なるサブセットは異なる送信チェーン／アンテナセットに対して形成され、これら異なる送信チェーン／アンテナセットにより同時に送信される。各アンテナに対してサブセットに割り当てられるトーンのバランスは所定の情報、ドウェル情報及び／またはチャネル状態フィードバック情報に応じて変更される。
【００１５】
多くの実現可能なＯＦＤＭ実施形態に関して記述するが、ＣＤＭＡを含む幅広い種類の通信技術と一緒に方法及び装置を用いることができる。
【００１６】
本発明の多数の追加の特徴、利点及び実施形態を以下で詳細に記述する。
【詳細な発明】
【００１７】
ダイバーシティの原理は無線リンク信頼性を改善するのに役立つが、複数の送信及び／または受信チェーンの使用は、送信機及び／または受信機の費用及び複雑性を増大させる。典型的には、無線通信システムにおいて、配置されている各基地局に対して多くの無線端末が存在する。無線端末を、例えば、コンシューマにより所有され、操作される携帯電話またはセルラーデータ通信装置のような携帯用バッテリ電源式移動装置とすることができる。増大する費用及び複雑性は、無線端末例えば移動ノード側においてとりわけ重要な考慮すべき事柄である。本発明のさまざまな態様及び特徴は、費用及び／または複雑性の増大を最小限に抑えながらダイバーシティを実現できる複数のアンテナが設けられている無線システムに関する。
【００１８】
本発明に従って送信ダイバーシティを行うさまざまな態様を次に記述する。本発明のさまざまな実施形態によれば、単一の送信チェーンを用い、複数の送信アンテナ間を切り換えることにより無線通信システムにおいて送信ダイバーシティを実現することができる。
【００１９】
図３は、本発明による例示的な送信チェーン３０２を含む図面３００である。例示的な送信チェーン３０２は、デジタル信号処理ブロック３０４、デジタルアナログ変換ブロック３０６、アナログ信号処理ブロック３０８及び切り換えモジュール３１０を含む。入力信号３０３はデジタル信号処理ブロック３０４への入力である。デジタル信号処理ブロック３０４は、符号化、変調及びデジタルフィルタリングのようなデジタル範囲信号処理機能を取り込み、実行する。デジタル信号処理ブロック３０４は代表的にベースバンドデジタルチェーンを含む。デジタル信号処理ブロック３０４から出力したデジタル信号３０５は、デジタルアナログ変換ブロック３０６へ入力される。デジタルアナログ変換ブロック３０６はデジタル信号３０５をアナログ信号３０７に変換し、アナログ信号３０７はアナログ信号処理ブロック３０８への入力になる。アナログ信号処理ブロック３０８は、搬送周波数へのアップコンバート、アナログフィルタリング及び電力増幅のようなアナログ範囲信号処理機能を取り込み、実行する。アナログ信号処理ブロック３０８は代表的にベースバンドアナログチェーン及びＲＦアナログチェーンを含む。アナログ信号処理ブロック３０８の出力は次に切り換えモジュールブロック３１０を経由して出力信号（３１１または３１１’）としてそれぞれ複数の送信アンテナの１つ（送信アンテナ１（３１２）または送信アンテナＮ（３１２’））により送信される。切り換えモジュールブロック３１０は、その時々で用いるべき送信アンテナ（３１２，３１２’）を決定する。時間ごとに、切り換えモジュールブロック３１０は、異なる送信アンテナ（３１２，３１２’）を用いることを選択し、アナログ信号処理ブロック３０８の出力３０９を、選択した送信アンテナ（３１２または３１２’）へ向ける。
【００２０】
切り換えモジュール３１０は、切り換え制御モジュール３１８から送信された信号により制御される。基地局からのチャネルフィードバック情報３１４はアップリンクチャネルフィードバックモジュール３１６へ入力される。アップリンクチャネルフィードバックモジュール３１６は、より良いチャネル品質をもたらす送信アンテナ（３１２，３１２’）を決定し、この情報を切り換え制御モジュール３１８へ転送する。更に、ドウェル情報３２０例えばドウェル境界情報は、切り換え制御モジュール３１８へ入力される。切り換え制御モジュールは、受信した情報を用いて、アンテナの選択に関する決定を行うことができる。例えば、切り換え制御モジュール３１８は、ドウェル境界上での切り換えを制御することができる。いくつかの実施形態では、切り換え制御モジュール３１８は、ドウェル数及びアンテナ数に応じてアンテナ間を交互に切り換える。いくつかの実施形態では、切り換え制御モジュールは、チャネル品質推定情報に基づいて、より良いチャネル品質と関連するアンテナのみを用いるか、あるいは、このアンテナを他のアンテナに比べて頻繁に用いるかを選択することができる。いくつかの実施形態では、アップリンクチャネルフィードバックモジュール３１４は用いられず、切り換えは、チャネルフィードバック情報３１４を用いず、ドウェル情報３２０に基づいて制御される。
【００２１】
ここで留意すべきは、複数の物理的な送信アンテナ（３１２，３１２’）が存在するが、送信機３００が単一の送信チェーン３０２を用いるということである。このことは、各々が１つの送信アンテナ（２０２，２０２’）に用いられる複数の送信チェーンを使用する図２に示した従来技術のシステムと著しく異なる。
【００２２】
Ｎは、送信アンテナの数を示すものとする。｛Ｈｋ，ｋ＝１，．．．，Ｎ｝は各送信アンテナから受信機への無線チャネル応答を表すものとする。いくつかの実施形態では、チャネル応答すなわち｛Ｈｋ｝の集合体が実質的に独立するように送信アンテナは空間的に配置されている。１つの送信アンテナから別の送信アンテナへ切り換えることにより、送信機から受信機への有効チャネル応答は｛Ｈｋ｝の中で異なり、従って、送信ダイバーシティを実現する。例えば、Ｎ＝２を仮定する。切り換えブロックは、時間ｔ１からｔ２まで送信アンテナ１を用い、時間ｔ２からｔ３まで送信アンテナ１を用いることを選択すると仮定する。符号化ブロックは、ｔ１からｔ３までの期間の間に送信されると仮定する。この場合、符号化ブロックの一部はチャネル応答Ｈ１を体験し、残りはチャネル応答Ｈ２を体験する。従って、Ｈ１及びＨ２が独立しているならば、符号化ブロックは２次ダイバーシティの利益を享受することができる。このことは、特に、（この場合、１／２よりも低い）低符号化率が用いられる場合に当てはまる。
【００２３】
本発明のさまざまな実施形態では、送信機がアンテナを切り換える瞬間を受信機が認識することが有益である。例えば、受信機が、異なるアンテナに対応して異なるチャネル推定値を維持し、特定のアンテナ送信期間に適切なチャネル推定値に進化する場合に上述の認識は重要である。
【００２４】
説明目的のため、スペクトル拡散直交周波数分割多重化（ＯＦＤＭ）多重アクセスシステムとの関連で本発明を検討する。本発明の送信ダイバーシティ技術はその他のシステム例えば符号分割多重アクセス（ＣＤＭＡ）システムにも適用できることに留意すべきである。
【００２５】
例示的なＯＦＤＭシステムでは、スペクトル拡散の利点を達成するようにトーンはホッピングする。基地局から無線端末へのダウンリンクでは、トーンはＯＦＤＭシンボルごとにホッピングする。論理的なトーンの各々は異なる物理的なトーンにマッピングされ、このマッピングは、図４に示すようにすべてのＯＦＤＭシンボル境界上で変えられる。図４は、縦軸４０２上の周波数対横軸４０４上の時間の図面４００であって、例示的なＯＦＤＭダウンリンクトーンホッピングを示す。周波数軸の基本単位は物理的なトーン４０６であるのに対して、横軸４０４の基本単位はＯＦＤＭシンボル期間４０８である。異なる物理的なトーンにホッピングされ、すべてのＯＦＤＭシンボル境界上で変えられた例示的且つ論理的なトーンを一連の方形（４１０、４１２、４１４、４１６、４１８、４２０及び４２２）により示し、これは各ＯＦＤＭシンボル境界上での物理的なトーンの位置変化を示す。このホッピングは、論理的なトーンのいくつかのサブセットを含む符号化ブロックが利用可能な周波数帯域にわたって分散するということを容易にする。
【００２６】
無線端末から基地局へのアップリンクでは、あらゆる論理的なトーンは物理的なトーンにマッピングされ、このマッピングは数個のＯＦＤＭシンボル期間の間一定に保持される。この期間はドウェル期間（ｄｗｅｌｌ ｐｅｒｉｏｄ）として知られている。ドウェル期間にわたるアップリンクホッピングの過程を図５に示す。図５は縦軸５０２上の周波数対横軸５０４上の時間を示す図面５００であって、例示的なアップリンクトーンホッピングを示すのに用いられている。縦軸５０２の基本単位は物理的なトーンであり、範囲５０６はいくつかの、例えば、２つの例示的な連続する物理的なトーンを示す。横軸５０４の基本単位はＯＦＤＭシンボル期間５０８である。各ＯＦＤＭドウェル期間５１０は、４つの連続するＯＦＤＭシンボル期間を含む。他の実施形態では、ドウェル期間は、異なる数のＯＦＤＭシンボル期間例えば７つのＯＦＤＭシンボル期間を含むことができる。図５には、４つの連続するＯＦＤＭドウェル期間すなわちドウェル１ ５１２、ドウェル２ ５１４、ドウェル３ ５１６及びドウェル４ ５１８を示す。図５に示すように、論理的なトーンは物理的なトーンにマッピングされ、このマッピングは、４つの連続するＯＦＤＭシンボル期間の間一定に保持され、ドウェル１ ５１２中のトーンセット５２０、ドウェル２ ５１４中のトーンセット５２２、ドウェル３ ５１６中のトーンセット５２４及びドウェル４ ５１８中のトーンセット５２６により表される。
【００２７】
本発明のさまざまな実施形態を無線端末の送信機で用いて、送信ダイバーシティをセルラーアップリンクにおいて実現することができる。本発明によれば、例示的な実施形態は、アップリンク信号のドウェル境界で送信アンテナを切り換える。すなわち、ドウェル１ ５１２及びドウェル２ ５１４が、２つの連続するドウェルであるとする。この場合、切り換えブロックは、ある送信アンテナをドウェル１ ５１２で用い、ドウェル２ ５１４で別の送信アンテナに切り換えることを選択する。送信機は、１ドウェルごとに、または、数個のドウェルごとにアンテナを切り換えることができる。例えば、図６には、２つの送信アンテナを有する例示的なＯＦＤＭアップリンクシステムに対する例示的なアップリンクトーンホッピング及びアンテナ切り換えを表す図面６００を示す。図面６００は、縦軸６０２上の周波数対横軸６０４上の時間のグラフを含む。周波数の基本単位はトーン６０６である。時間の基本単位はＯＦＤＭシンボル期間６０８であり、ＯＦＤＭドウェル期間６１０は、４つの連続するＯＦＤＭシンボル期間６０８を含む。論理的なトーンは、物理的なトーンにホッピングされた周波数であり、このホッピングはドウェル境界上で変化する。例えば、（ドウェル１ ６１２，ドウェル２ ６１４，ドウェル３ ６１６，ドウェル４ ６１８）の期間、物理的なトーン（６２０，６２２，６２４，６２６）が用いられる。図６では、奇数のドウェル（６１２，６１６）の信号はアンテナ１ ６２８により送信され、偶数のドウェル（６１４，６１８）の信号はアンテナ２ ６３０により送信される。基地局の受信機が、あるドウェルから別のドウェルまでチャネルの一貫性を全くとらないと仮定する。例えば、受信機はドウェルにわたってチャネルの推定を行わなくてもよい。この場合、ドウェル境界における送信アンテナの切り換えは、受信機で実行される動作に影響を及ぼさない。実際に、この状況では、受信機は本発明の送信ダイバーシティの使用に気付くことさえしなくてよい。符号化ブロックが数個のドウェルの時間間隔にわたって送信される場合、符号化ブロックは、特に低符号化率に対して２次ダイバーシティの利益を享受することができる。
【００２８】
同様に、本発明のさまざまな特徴を基地局で用いて、送信ダイバーシティをセルラーダウンリンクにおいて実現することができる。本発明のいくつかの実施形態では、基地局は数個のＯＦＤＭシンボルごとに送信アンテナを切り換え、無線端末は、アンテナの切り換えがいつ起こるかを知っている。図７には、２つの送信アンテナを有する例示的なＯＦＤＭダウンリンクシステムに対する例示的なダウンリンクトーンホッピング及びアンテナ切り換えを表す図面７００を示す。図面７００は、縦軸７０２上の周波数対横軸７０４上の時間のグラフを含む。周波数の基本単位はトーン７０６である。時間の基本単位はＯＦＤＭシンボル期間７０８である。論理的なトーンは、物理的なトーンにホッピングされた周波数であり、このホッピングは、連続するＯＦＤＭシンボル期間の間に変化する。図７には、一連の方形（７１８，７２０，７２２，７２４，７２６，７２８，７３０，７３２，７３４，７３６，７３８，７４０，７４２，７４４，７４６，７４８）で示すように、異なる物理的なトーンにホッピングされている１つのＯＦＤＭシンボル期間の例示的且つ論理的なトーンを示す。図７は、アンテナの切り換えが４つのＯＦＤＭシンボルごとに起こる２つの送信アンテナ（アンテナ１ ７５０及びアンテナ２ ７５２）を有する例示的なＯＦＤＭダウンリンクシステムに対応することができる。例えば、Ａと記した時間間隔（７１０，７１４）の信号はアンテナ１ ７５０により送信され、Ｂと記した時間間隔（７１２，７１６）の信号はアンテナ２ ７５２により送信される。無線端末の受信機は、２つの分離したチャネル推定値を維持する。第１チャネル推定値は調整され、時間間隔Ａ（７１０，７１４）に用いられるのに対して、第２チャネル推定値は調整され、時間間隔Ｂ（７１２，７１６）に用いられる。
【００２９】
上記の例示的な記述では、送信機での切り換えブロックは、各送信アンテナをほぼ一様に選択する。本発明のいくつかの実施形態では、受信機が、チャネル品質に関するいくつかの指示を送信機にフィードバックすると仮定する。この場合、遅い時変環境では、送信機は、より良いチャネル品質をもたらす送信アンテナを発見でき、このアンテナのみを用いるか、あるいは、このアンテナを他のアンテナに比べて頻繁に用いるかを選択することができる。
【００３０】
実際には、無線周波数（ＲＦ）送信回路では、通常、過渡応答がアンテナの切り換えに関連して存在する。例示的なＯＦＤＭシステムにおける周期的なプレフィックスの使用はアンテナの過渡応答を効果的に吸収し、直交性のようなＯＦＤＭシステムの基本特性を維持する。
【００３１】
本発明は、複数の送信チェーンを用いる必要なしに送信ダイバーシティ利得を実現する。例えば、異なるアンテナにわたって送信される情報信号を異なるものにすることを必要とする空間時間符号に含まれる信号の明確な前処理がない。その他の利点も本発明のさまざまな実施形態により与えられる。受信機がチャネル応答を別々に追跡できるように、大部分の送信ダイバーシティ方式は、異なるアンテナにより送信される信号内に異なるパイロットを使用する必要がある。本発明のさまざまな実施形態は、同一の情報信号を異なる時間に異なるアンテナにより送信するため、複数のパイロットの必要性を不要にする。
【００３２】
本発明に従って受信ダイバーシティを行うさまざまな態様を次に説明する。本発明によれば、単一の受信チェーンを用い、複数の受信アンテナを切り換えることにより受信ダイバーシティを無線通信システムにおいて実現することができる。
【００３３】
図８には、本発明による例示的な受信チェーン８０２及び複数の受信アンテナ（受信アンテナ１ ８１２，受信アンテナＮ）を示す図面８００を示す。例示的な受信チェーン８０２は、切り換えモジュール８１０、アナログ信号処理ブロック８０８、アナログデジタル変換ブロック８０６及びデジタル信号処理ブロック８０４を含む。切り換えモジュールブロック８１０は、所定の時間に用いられるべき受信アンテナ（８１２，８１２’）を決定する。時間ごとに、切り換えモジュールブロック８１０は、異なる受信アンテナを用いることを選択し、選択した受信アンテナ（８１２，８１２’）からの信号（８１１，８１１’）をそれぞれアナログ信号処理ブロック８０８の入力８０９へ導く。アナログ信号処理ブロック８０８の入力８０９は受信アンテナ（８１２，８１２’）の１つから発生することができる。アナログ信号処理ブロック８０８は、アナログフィルタリング、低雑音増幅及びベースバンドへのダウンコンバートのようなアナログ範囲信号処理機能を取り込み、実行する。アナログ信号処理ブロック８０８は代表的にベースバンドアナログチェーン及びＲＦアナログチェーンを含む。アナログ信号処理ブロック８０８の出力は信号８０７である。アナログデジタル変換ブロック８０６はアナログ信号処理ブロック８０８の出力８０７をデジタル信号８０５に変換し、デジタル信号８０５はデジタル信号処理ブロック８０４の入力になる。デジタル信号処理ブロック８０４は、デジタルフィルタリング、復号化及び復調のようなデジタル範囲信号処理機能を取り込み、実行する。デジタル信号処理ブロック８０４は代表的にベースバンドデジタルチェーンを含む。デジタル信号処理ブロック８０４の出力はデジタル信号８０３である。
【００３４】
ここで留意すべきは、複数の受信アンテナ（８１２，８１２’）が存在するが、無線システムが単一の受信チェーン８０２を有するということである。このことは、１つの受信アンテナに各々用いられる複数の受信チェーンを使用する、図１に示した従来技術のシステムと著しく異なる。
【００３５】
本発明のさまざまな特徴を無線端末で用いてダウンリンク受信ダイバーシティを実現することができる。例示的な実施形態では、２つの受信アンテナを有する例示的な無線端末は、受信アンテナを数個のＯＦＤＭシンボルごとに切り換える。この実施形態は、基地局で送信アンテナを切り換える図７に示す本発明の実施形態に極めて類似する。特に、時間間隔Ａ（７１０，７１４）の信号は受信アンテナ１ ８１２により受信され、時間間隔Ｂ（７１２，７１６）の信号はアンテナ２ ８１２’により受信される。無線端末の受信機は、２つの分離したチャネル推定値を維持し、調整され、時間間隔Ａ及びＢにそれぞれ用いられる。
【００３６】
同様に、本発明の特徴を基地局で用いてアップリンク受信ダイバーシティを実現することができる。例示的な実施形態は、受信アンテナをアップリンク信号のドウェル境界で切り換えるためのものである。この実施形態は、無線端末の送信機で送信アンテナの切り換えを用いる図６に示す実施形態に極めて類似する。特に、２つの受信アンテナを有する例示的な基地局を考えると、奇数のドウェル（６１２，６１６）の信号は受信アンテナ１ ８１２により受信され、偶数のドウェル（６１４，６１８）の信号は受信アンテナ２ ８１２’により受信される。受信機が、あるドウェルから別のドウェルまでチャネルの一貫性を全くとらないと仮定すると、ドウェル境界における受信アンテナの切り換えは、受信機で行われる動作に影響を及ぼさない。
【００３７】
上記の説明では、切り換えモジュールブロック８１０は各受信アンテナをほぼ一様に選択する。この切り換えを、限定して、または連続して行うため、プロセッサの下で制御することができ、あるいは、事前に設定することができる。次に、受信機がチャネル品質を推定すると仮定する。この場合、受信機は、より良いチャネル品質をもたらす受信アンテナを発見でき、このアンテナのみを用いるか、あるいは、このアンテナを他のアンテナに比べて頻繁に用いるかを選択することができる。
【００３８】
ダイバーシティを実現する他の方法と組み合わせて本発明を用いることができることに留意すべきである。例えば、無線端末の送信機が、本発明に記述したように２つの切り換えアンテナを用いる無線システムを検討する。基地局の受信機は、２つのアンテナで従来の最大比合成法を用いる。これを総合して、セルラーアップリンクにおいて４次ダイバーシティを実現させる。
【００３９】
次に、本発明に照らしてトーン分割を説明する。例示的なスペクトル拡散ＯＦＤＭ（直交周波数分割多重化）多重アクセスシステムにおけるトーンの直交性は、送信ダイバーシティ利得を獲得する独自の方法を可能にする。２つのアンテナ（アンテナ１ ９２２，アンテナ２ ９２６）により信号（９２４，９２８）としてそれぞれ送信される複数のトーン（トーン０ ９０６，トーン１ ９０８，トーン２ ９１０，トーン３ ９１２，トーン４ ９１４，トーン５ ９１６，トーン６ ９１８，トーン７ ９２０）を含む例示的なＯＦＤＭシンボル９０４を示す図９の図面９００を検討する。陰影表示された符号のトーン（９０８，９１２，９１６，９２０）はアンテナ１ ９２２により送信されるのに対して、透明な囲みで表された符号のトーン（９０６，９１０，９１４，９１８）はアンテナ２ ９２６により送信される。これにより、特に低符号化率に対して２次送信ダイバーシティを可能にする。その理由は、符号化ブロックがいくつかのＯＦＤＭシンボルにわたって分散するためである。符号化ブロックの変調シンボルの半分は各アンテナ（９２２，９２６）により送信される。この送信ダイバーシティ方法を複数の送信アンテナまで拡張することは容易である。
【００４０】
図１０の図面１０００には、図９に説明した本発明によるトーン分割の変形形態を示す。図１０は、０から７まで番号付けられたトーンインデックスにより表された縦軸９０２上の周波数と、横軸１００３上の時間との関係を示す図を含む。時間軸の基本単位はＯＦＤＭシンボル期間である。例示的なＯＦＤＭシンボル（１００４，１００６，１００８，１０１０，１０１２，１０１４，１０１６，１０１７）の各々は、２つのアンテナ（アンテナ１ １０３４，アンテナ２ １０３６）により信号（１０３８，１０４０）としてそれぞれ送信される複数のトーン（トーン０ １０１８，トーン１ １０２０，トーン２ １０２２，トーン３ １０２４，トーン４ １０２６，トーン５ １０２８，トーン６ １０３０，トーン７ １０３０）を含む。陰影表示された各ＯＦＤＭシンボルのトーンは送信アンテナ１ １０３４により送信されるのに対して、透明な囲みで表された各ＯＦＤＭシンボルのトーンは送信アンテナ２ １０３６により送信される。各ＯＦＤＭシンボルの各トーンは、符号化情報を伝達する変調シンボルを送信する。初めに、最初の４つのＯＦＤＭシンボル期間（１００４，１００６，１００８，１０１０）に対して変調シンボルの半分をアンテナ１ １０３４により送信し、もう半分をアンテナ２ １０３６により送信する。次に、通信装置は、アンテナ１ １０３４を強調することを決定する。例えば、通信装置へのフィードバック情報は、アンテナ１から受信機へのチャネルが、例えば受信電力レベル及び／または、肯定応答／否定応答情報に基づいてアンテナ２から受信機へのチャネルよりも良いことを指摘することができる。通信装置は、各アンテナに割り当てられるトーンの数を変更する。期間１０１２中、アンテナ１ １０３４はフルセットのトーンを受信するのに対して、アンテナ２は、送信に用いるためにゼロトーンを受信する。次の期間１０１４中、各アンテナは、送信に用いるためにトーンの半分を受信する。アンテナ１０３４，１０３６間のバランスを変更するよう決定を下すまで、トーンの割り当てのデューティサイクル間で交互に換わるこのパターンを繰り返す。いくつかの実施形態では、時間の基本単位は、いくつかの連続するＯＦＤＭシンボル期間を含む間隔である。いくつかの実施形態では、例えば、通信装置が無線端末であり、通信装置がアップリンク信号を基地局へ送信する場合、時間の基本単位は、いくつかの連続するＯＦＤＭシンボル期間を含むドウェルである。
【００４１】
図１１の図面１１００には、図９に示した本発明によるトーン分割のもう１つの変形形態を示す。図１１は、０から７まで番号付けられたトーンインデックスにより表された縦軸１１０２上の周波数と、横軸１１０３上の時間との関係を示す図を含む。時間軸の基本単位はＯＦＤＭドウェルである。例示的なＯＦＤＭドウェル（１１０４，１１０６，１１０８，１１１０，１１１２，１１１４，１１１６）の各々は、２つのアンテナ（アンテナ１ １１３４，アンテナ２ １１３６）により信号（１１３８，１１４０）としてそれぞれ送信される複数のトーン（トーン０ １１１８，トーン１ １１２０，トーン２ １１２２，トーン３ １１２４，トーン４ １１２６，トーン５ １１２８，トーン６ １１３０，トーン７ １１３２）を含む。陰影表示された各ＯＦＤＭドウェルのトーンは送信アンテナ１ １１３４により送信されるのに対して、透明な囲みで表された各ＯＦＤＭドウェルのトーンは送信アンテナ２ １１３６を用いて送信される。各ＯＦＤＭドウェルの各トーンは、一連の変調シンボル、例えば、ドウェル中のＯＦＤＭシンボル期間の各々に対する１つの変調シンボル、または、符号化情報を伝達する変調シンボルを送信する。最初に、最初の３つのＯＦＤＭドウェル（１１０４，１１０６，１１０８）に対して、変調シンボルの半分をアンテナ１ １１３４により送信し、もう半分をアンテナ２ １１３６により送信する。次に、通信装置は、アンテナ１ １１３４を強調することを決定し、ドウェル１１１０の間、アンテナ１をわずかに支持するようにトーンバランスを変更する。例えば、通信装置へのフィードバック情報は、アンテナ１ １１３４から基地局の受信機へのチャネルが、例えば受信電力レベル及び／または、肯定応答／否定応答情報に基づいてアンテナ２ １１３６から基地局の受信機へのチャネルよりも良いことを指摘することができる。通信装置は、フィードバック情報の監視を続け、例示的なドウェル１１１０から１１１２へ、１１１２から１１１４へ、１１１４から１１１６への変化ごとに観測される通りにアンテナ間のトーンバランスを調節する。いくつかの実施形態では、ドウェル境界上ではなく、むしろ、所定数のＯＦＤＭシンボル時間に、または、チャネル状態測定境界上で変更を行う。
【００４２】
図９及び１０で示した実施形態では、アンテナに割り当てられたトーンは、常に互いに排他的である。しかし、本発明のさまざまな実施形態では、各アンテナに割り当てられたトーンのサブセットは、重複するトーンサブセットを含むことができる。図１２の図面１２００は、図９に示した本発明によるトーン分割の別のもう１つの変形形態を示す。図１２は、０から７まで番号付けられたトーンインデックスにより表された縦軸１２０２上の周波数と、横軸１２０３上の時間との関係を示す図を含む。時間軸の基本単位はＯＦＤＭドウェルである。例示的なＯＦＤＭドウェル（１２０４，１２０６，１２０８，１２１０，１２１２，１２１４，１２１６）の各々は、２つのアンテナ（アンテナ１ １２３４，アンテナ２ １２３６）により信号（１２３８，１２４０）としてそれぞれ送信される複数のトーン（トーン０ １２１８，トーン１ １２２０，トーン２ １２２２，トーン３ １２２４，トーン４ １２２６，トーン５ １２２８，トーン６ １２３０，トーン７ １２３２）を含む。左から右上がりの斜線で陰影表示された各ＯＦＤＭドウェルのトーンは送信アンテナ１ １２３４により送信されるのに対して、左から右下がりの斜線で陰影表示された各ＯＦＤＭドウェルのトーンは送信アンテナ２ １２３６を用いて送信される。ここで留意すべきは、２つのアンテナ（１２３４，１２３８）間でバランス状態を呈する例示的なＯＦＤＭドウェル１２０４及び１２１６では、３つのトーン（トーン０ １２１８、トーン１ １２２０及びトーン２ １２２２）はアンテナ１ １２３４のみを用いて送信され、３つのトーン（トーン５ １２２８、トーン６ １２３０及びトーン７ １２３２）はアンテナ２ １２３６のみを用いて送信され、２つのトーン（１２２４及び１２２６）はアンテナ（１２３４及び１２３６）の双方により送信されるということである。各ＯＦＤＭドウェルの各トーンは、一連の変調シンボル、例えば、ドウェル中のＯＦＤＭシンボル期間の各々に対する１つの変調シンボル、または、符号化情報を伝達する変調シンボルを送信するのに用いられる。通信装置が、アンテナ２ １２３６を強調することを決定すると、ドウェル１２０６、１２０８、１２１０、１２１２及び１２１４で観測される通りにトーンバランスを変更してアンテナ２を支持する。例えばドウェルごとにトーンのアンバランスの量を調節する。例えば、通信装置へのフィードバック情報は、アンテナ２から受信機へのチャネルが、例えば受信電力レベル及び／または、肯定応答／否定応答情報に基づいてアンテナ１から受信機へのチャネルよりも良いことを指摘することができ、チャネル品質の差の程度は、トーンのアンバランスのレベルを決定するのに用いられる。いくつかの実施形態では、ドウェル境界上ではなく、むしろ、所定数のＯＦＤＭシンボル時間に、または、チャネル状態測定境界上で変更を行う。
【００４３】
説明を簡単にするため、トーンホッピングを図１０〜１２の実施形態で説明しなかったが、当然のことながら、多くの実施形態では、ダウンリンクにおいて１つのＯＦＤＭシンボル期間から次のＯＦＤＭシンボル期間へ、または、アップリンクにおいて１つのドウェルから次のドウェルへトーンをホッピングする。更に、いずれか１つの所定時間に１つの送信アンテナと関連するトーンは、共通のトーンサブセットを持たないトーンのサブセットを形成することができる。トーン分割技術を用いることにより送信ダイバーシティを実現するこの方法は、複数の送信チェーンを用いる。
【００４４】
図１３には、例えば、複数のアンテナまたはアンテナ素子を用いて送信及び／または受信ダイバーシティの利益を得るため、本発明により実施される例示的な通信システム１０を示す。例示的なシステム１０は、複数のセル（セル１（２），セルＭ（２’））を含む。各セル（セル１（２），セルＭ（２’））はそれぞれ基地局（ＢＳ１（１２），ＢＳ２（１２’））に対する無線サービスエリアを表す。システム１０は、ネットワークリンク（４，４’）をそれぞれ介して基地局（ＢＳ１（１２），ＢＳ２（１２’））に結合されているネットワークノード３をも含む。ネットワークノード３例えばルータは、ネットワークリンク５を介してインターネット及び別のネットワークノードにも結合されている。ネットワークリンク（４，４’，５）を例えば光ファイバリンクとすることができる。各セルは、無線リンクを介してセルの基地局に結合されている複数の無線端末を含み、無線端末が移動装置であれば、これら無線端末は、システム１０内を移動することができる。セル１（２）では、移動ノード（ＭＮ１（１４）〜ＭＮＮ（１６））として示した複数の無線端末（ＷＴ１（１４），ＷＴＮ（１６））はそれぞれ通信信号（１３，１５）の使用により基地局１（１２）と通信する。セルＭ（２’）では、移動ノード（ＭＮ１’（１４’）〜ＭＮＮ’（１６’））として示した複数の無線端末（ＷＴ１’（１４’），ＷＴＮ’（１６’））はそれぞれ通信信号（１３’，１５’）の使用により基地局Ｍ（１２’）と通信する。各移動端末は異なる移動ユーザに対応することができ、従って、ユーザ端末とも称することがある。信号（１３，１５，１３’，１５’）を例えば直交周波数分割多重化（ＯＦＤＭ）信号とすることができる。いくつかの実施形態では、信号（１３，１５，１３’，１５’）を例えば符号分割多重アクセス（ＣＤＭＡ）信号とすることができる。基地局（１２，１２’）及び無線端末（ＭＮ１，ＭＮＮ，ＭＮ１’，ＭＮＮ’）（１４，１６，１４’，１６’）は各々本発明の方法を実施する。従って、信号（１３，１５，１３’，１５’）は、本明細書で記述した種類の信号を含み、これら信号は本発明に従って送信される。
【００４５】
図１４には、本発明に従って実施される例示的な基地局−アクセスノード１４００を示す。基地局１４００を図１３の例示的な基地局１２，１２’のいずれかにすることができる。基地局１４００は、受信機チェーン／アンテナモジュール１４０２及び送信機チェーン／アンテナモジュール１４０４を含む。図８に示す受信チェーン及び複数の受信アンテナに類似または同様に受信機チェーン／アンテナモジュール１４０２を実施することができる。図３に示す送信チェーン及び複数の送信アンテナに類似して送信機チェーン／アンテナモジュール１４０４を実施できるが、ＯＦＤＭタイミング構造情報、所定の情報及び／またはＷＴからのダウンリンクチャネルフィードバック情報に応じて切り換え制御を用いる。受信機チェーン／アンテナモジュール１４０２は受信アンテナまたはアンテナ素子１４０６と受信チェーン１４１０とを含む。いくつかの実施形態では、モジュール１４０２は複数のアンテナまたはアンテナ素子（受信アンテナ１ １４０６，受信アンテナＮ １４０８）を含み、受信チェーン１４１０はドウェル境界制御可能切り換えモジュール１４１２例えば切り換え回路を含む。送信機チェーン／アンテナモジュール１４０４は送信アンテナまたはアンテナ素子１４１４と送信機チェーン１４１８とを含む。いくつかの実施形態では、モジュール１４０４は複数のアンテナまたはアンテナ素子（送信アンテナ１ １４１４，送信アンテナＮ １４１６）を含み、送信機チェーン１４１８は制御可能な切り換えモジュール１４２０を含む。受信機モジュール１４０２は、異なるドウェル中、同じＷＴの異なるＷＴ送信アンテナまたはアンテナ素子から送信されたアップリンク信号を含むＷＴからのアップリンク信号を受信する。送信機モジュール１４０４は、受信したＷＴアップリンク信号を表すチャネル品質指示フィードバック信号を含むＷＴへのダウンリンク信号を送信する。モジュール１４０２，１４０４は、バス１４２２によりＩ／Ｏインターフェース１４２４、プロセッサ１４２６例えばＣＰＵ、及びメモリ１４２８に結合されている。Ｉ／Ｏインターフェース１４２６は基地局１４００をインターネット及び別のネットワークノード例えばルータ、他の基地局、ＡＡＡノードなどに結合する。メモリ１４２８はルーチン１４３０及びデータ／情報１４３２を含む。プロセッサ１４２６はルーチン１４３０を実行し、メモリ１４２８内のデータ／情報１４３２を用いて、本発明に従って基地局１４００を動作させる。
【００４６】
ルーチン１４３０は、さまざまな通信動作を実行し、さまざまな通信プロトコルを実施するため、基地局１４００を制御するのに用いられる通信ルーチン１４３４を含む。ルーチン１４３０は、本発明の方法のステップを実施するため、基地局１４００を制御するのに用いられる基地局制御ルーチン１４３６をも含む。基地局制御ルーチン１４３６は、送信スケジューリング及び／または通信資源の割り当て例えば、ＷＴに対するアップリンク及びダウンリンク区分の割り当てを制御するのに用いられるスケジューラモジュール１４３８を含む。例えばドウェル境界切り換えモジュール１４１２及び複数の受信アンテナ（１４０６，１４０８）を含むいくつかの実施形態では、基地局制御ルーチン１４３６は受信機アンテナ切り換え制御モジュール１４４０をも含む。例えば切り換えモジュール１４２０及び複数の送信アンテナ（１４１４，１４１６）を含むいくつかの実施形態では、基地局制御ルーチン１４３６は送信機アンテナ切り換え制御モジュール１４４２をも含む。受信機チェーン１４１０内の切り換え装置１４１２と送信機チェーン１４１８内の切り換え装置１４２０とは、実施の際、モジュール（１４４０，１４４２）の指示をそれぞれ受けて動作する時にプロセッサ１４２６により発生された制御信号に応答する。制御信号は、本発明に従ってアンテナ間またはアンテナ素子間を切り換えさせる。受信機アンテナ切り換え制御モジュール１４４０は、アンテナ切り換え決定を行う際、アップリンク品質指示フィードバック情報１４５８、ドウェル情報１４７８及び受信機アンテナ切り換え情報１４７２を含むデータ／情報１４３２を用いることができる。送信機アンテナ切り換え制御モジュール１４４２は、アンテナ切り換え決定を行う際、ＯＦＤＭシンボルタイミング情報１４７６、受信ダウンリンクチャネルフィードバック報告情報１４５９及び送信機アンテナ切り換え情報１４７４を含むデータ／情報１４３２を用いることができる。
【００４７】
基地局制御ルーチン１４３６は、ＷＴ電力制御フィードバック情報１４６０と、１つまたは複数のアップリンク信号を受信する際に成功または失敗を知らせる送信肯定応答／否定応答（ＡＣＫ／ＮＡＫ）フィードバック情報１４６２とを含むフィードバックメッセージ１４６４のようなチャネル品質指示フィードバック信号の生成及び送信、並びに、受信したアップリンク信号の評価を制御するアップリンクチャネルフィードバックモジュール１４４４をも含む。
【００４８】
メモリ１４２８は、通信ルーチン１４３４及び制御ルーチン１４３６により用いられるデータ／情報１４３２をも含む。データ／情報１４３２はＷＴデータ／情報１４４６及びシステム情報１４４８を含む。ＷＴデータ／情報１４４６は複数のＷＴ情報セット（ＷＴ１データ／情報１４５０，ＷＴＮデータ／情報１４５２）を含む。ＷＴ１データ／情報１４５０は、ユーザ／装置／セッション／資源情報１４５４、タイミング同期情報１４５６、アップリンク品質指示フィードバックメッセージ情報１４５８及び受信ダウンリンクチャネルフィードバック報告情報１４５９を含む。ユーザ／装置／セッション／資源情報１４５４は、ユーザ／装置識別情報と、ピアノード情報及び経路情報のようなセッション情報と、スケジューラ１４３８によりＷＴ１へ割り当てられたアップリンク及びダウンリンクトラフィックチャネル区分のような資源情報とを含む。タイミング同期情報１４５６は、ＢＳタイミングに対してＷＴ１タイミングを同期するための情報、例えば、伝播遅延を補償するための調節情報を含む。アップリンク品質指示フィードバックメッセージ情報１４５８はＷＴ電力制御情報１４６０、ＡＣＫ／ＮＡＫ情報１４６２及びフィードバックメッセージ１４６４を含む。受信ダウンリンクチャネルフィードバック報告情報１４５９は、ＢＳ１４００により送信されたダウンリンクパイロット放送信号に応答してＷＴ１により送信された受信ダウンリンクチャネルフィードバック報告から獲得した情報を含む。システム情報１４４８は、タイミング情報１４６６、トーン情報１４６８及びトーンホッピングシーケンス情報１４７０を含み、選択的に、受信機アンテナ切り換え情報１４７２及び送信機アンテナ切り換え情報１４７４を含む。タイミング情報１４６６は、ＯＦＤＭシンボルを送信するための時間間隔のようなＯＦＤＭシンボルタイミング情報と、ＯＦＤＭシンボル期間に対する同期情報と、スーパースロット、ビーコンスロット及びウルトラスロットのようなＯＦＤＭシンボル期間の分類に対応するタイミング情報と、送信アンテナ間またはアンテナ素子間を切り換える前に送信するための一定数のＯＦＤＭシンボル期間に対応するタイミング情報とのいずれか１つまたは任意の組み合わせを含む。タイミング情報１４６６はドウェル情報１４７８、例えば、アップリンク信号に対してＯＦＤＭシンボル期間中、論理的なトーンから物理的なトーンへのホッピングが一定に保持される多数の連続するＯＦＤＭシンボル期間の分類をも含む。アップリンク信号送信に用いられるトーンは、アップリンクホッピングシーケンスに従って、あるドウェルから次のドウェルへ異なってホッピングされている。ドウェル情報１４７８はドウェル境界情報１４８０を含む。ドウェル境界情報１４７８は、本発明に従って、ＷＴが送信機のアンテナ切り換えを実行できる時刻を決定する。いくつかの実施形態では、ＢＳ受信機モジュール１４０２はアンテナ間のドウェル境界切り換え動作をも実行し、ドウェル境界情報１４８０を用いる。トーン情報１４６８は、アップリンク及びダウンリンク信号に用いる複数の一連のトーンと、特定の時刻に特定の区分に割り当てられたトーンサブセットとを含む。トーンホッピングシーケンス情報１４７０は、ダウンリンクトーンホッピングシーケンス情報例えば、連続するＯＦＤＭシンボル期間にトーンが周波数ホッピングされている場所と、アップリンクトーンホッピングシーケンス情報例えば、連続するドウェル中にトーンが周波数ホッピングされている場所とを含む。受信機アンテナ切り換え情報１４７２は、受信機アンテナ切り換え制御モジュール１４４０により用いられる基準、所定の切り換えシーケンス、アンテナ素子使用情報及びアンテナ素子制御情報のような情報を含む。送信機アンテナ切り換え情報１４７４は、送信機アンテナ切り換え制御モジュール１４４２により用いられる基準、所定の切り換えシーケンス、アンテナ素子使用情報及びアンテナ素子制御情報のような情報を含む。
【００４９】
いくつかのシステムでは、基地局の受信機は、無線端末から送信された信号を復調するため、この無線端末のアップリンクチャネルを推定する。チャネル推定動作は、しばしば、受信した信号の構造に依存する。アップリンク信号のトーンが数個のＯＦＤＭシンボルごとにホッピングするＯＦＤＭシステムを例にとる。トーンの周波数位置をホッピングごとにランダム化すると仮定できる。このような場合では、基地局の受信機は、チャネル推定値がホッピングごとに動的に変化すると推測でき、その結果として、前のホッピングにおけるチャネル推定値の記憶を廃棄し、新たなホッピング中、チャネル推定動作を最初からやり直して遂行することができる。例示的なＣＤＭＡシステムの場合、基地局の受信機は、図２０に示すように時間を一連の時間間隔に分割し、別々のチャネル推定値を時間間隔ごとに維持することができる。図２０の図面２０００には、例示的な一連の時間間隔Ａ２ ２００４，Ｂ１ ２００６，Ａ１ ２００８，Ｂ ２０１０，Ａ ２０１２に分割された時間を表す横軸２００２を示す。例えば、時間間隔Ａ ２０１２のチャネル推定値は、時間間隔Ｂ ２０１０で受信された信号に基づいていない。この場合、時間間隔Ａ及びＢ間の時刻をチャネル推定境界２０１４と称する。一実施形態では、時間間隔Ａ ２０１２のチャネル推定値は、先行する時間間隔のいずれかで受信した信号から独立することができ、この場合、チャネル推定値は、時間間隔Ａ ２０１２で受信した信号のみに基づく。別の実施形態では、時間間隔Ａ ２０１２のチャネル推定値は、先行する時間間隔Ａ１ ２００８，Ａ２ ２００４などで受信した信号に基づくことができる。
【００５０】
図１５には、本発明に従って実施されるもう１つの例示的な基地局−アクセスノード１８００を示す。基地局１８００を図１３の例示的な基地局（１２，１２’）のいずれかにすることができる。基地局１８００は、受信機チェーン／アンテナモジュール１８０２及び送信機チェーン／アンテナモジュール１８０４を含む。図８に示す受信チェーン及び複数の受信アンテナに類似または同様に受信機チェーン／アンテナモジュール１８０２を実施することができる。図３に示す送信チェーン及び複数の送信アンテナに類似するが、チャネル推定境界情報及び／またはＷＴからのダウンリンクチャネルフィードバック情報に応じて切り換え制御を用いる送信機チェーン／アンテナモジュール１８０４を実施することができる。受信機チェーン／アンテナモジュール１８０２は受信アンテナまたはアンテナ素子１８０６と受信チェーン１８１０とを含む。いくつかの実施形態では、モジュール１８０２は複数のアンテナまたはアンテナ素子（受信アンテナ１ １８０６，受信アンテナＮ １８０８）を含み、受信機チェーン１８１０はチャネル推定境界制御可能切り換えモジュール１８１２例えば切り換え回路を含む。送信機チェーン／アンテナモジュール１８０４は送信アンテナまたはアンテナ素子１８１４と送信機チェーン１８１８とを含む。いくつかの実施形態では、モジュール１８０４は複数のアンテナまたはアンテナ素子（送信アンテナ１ １８１４，送信アンテナＮ １８１６）を含み、送信機チェーン１８１８は制御可能な切り換えモジュール１８２０を含む。受信機モジュール１８０２は、異なる基地局チャネル推定値に対応する異なる期間中、同じＷＴの異なるＷＴ送信アンテナまたはアンテナ素子から送信されたアップリンク信号を含むＷＴからのアップリンク信号を受信する。送信機モジュール１８０４は、受信したＷＴアップリンク信号を表すチャネル品質指示フィードバック信号を含むＷＴへのダウンリンク信号を送信する。モジュール１８０２，１８０４は、バス１８２２によりＩ／Ｏインターフェース１８２４、プロセッサ１８２６例えばＣＰＵ、及びメモリ１８２８に結合されている。Ｉ／Ｏインターフェース１８２４は基地局１８００をインターネット及び別のネットワークノード例えばルータ、他の基地局、ＡＡＡノードなどに結合する。メモリ１８２８はルーチン１８３０及びデータ／情報１８３２を含む。プロセッサ１８２６はルーチン１８３０を実行し、メモリ１８２８内のデータ／情報１８３２を用いて、本発明に従って基地局１８００を動作させる。
【００５１】
ルーチン１８３０は、さまざまな通信動作を実行し、さまざまな通信プロトコルを実施するため、基地局１８００を制御するのに用いられる通信ルーチン１８３４を含む。ルーチン１８３０は、本発明の方法のステップを実施するため、基地局１８００を制御するのに用いられる基地局制御ルーチン１８３６をも含む。基地局制御ルーチン１８３６は、送信スケジューリング及び／または通信資源の割り当て例えば、ＷＴに対するアップリンク及びダウンリンク区分の割り当てを制御するのに用いられるスケジューラモジュール１８３８を含む。例えばチャネル推定境界切り換えモジュール１８１２及び複数の受信アンテナ（１８０６，１８０８）を含むいくつかの実施形態では、基地局制御ルーチン１８３６は受信機アンテナ切り換え制御モジュール１８４０をも含む。例えば切り換えモジュール１８２０及び複数の送信アンテナ（１８１４，１８１６）を含むいくつかの実施形態では、基地局制御ルーチン１８３６は送信機アンテナ切り換え制御モジュール１８４２をも含む。受信機チェーン１８１０内の切り換え装置１８１２と送信機チェーン１８１８内の１８２０とは、実施の際、モジュール（１８４０，１８４２）の指示をそれぞれ受けて動作する時にプロセッサ１８２６により発生された制御信号に応答する。制御信号は、本発明に従ってアンテナ間またはアンテナ素子間を切り換えさせる。受信機アンテナ切り換え制御モジュール１８４０は、アンテナ切り換え決定を行う際、アップリンク品質指示フィードバック情報１８５８、受信アップリンク信号送信チャネル推定情報１８６８及び受信機アンテナ切り換え情報１８７４を含むデータ／情報１８３２を用いることができる。送信機アンテナ切り換え制御モジュール１８４２は、アンテナ切り換え決定を行う際、受信ダウンリンクチャネルフィードバック報告情報１８５９及び送信機アンテナ切り換え情報１８７６を含むデータ／情報１８３２を用いることができる。
【００５２】
基地局制御ルーチン１８３６は、ＷＴ電力制御フィードバック情報１８６０と、１つまたは複数のアップリンク信号を受信する際に成功または失敗を知らせる送信肯定応答／否定応答（ＡＣＫ／ＮＡＫ）フィードバック情報１８６２とを含むフィードバックメッセージ１８６４のようなチャネル品質指示フィードバック信号の生成及び送信、並びに、受信したアップリンク信号の評価を制御するアップリンクチャネルフィードバックモジュール１８４４をも含む。
【００５３】
メモリ１８２８は、通信ルーチン１８３４及び制御ルーチン１８３６により用いられるデータ／情報１８３２をも含む。データ／情報１８３２はＷＴデータ／情報１８４６及びシステム情報１８４８を含む。ＷＴデータ／情報１８４６は複数のＷＴ情報セット（ＷＴ１データ／情報１８５０，ＷＴＮデータ／情報１８５２）を含む。ＷＴ１データ／情報１８５０は、ユーザ／装置／セッション／資源情報１８５４、タイミング同期情報１８５６、アップリンク品質指示フィードバックメッセージ情報１８５８及び受信ダウンリンクチャネルフィードバック報告情報１８５９を含む。ユーザ／装置／セッション／資源情報１８５４は、ユーザ／装置識別情報と、ピアノード情報及び経路情報のようなセッション情報と、スケジューラ１８３８によりＷＴ１へ割り当てられたアップリンク及びダウンリンクトラフィックチャネル区分のような資源情報とを含む。タイミング同期情報１８５６は、ＢＳタイミングに対してＷＴ１タイミングを同期するための情報、例えば、伝播遅延を補償するための調節情報を含む。アップリンク品質指示フィードバックメッセージ情報１８５８はＷＴ電力制御情報１８６０、ＡＣＫ／ＮＡＫ情報１８６２及びフィードバックメッセージ１８６４を含む。受信ダウンリンクチャネルフィードバック報告情報１８５９は、ＢＳ１８００により送信されたダウンリンクパイロット放送信号に応答してＷＴ１により送信された受信ダウンリンクチャネルフィードバック報告から獲得した情報を含む。システム情報１８４８は、受信アップリンク信号送信チャネル推定情報１８６８、ＣＤＭＡ情報１８７０及びＯＦＤＭ情報１８７２を含み、選択的に、受信機アンテナ切り換え情報１８７４及び送信機アンテナ切り換え情報１８７６を含む。受信アップリンク信号送信チャネル推定情報１８６８は複数のチャネル推定情報セット（チャネル推定１情報１８７８、チャネル推定Ｎ情報１８８０）を含み、各チャネル推定値は、１つのアンテナまたはアンテナ素子を用いる１つのＷＴからの受信アップリンク信号送信のチャネル推定値に対応する。チャネル推定からの情報１８７８，１８８０は特定のＷＴと関連付けられ、処理され、例えばＷＴ電力制御情報１８６０及びＡＣＫ／ＮＡＫ情報１８６２に記憶される。情報１８６８は、チャネル境界情報１８８２及び推定再設定情報１８８４をも含む。チャネル境界情報１８８２は、同一のＷＴに対する複数の異なるチャネル推定値に、例えば、異なるＷＴ送信機アンテナ素子と関連する異なるチャネル推定値に関連する間隔をＢＳがどこで切り換えるかを規定する時間を識別する。推定再設定情報１８８４は、チャネル推定値が再初期化される時間、例えば、チャネル推定フィルタがクリアにされ、再始動されるチャネル境界を識別する情報を含む。
【００５４】
ＣＤＭＡ情報１８７０は、搬送周波数情報、帯域幅情報、ＣＤＭＡタイミング同期化情報及び符号語情報を含む。ＯＦＤＭ情報１８７２は、ＯＦＤＭタイミング情報と、ドウェル境界情報を含むドウェル情報と、トーン情報と、トーンホッピング情報とを含む。いくつかの実施形態では、ＢＳ１８００は、ＣＤＭＡ通信及びＯＦＤＭ通信１８７２の双方ではなく、どちらか一方を支援し、この場合、ＢＳ１８００は、ＣＤＭＡ情報１８７０またはＯＦＤＭ情報１８７２を含む。
【００５５】
受信機アンテナ切り換え情報１８７４は、受信機アンテナ切り換え制御モジュール１８４０により用いられる切り換え基準、所定の切り換えシーケンス、アンテナ素子使用情報及びアンテナ素子制御情報のような情報を含む。送信機アンテナ切り換え情報１８７６は、送信機アンテナ切り換え制御モジュール１８４２により用いられる切り換え基準、所定の切り換えシーケンス、アンテナ素子使用情報及びアンテナ素子制御情報のような情報を含む。
【００５６】
図１６には、本発明に従って実施されるもう１つ別の例示的な基地局−アクセスノード１９００を示す。ＢＳ１９００を図１３の例示的なＢＳ（１２，１２’）のいずれかにすることができる。ＢＳ１９００は、受信機チェーン／アンテナモジュール１９０２及び送信機チェーン／アンテナモジュール１９０４を含む。受信機チェーン／アンテナモジュール１９０６は受信アンテナ１ １９０６及び受信機チェーン１９０８を含む。受信機チェーンアンテナモジュール１９０６は、同一のＷＴの異なる送信アンテナまたはアンテナ素子からアップリンク信号を受信し、前記信号は異なるトーンサブセットを含み、前記信号は同一のＷＴから同時に送信されたものである。例えば制御可能ベースバンド送信機ユニット１９１４を用いるいくつかの実施形態では、ＢＳ１９００は複数の送信機チェーン／アンテナ（１９０４，１９０４’）を含み、モジュール１９０４は、送信アンテナまたはアンテナ素子１ １９１０に結合されている送信チェーン１ １９１２を含むのに対して、モジュール１９０４’は、送信アンテナまたはアンテナ素子Ｎ １９１０’に結合されている送信チェーンＮ １９１２’を含む。複数の送信機チェーン／アンテナモジュール１９０４，１９０４’を用いれば、異なるアンテナまたはアンテナ素子に同時に送信される周波数またはトーンのサブセットは、本発明に従ってダイバーシティを獲得するのに用いられる。送信機チェーン／アンテナモジュール１ １９０４は、送信チェーン１９１２に結合されている送信アンテナ１９１０を含む。同様に、送信機チェーン／アンテナモジュールＮ １９０４’は、送信機チェーン１９１２’に結合されている送信アンテナ１９１０’を含む。送信機チェーン１９１２，１９１２’は制御可能ベースバンド送信機ユニット１９１４に結合されている。受信機モジュール１９０２、選択的な制御可能ベースバンド送信機ユニット１９１４、プロセッサ１９１６例えばＣＰＵ、Ｉ／Ｏインターフェース１９１８及びメモリ１９２０は、さまざまな素子がデータ及び情報をやり取りできるバス１９２２を介して連結されている。いくつかの実施形態では、制御可能ベースバンド送信機ユニット１９１４を用いず、送信機チェーン／アンテナモジュール１９０４はバス１９２２に結合されている。Ｉ／Ｏインターフェース１９１８はＢＳ１９００をインターネット及び別のネットワークノード例えば、他のＢＳ１９００、ＡＡＡノード、ホームエージェントノード、ルータなどに結合する。メモリ１９２０はルーチン１９２４及びデータ／情報１９２６を含む。
【００５７】
プロセッサ１９１６は、メモリ１９２０内に記憶されている１つ以上のルーチン１９２４の制御下、データ／情報１９２６を用い、本発明の方法に従って基地局１９００を動作させる。ルーチン１９２４は通信ルーチン１９２８及び基地局制御ルーチン１９３０を含む。通信ルーチン１９２８は、ＢＳ１９００により用いられるさまざまな通信プロトコル及び機能を実行する。基地局制御ルーチン１９３０は、基地局１９００が本発明の方法に従って動作するのを確実にする責任がある。
【００５８】
基地局制御ルーチン１９３０はスケジューラモジュール１９３２及びアップリンクチャネルフィードバックモジュール１９３６を含む。いくつかの実施形態では、例えば、制御可能ベースバンド送信機ユニット１９１４及び送信機チェーン／アンテナモジュール１９０４’を含むいくつかの実施形態では、基地局制御ルーチン１９３０は周波数送信分割制御モジュール１９３４をも含む。スケジューラモジュール１９３２例えばスケジューラは、ＷＴへのエアリンク資源例えばアップリンク及びダウンリンク区分をスケジューリングする。
【００５９】
周波数送信分割制御モジュール１９３４は、実施の際、制御可能ベースバンド送信機ユニット１９１４の動作を制御して、送信に用いるため、周波数例えば一連のトーンを分割し、従って、第１トーンサブセットを用いて情報のいくつかを送信機チェーンアンテナモジュール１ １９０４へ送信し、第２トーンサブセットを用いて情報のいくつかを送信機チェーン／アンテナモジュールＮ １９０４’へ送信し、第１及び第２トーンサブセットが少なくとも１トーンだけ互いに異なるようにする。いくつかの実施形態では、３つ以上のアンテナまたはアンテナ素子が同時送信に用いられ、３つ以上のトーンサブセットが同時に送信される。例えば、１つのトーンサブセットは、同時に用いられるべき各アンテナまたはアンテナ素子に対応する。いくつかの実施形態では、異なる送信機チェーン／アンテナと関連する異なるトーンサブセットは互いに排他的である。いくつかの実施形態では、トーンサブセット間で重複する部分がある。本発明によれば、ＢＳ１９００は第１及び第２トーンセットの双方を同時に送信することができる。第１トーンセットは第１通信チャネルによりアンテナ１ １９１０からＷＴへ運ばれ、第２トーンセットは第２通信チャネルによりアンテナＮ １９１０’から同一のＷＴへ運ばれる。周波数分割制御モジュール１９３４は、一連のトーンから複数の異なるトーンサブセットへトーンを割り当てる割り当てサブモジュール１９３８を含む。複数の異なるトーンサブセットは少なくとも第１及び第２トーンサブセットを含み、異なるトーンサブセットの各々は少なくとも１トーンだけ互いに異なる。周波数分割制御モジュール１９３４は、選択されたトーンサブセットの送信を制御する送信サブモジュールをも含む。
【００６０】
割り当てサブモジュール１９３８は、所定切り換えシーケンス情報１９８８、切り換え基準情報１９８６、受信ダウンリンクチャネル報告フィードバック情報１９５８、トーンセット情報１９７０及び／またはホッピング情報１９７２を含むデータ／情報１９２６を用いて、トーンを決定し、トーンサブセット（トーンサブセット１情報−間隔１ １９７４，トーンサブセットＮ−間隔１ １９７６，トーンサブセット１情報−間隔Ｍ １９７８，トーンサブセットＮ情報−間隔Ｍ １９８０）へ割り当てる。また、割り当てサブモジュール１９３８はアンテナ素子制御情報（アンテナ素子１切り換え制御情報１９９２，アンテナ素子Ｎ切り換え制御情報１９９４）を発生し、記憶する。送信サブモジュール１９４０は、トーンサブセット（１９７４，１９７６，１９７８，１９８０）、ＯＦＤＭタイミング情報１９４８及びアンテナ素子切り換え制御情報（１９９２，１９９３）を含むデータ／情報１９２６を用いて、割り当てモジュールの決定を実施し、制御可能ベースバンド送信機ユニット１９１４の動作を制御する。
【００６１】
アップリンクチャネルフィードバックモジュール１９３６は、受信したアップリンク信号送信を推定し、処理して、ＷＴ電力制御情報１９６０及びＡＣＫ／ＮＡＫ情報１９６２を獲得する。アップリンクチャネルフィードバックモジュール１９３６は情報１９６０，１９６２からフィードバックメッセージ１９６４を発生し、これらフィードバックメッセージ１９６４は、その後、ＷＴへ送信されて、ＷＴ送信アンテナ間またはアンテナ素子間でのトーン分割に関する決定を行うのに用いられる。
【００６２】
データ／情報１９２６はＷＴデータ／情報１９４２、アップリンクトーン情報１９４４、ダウンリンクＯＦＤＭトーン情報１９４６及びＯＦＤＭタイミング情報１９４８を含む。いくつかの実施形態、例えば周波数送信分割制御モジュール１９３４を含む実施形態では、データ／情報１９２６は周波数分割情報１９５０をも含む。
【００６３】
ＷＴデータ／情報１９４２は複数のデータ／情報セット（ＷＴ１データ／情報１９５１，ＷＴＮデータ／情報１９５２）を含む。ＷＴ１データ／情報１９５１は、ユーザ／装置／セッション／資源情報１９５３、タイミング同期情報１９５４、アップリンク品質指示フィードバックメッセージ情報１９５６及び受信ダウンリンクチャネルフィードバック報告情報１９５８を含む。ユーザ／装置／セッション／資源情報１９５３は、ユーザ／装置識別情報と、ピアノード識別情報及び経路情報を含むセッション情報と、ＢＳ１９００によりＷＴ１へ割り当てられたアップリンク及びダウンリンク区分を含む資源情報とを含む。
【００６４】
タイミング同期情報１９５４は、例えば遅延伝播を考慮して、ＷＴ１をＢＳ１９００と同期するのに用いられる情報を含む。
【００６５】
アップリンク品質指示フィードバックメッセージ情報１９５６は、アップリンクチャネル品質を示す例えばＷＴ１アップリンク信号の受信電力レベル、ＳＮＲ値、ＷＴ１送信電力調節信号などのようなＷＴ電力制御情報１９６０と、肯定応答／否定応答（ＡＣＫ／ＮＡＫ）信号情報１９６２例えば、１つまたは複数のＷＴ１送信アップリンク信号を受信する際に成功または失敗を知らせる情報と、フィードバックメッセージ、例えば、１９６０及び／または１９６２からの情報を含み、ＷＴ１へ伝達すべきメッセージとを含む。
【００６６】
受信ダウンリンクチャネルフィードバック報告情報１９５８は、ＷＴフィードバック報告からの情報、例えば、受信したパイロット信号に基づいて電力レベルやＳＮＲなどの観点からダウンリンクチャネルの品質について戻された報告からの情報を含む。受信ダウンリンクチャネルフィードバック報告情報は、ダウンリンク信号例えばダウンリンクトラフィックチャネル信号に応答してＷＴ１により伝達されたＡＣＫ／ＮＡＫ信号情報をも含む。いくつかの実施形態では、情報１９５８は、トーン分割に関する決定を行う際に周波数分割制御モジュール１９３４内の割り当てサブモジュール１９３８により用いられる。
【００６７】
アップリンクトーン情報１９４４は、トーンセット情報１９４４、例えば、ＷＴからＢＳ１９００へのアップリンク信号送信に用いられる一連のトーンと、ホッピングシーケンス情報、例えば、ＷＴにより用いられ、ホッピングがドウェル間で変化するアップリンクホッピングシーケンスとを含む。
【００６８】
ダウンリンクＯＦＤＭトーン情報１９４６は、トーンセット情報１９７０、例えば、ＢＳによるダウンリンク信号送信に用いられる一連のトーンと、ホッピング情報１９７２、例えば、ＯＦＤＭシンボル時間に基づいてトーンのマッピングを変更するダウンリンクホッピングシーケンスを含む。いくつかの実施形態、例えば周波数送信分割制御モジュール１９３４を含む実施形態では、ＯＦＤＭトーン情報１９４６は、複数のトーンサブセット（トーンサブセット１情報−間隔１ １９７４，トーンサブセットＮ情報−間隔１ １９７６，トーンサブセット１情報−間隔Ｍ １９７８，トーンサブセットＮ情報−間隔Ｍ １９８０）をも含む。各トーンサブセットの情報（１９７４，１９７６）は異なる送信機チェーン／アンテナ（１９０４，１９０４’）と関連付けられ、トーンサブセット（１９７４，１９７６）は本発明に従って同時に送信される。同様に、各トーンサブセットの情報（１９７８，１９８０）は異なる送信機チェーン／アンテナ（１９０４，１９０４’）と関連付けられ、トーンサブセット（１９７８，１９８０）は本発明に従って同時に送信される。トーンの重み付け、例えば、各サブセットと関連付けられたトーン数は時間に応じて変更することができる。例えば、間隔１の間、送信機チェーン／アンテナ１と関連付けられたトーンサブセット１は６個のトーンを用いることができ、送信機チェーン２／アンテナ２と関連付けられたトーンサブセット２は６個のトーンを用いることができる。しかし、連続する次の間隔の間、送信機チェーン／アンテナ１と関連付けられたトーンサブセット１は７個のトーンを用いることができ、送信機チェーン２／アンテナ２と関連付けられたトーンサブセット２は５個のトーンを用いることができる。更に、ＯＦＤＭシンボル送信時間間隔ごとに、ダウンリンクトーンホッピングシーケンスに従って一連のトーンをホッピングさせることができる。
【００６９】
ＯＦＤＭタイミング情報１９４８はシンボルタイミング情報１９８２及びドウェル情報１９８４を含む。シンボルタイミング情報１９８２は、同時に送信される複数のトーンを含む１つのＯＦＤＭシンボルの送信を規定するタイミングを含む。ドウェル情報１９８４は、連続するＯＦＤＭシンボルの数例えば７を識別する情報を含む。この場合、論理的なトーンから物理的なトーンへのアップリンクトーンのマッピングはドウェルの継続期間中には変化せず、トーンはドウェルごとに異なってホッピングされる。ドウェル情報１９８４は、ドウェル境界を識別する情報をも含む。
【００７０】
いくつかの実施形態では、周波数分割は所定に基づく。例えば、トーンは複数の送信機チェーン／アンテナモジュール（１９０４，１９０４’）の間で、例えば、物理的なインデックス番号に対して交互に換わるシーケンスに分割される。他の実施形態では、異なる送信機チェーン／アンテナモジュール（１９０４，１９０４’）の間での重み付けは、受信ダウンリンクチャネルフィードバック報告情報１９５８と周波数分割情報１９５０内の切り換え基準情報１９８６に応じて変化する。例えば、ＢＳ１９００が第１及び第２の送信機チェーン／アンテナモジュール１９０４及び１９０４’を含み、チャネル品質がほぼ等価なものであるということ、例えば、チャネル品質の差が第１の基準レベルよりも下であるということをフィードバック情報が示せば、２つのモジュール１９０４，１９０４’の間で均一にトーンを分割することができる。しかし、送信機チェーン／アンテナモジュール１９０４に対応するチャネル品質が、送信機モジュール１９０４’に対応するチャネル品質よりも著しく良好であるということを同一の例示的なＢＳ１９００が決定し、その上、双方のチャネルのチャネル品質がフィードバック情報と第２及び第３の基準レベルの比較とに基づいて依然として容認することができれば、周波数分割制御モジュール１９３４は、多くのトーン例えばモジュール１９０４’の２倍のトーンをモジュール１９０４に与えるように制御ベースバンド送信機ユニット１９１４を制御することができる。
【００７１】
周波数分割情報１９５０は、切り換え基準情報１９８６、所定切り換えシーケンス情報１９８８、アンテナ素子使用情報１９９０及び複数のアンテナ素子切り換え制御情報セット（アンテナ素子１切り換え制御情報１９９２，アンテナ素子Ｎ切り換え制御情報１９９４）を含む。切り換え基準情報１９８６は、さまざまな送信機チェーン／アンテナ（１９０４，１９０４’）の間で分割されたトーンのバランスを変えるかどうか、また、いつ変えるか、そして、どこまで変えるかを決定する際、受信ダウンリンクチャネルフィードバック報告情報１９５８に含まれるか、あるいは、そこから派生されるアンテナ素子フィードバック情報を評価するため、割り当てサブモジュール１９３８により用いられるしきい値限界を含む。所定切り換えシーケンス情報１９８８は、割り当てサブモジュール１９３８により選択できる複数の所定シーケンスを含む。例えば、第１所定シーケンスは、例えば各ＯＦＤＭシンボル送信期間または、ある一定数のＯＦＤＭシンボル送信期間に、（ｉ）第１送信機チェーン／アンテナと第２送信機チェーン／アンテナとの間におけるアップリンクトーンの５０対５０分割と、（ｉｉ）第１送信機チェーン／アンテナと第２送信機チェーン／アンテナとの間におけるアップリンクトーンの６０対４０分割とに交互に換わることができる。第２所定シーケンスは、（ｉ）第１送信機チェーン／アンテナと第２送信機チェーン／アンテナとの間におけるアップリンクトーンの５０対５０分割と、（ｉｉ）第１送信機チェーン／アンテナと第２送信機チェーン／アンテナとの間におけるアップリンクトーンの４０対６０分割とに交互に換わることができる。いくつかの実施形態では、ＢＳ１９００は、フィードバック情報に応じて変化しない所定切り換えシーケンス、例えば、長期にわたって送信機チェーン／アンテナ（１９０４，１９０４’）の間で、等しい周波数分割、あるいはほぼ等しい周波数分割をもたらす一定の所定シーケンスに従う必要がある。アンテナ素子使用情報１９９０は、例えば、異なる送信アンテナ素子にわたって同時に送信される一連のトーンに対する、または、他のトーンサブセットに対する割り当てられたトーンサブセットのトーン数の観点から、各アンテナ素子（１９１０，１９１０’）の使用を識別する情報を含む。アンテナ素子切り換え制御情報（アンテナ素子１切り換え制御情報１９９２，アンテナ素子Ｎ切り換え制御情報１９９４）は、アンテナ素子（１，Ｎ）とそれぞれ関連して割り当てられたトーンのトーン数、インデックスまたは周波数のような情報を含む。情報１９９２，１９９４は制御可能ベースバンド送信機ユニット１９１４により用いられる。
【００７２】
図１７には、本発明に従って実施される例示的な無線端末（ＷＴ）１５００例えば移動ノード（ＭＮ）を示す。例示的なＷＴ１５００は、本発明に従って複数の送信アンテナまたはアンテナ素子を、ドウェル境界間ではなく、ドウェル境界上で切り換えることができる。ＭＮ１５００を図１３の例示的なＭＮ（１４，１６，１４’，１６’）のいずれかにすることができる。例示的なＷＴ１５００を図１４の例示的なＢＳ１４００と共に用いることができる。移動ノード１５００を移動端末（ＭＴ）として用いることができる。移動ノード１５００は、図８及び３にそれぞれ示すように実施できる受信機チェーン／アンテナモジュール１５０２及び送信機チェーン／アンテナモジュール１５０４を含む。本発明に従ってダイバーシティを獲得するため、単一送信機チェーン１５１８及び送信アンテナ切り換えが用いられる。受信機チェーン／アンテナモジュール１５０２は受信アンテナ１ １５０６及び受信チェーン１５１０を含む。いくつかの実施形態では、受信機チェーン／アンテナモジュール１５０２は複数のアンテナまたは複数のアンテナ素子（受信アンテナ１ １５０６，受信アンテナＮ １５０８）を含み、受信機チェーン１５１０は制御可能な切り換えモジュール１５１２例えば切り換え回路を含む。送信機チェーン／アンテナモジュール１５０４は複数のアンテナまたは複数のアンテナ素子（送信アンテナ１ １５１４，送信アンテナＮ １５１６）と、制御可能なドウェル境界切り換えモジュール１５２０を含む単一送信機チェーン１５１８とを含む。いくつかの実施形態では、複数の送信アンテナまたはアンテナ素子（１５１４，１５１６）は異なる方向に定められている。いくつかの実施形態では、異なる通信経路がアンテナまたはアンテナ素子と基地局との間に存在するように、複数の異なるアンテナまたはアンテナ素子（１５１４，１５１６）が離間されている。いくつかの実施形態では、アンテナまたはアンテナ素子間の間隔は、アンテナまたはアンテナ素子から送信される最も低い周波数トーンの波長の少なくとも１／４である。受信機モジュール１５０２、送信機モジュール１５０４、プロセッサ１５２２例えばＣＰＵ、ユーザＩ／Ｏ装置１５２４及びメモリ１５２６は、さまざまな素子がデータ及び情報をやり取りできるバス１５２８を介して連結されている。メモリ１５２６はルーチン１５３０及びデータ／情報１５３２を含む。
【００７３】
受信機チェーン／アンテナモジュール１５０２は、アップリンク信号の品質を示す品質指示信号のようなフィードバック信号を含む基地局からのダウンリンク信号を受信する。送信機チェーン／アンテナモジュール１５０４は、本発明に従って、いかなる所定のドウェル中にも、いずれか１つが単一送信機チェーン１５１８に結合される複数の送信アンテナまたはアンテナ素子（１５１４，１５１６）を用いて、基地局へのアップリンクトラフィックチャネル信号を含むアップリンク信号を送信する。
【００７４】
プロセッサ１５２２はルーチン１５３０を実行し、メモリ１５２６内のデータ／情報１５３２を用いてＷＴ１５００の動作を制御し、本発明の方法を実施する。ＷＴ１５００のユーザは、ユーザＩ／Ｏ装置１５２４例えば、表示装置、スピーカ、マイクロホン、キーボード、キーパッド、マウスなどにより、ピアノードを対象としてユーザデータ及び情報を入力し、ピアノードからユーザデータ及び情報を出力することができる。
【００７５】
ルーチン１５３０は通信ルーチン１５３４及び移動ノード制御ルーチン１５３６を含む。移動ノード制御ルーチン１５３６は送信機アンテナ切り換え制御モジュール１５３８及びアップリンクチャネルフィードバックモジュール１５４０を含む。いくつかの実施形態、例えば、複数の受信機アンテナ１５０６，１５０８及び切り換えモジュール１５１２を含む実施形態では、移動ノード制御ルーチン１５３６は受信機アンテナ切り換え制御モジュール１５４２を含む。
【００７６】
データ／情報１５３２は、ユーザ／装置／資源情報１５４４と、基地局から得られたアップリンクチャネル状態フィードバック情報１５４６と、ドウェル情報１５４８とを含む。ユーザ／装置／セッション／資源情報１５４４は、ＷＴ１５００とピアノードとの間の通信セッションに関する情報例えば経路情報、識別情報、割り当てトラフィックチャネル区分情報などを含む。
【００７７】
基地局からのアップリンクチャネル状態フィードバック情報１５４６は受信品質指示信号情報１５５０及び複数のアンテナフィードバック情報セット（アンテナ素子１フィードバック情報１５５６，アンテナ素子Ｎフィードバック情報１５５８）を含む。ＷＴ１５００からの基地局受信アップリンク信号は、受信したアップリンク信号の品質を決定し、受信した品質を表すフィードバック信号をＷＴ１５００へ送信する。受信品質指示信号情報１５５０は、これらフィードバック信号内に運ばれる情報であり、送信電力制御信号情報１５５２及び送信確認応答信号情報１５５４を含む。送信電力制御信号情報１５５２は、電力レベル、相対電力レベル、信号対雑音比、及び、命じられた電力レベル変更を表す情報を含むことができる。送信確認応答信号情報１５５４は、送信された１つまたは複数のアップリンク信号を受信する際に成功または失敗を知らせる情報、例えば、ＡＣＫ／ＮＡＫにより表されるような情報、または、ＡＣＫ／ＮＡＫに関する統計情報を含むことができる。
【００７８】
基地局は、ＷＴ１５００が複数の送信アンテナを切り換えること、及び／または、ＷＴ１５００が切り換える時を知る必要がなく、いくつかの実施形態では、基地局はこのことを知らない。ＷＴ１５００は、特定のドウェルに対してＷＴ１５００のどのＷＴ送信アンテナ（１５１４，１５１６）が用いられるかについての知識を利用し、受信したフィードバック情報例えば、受信したＡＣＫ／ＮＡＫを特定のアンテナと関連付け、従って、アンテナによるフィードバック情報セット（アンテナ素子１フィードバック情報１５５６，アンテナ素子Ｎフィードバック情報１５５８）を形成及び維持することができる。基地局が、ＷＴ１５００により用いられる異なる送信アンテナ（１５１４，１５１６）の知識を有するいくつかの実施形態では、ＷＴ１５００が関連付けを実行する必要なしに、ＢＳは異なるフィードバック情報セットを維持し、これらフィードバック情報セットをＷＴ１５００へ伝達して、アンテナ素子フィードバックセット（アンテナ素子１フィードバック情報１５５６，アンテナ素子Ｎフィードバック情報１５５８）として記憶することができる。
【００７９】
ドウェル情報１５４８は、ドウェル特性情報１５６０及びドウェル切り換え情報１５６２を含む。ドウェル特性情報は、１ドウェル当たりのＯＦＤＭシンボル送信期間の指定された数１５６４例えば７、ドウェル境界情報１５６６、トーン情報１５６８及びトーンホッピングシーケンス情報１５７４を含む。ドウェル境界情報１５６６は、あるドウェルが終了し、次のドウェルが開始する時を識別するためにＷＴ１５００により用いられるタイミング情報を含み、ドウェル境界情報１５６６は、ドウェル境界間ではなく、少なくともいくつかのドウェル境界上でアンテナ切り換えを行うように送信アンテナ（１５１４，１５１６）の切り換えを制御するのに用いられる。トーン情報１５６８はドウェルインデックスＮ情報１５７０及びドウェルインデックスＮ＋１情報１５７２を含む。ドウェルインデックスＮ情報１５７０は、第１ドウェル中にアップリンク信号を基地局へ送信するためにＷＴ１５００により用いられる一連のトーンを含むのに対して、ドウェルＮ＋１情報１５７２は、第１ドウェルの後に直接連続するドウェルである第２ドウェル中にアップリンク信号を基地局へ送信するためにＷＴ１５００により用いられる一連のトーンを含む。トーンホッピングシーケンス情報１５７４は、アップリンク信号送信の際にＷＴ１５００により用いられるための論理的なトーンから物理的なトーンへのホッピングシーケンスを規定する情報を含み、従って、ドウェルインデックスＮ情報１５７０及びドウェルインデックスＮ＋１情報１５７２を決定するのに用いられる。
【００８０】
ドウェル切り換え情報１５６２は切り換え基準情報１５７６、所定切り換えシーケンス情報１５７８、アンテナ素子使用情報１５８０及び複数のアンテナ切り換え制御情報セット（アンテナ素子１切り換え制御情報１５８２，アンテナ素子Ｎ切り換え制御情報１５８４）を含む。切り換え基準情報１５７６は、送信アンテナ（１５１４，１５１６）間のドウェル境界切り換えを決定するのに用いられる方法及び限度を識別する情報を含む。例えば、切り換え基準情報１５７６は、受信したフィードバック品質レベルに適用されて切り換えを決定するしきい値限界を含むことができる。例えば、ある基準を、あるアンテナに対応するＮＡＫ／ＡＣＫの割合値とすることができ、この割合値を超えれば、異なるアンテナ素子への移行を生じさせる。あるいは、所定の時間または所定数のドウェル中、第２送信アンテナに割り当てられたドウェル数に対する、第１アンテナに割り当てられたドウェル数の割合を変えるため、ある基準が用いられる。所定切り換えシーケンス情報１５７８は、使用できる所定のドウェル境界切り換えシーケンスを識別する情報を含む。例えば、例示的なシーケンスは、一定数の連続するドウェル中、単一送信チェーン１５１８をアンテナの１つ例えばアンテナ１５１４に結合し、次に、別の送信アンテナ例えばアンテナ１５１６に切り換え、同一数の連続するドウェル中、ここに留まり、その後、この過程を繰り返して、送信アンテナ（１５１４，１５１６）の各々の間で交互に換わり、結果として、等しい送信アンテナの使用を生じさせることができる。送信アンテナの使用が各アンテナ間で等しくなるこの方法を３つ以上のアンテナに対して拡張させることができる。いくつかの実施形態では、一定の所定切り換えシーケンスについて動作する場合、ドウェル境界切り換えを実行する際、受信品質指示信号情報１５５０はＷＴ１５００により必要とされず、または用いられない。例えば、ＷＴ１５００は、異なるアンテナ（１５１４，１５１６）間のチャネル品質の変動にかかわらず、所定のドウェル境界切り換えシーケンスに従う。他の実施形態では、所定切り換えシーケンスは、ＢＳからのアップリンクチャネル状態フィードバック情報１５４６と共に用いられる。例えば、情報１５７８からの異なる所定切り換えシーケンスを品質フィードバック情報に基づいて、例えば、ある送信アンテナを支持するか、ある送信アンテナを受け付けない特定の所定シーケンスを選択することができる。あるいはまた、いくつかの実施形態では、所定切り換えシーケンスは、異なるチャネル品質を評価するため、最初に、及び／または断続的に用いられ、その後、ドウェル境界切り換えはアップリンクチャネル品質フィードバック情報に基づく。いくつかの実施形態では、所定切り換えシーケンスは用いられず、ドウェル境界切り換えはアップリンクチャネル品質に応じて実行される。アンテナ使用情報１５８０は、例えば、他の送信アンテナに対する時間及び／またはドウェル数の観点から、送信アンテナ（１５１４，１５１６）の各々の現在の使用を識別する情報と、実行すべきアンテナ使用の変化を識別する情報とを含む。
【００８１】
異なる切り換え制御情報セット（アンテナ素子１切り換え制御情報１５８２，アンテナ素子Ｎ切り換え制御情報１５８４）は、異なるアンテナフィードバック情報セット（アンテナ素子１フィードバック情報１５５６，アンテナ素子Ｎフィードバック情報１５５８）に対応してＷＴ１５００により維持される。
【００８２】
いくつかの実施形態では、本発明に従って生成された複数のチャネルから１つ以上のチャネルを選択し、選択した１つ以上のチャネルが、他のチャネルよりも高いチャネル品質を有し、選択した１つ以上のチャネルを、低いチャネル品質を有する他のチャネルよりも多く用いられるようにするため、上述したデータ／情報１５３２を用いることができる。
【００８３】
通信ルーチン１５３４は、ＷＴ１５００により用いられるさまざまな通信プロトコルを実施する。移動ノード制御ルーチン１５３６は、受信機モジュール１５０２、送信機モジュール１５０４及びユーザＩ／Ｏ装置１５２４の動作を含むＷＴ機能を制御し、本発明の方法を実施し、本発明の方法は、アップリンク信号送信を表すフィードバック情報を処理することと、本発明に従って、異なるアンテナ間またはアンテナ素子（１５１４，１５１６）間で単一送信機チェーン１５１８のドウェル境界切り換えを実施及び制御することとを含む。
【００８４】
送信機アンテナ切り換え制御モジュール１５３８はデータ／情報１５３２を用いて、アンテナ使用、シーケンス、シーケンスの変化及び、品質フィードバック情報による変化に関する決定を行うことを含むドウェル境界切り換え方法を実施する。例えば、アンテナ１ １５１４に対応するチャネル品質が、アンテナＮ １５１６に対応するチャネル品質よりも高いことがＷＴ１５００により決定された場合、いくつかの実施形態では、送信機アンテナ切り換え制御モジュール１５３８は、４つの連続するドウェルのうち３つのドウェルに対してアンテナ１ １５１４を用い、１つのドウェルに対してアンテナＮ １５１６を用いるように選択することができる。また、送信機アンテナ切り換え制御モジュール１５３８は、切り換え決定を行うため、例えば制御選択信号を介してドウェル境界切り換えモジュール１５２０の動作を制御する。
【００８５】
アップリンクチャネルフィードバックモジュール１５４０は、送信電力制御信号情報１５５２及び／または送信確認応答信号情報１５５４を取り出す受信フィードバック信号の処理を制御する。アップリンクチャネルフィードバックモジュール１５４０は、どのドウェルがどのＷＴ送信アンテナと関連するかという知識を用いて受信フィードバック情報１５５０を、異なるアンテナと関連する情報セット（アンテナ素子１フィードバック情報１５５６，アンテナ素子Ｎフィードバック情報１５５８）に分離することもできる。アップリンクチャネルフィードバックモジュール１５４０から得られた出力情報を、ドウェル切り換え決定に至る際に用いられる送信機アンテナ切り換え制御モジュール１５３８による入力として用いることができる。
【００８６】
選択的な受信機アンテナ切り換え制御モジュール１５４２は、実施の際、どの時点においても複数の受信アンテナまたはアンテナ素子（１５０６，１５０８）のうちの１つを単一の受信チェーン１５１０に接続するように受信チェーン切り換え制御モジュール１５１２の切り換えを制御するのに用いられる。受信機アンテナ切り換え制御モジュール１５４２は制御選択信号を切り換えモジュール１５１２へ送信してアンテナ選択を制御する。受信機アンテナ切り換え制御モジュール１５４２はアンテナ１５０６，１５０８間を切り換えることにより受信ダイバーシティを行うことができる。切り換え決定方法例えば、アンテナ（１５０６，１５０８）間の周期的な切り換え、及び／または、受信したダウンリンク信号の品質に基づく切り換え、例えば、各チャネルを検査し、最上の品質のダウンリンクチャネルを生じさせるアンテナの確定に関してさまざまな実施形態が実現可能である。
【００８７】
図１８には、本発明に従って実施されるもう１つの例示的な無線端末（ＷＴ）１６００例えば移動ノード（ＭＮ）を示す。例示的なＷＴ１６００は、本発明に従って複数の送信アンテナ間またはアンテナ素子間を、信号境界間ではなく、基地局チャネル推定信号境界に対応する信号境界上で切り換えることができる。ＭＮ１６００を図１３の例示的なＭＮ（１４，１６，１４’，１６’）のいずれかにすることができる。例示的なＷＴ１６００を図１５の例示的なＢＳ１８００と共に用いることができる。移動ノード１６００を移動端末（ＭＴ）として用いることができる。移動ノード１６００は受信機チェーン／アンテナモジュール１６０２及び送信機チェーン／アンテナモジュール１６０４を含む。受信機／アンテナモジュール１８０２を、図８に示す受信チェーン及び複数の受信アンテナに類似または同様に実施することができる。図３に示す送信チェーン及び複数の送信アンテナに類似するが、チャネル推定境界情報及び／またはアップリンクチャネル推定フィードバック情報に応じて切り換え制御を行う送信機／アンテナモジュール１８０４を実施することができる。単一送信機チェーン１６１８及び送信アンテナ切り換えは、本発明に従ってダイバーシティを獲得するのに用いられる。受信機チェーン／アンテナモジュール１６０２は受信アンテナ１ １６０６及び受信チェーン１６１０を含む。いくつかの実施形態では、受信機チェーン／アンテナモジュール１６０２は複数のアンテナまたは複数のアンテナ素子（受信アンテナ１ １６０６，．．．，受信アンテナＮ １６０８）を含み、受信チェーン１６１０は制御可能な切り換えモジュール１６１２例えば切り換え回路を含む。送信機チェーン／アンテナモジュール１６０４は複数のアンテナまたは複数のアンテナ素子（送信アンテナ１ １６１４，．．．，送信アンテナＮ １６１６）を含み、単一送信機チェーン１６１８は制御可能なチャネル推定境界切り換えモジュール１６２０を含む。いくつかの実施形態では、複数の送信アンテナまたはアンテナ素子（１６１４，１６１６）は異なる方向に定められている。いくつかの実施形態では、異なる通信経路がアンテナまたはアンテナ素子と基地局との間に存在するように、複数の異なるアンテナまたはアンテナ素子（１６１４，１６１６）が離間されている。いくつかの実施形態では、アンテナ間またはアンテナ素子間の間隔は、アンテナまたはアンテナ素子から送信される最も低い周波数トーンの波長の少なくとも１／４である。受信機モジュール１６０２、送信機モジュール１６０４、プロセッサ１６２２例えばＣＰＵ，ユーザＩ／Ｏ装置１６２４及びメモリ１６２６は、さまざまな素子がデータ及び情報をやり取りできるバス１６２８を介して連結されている。メモリ１６２６はルーチン１６３０及びデータ／情報１６３２を含む。
【００８８】
受信機チェーン／アンテナモジュール１６０２は、アップリンク信号の品質を示す品質指示信号のようなフィードバック信号を含む基地局からのダウンリンク信号を受信する。送信機チェーン／アンテナモジュール１６０４は、本発明に従って、いかなる所定の時間にも、いずれか１つが単一送信機チェーン１６１８に結合される複数の送信アンテナまたはアンテナ素子（１６１４，１６１６）を用いて、基地局へのアップリンクトラフィックチャネル信号を含むアップリンク信号を送信する。
【００８９】
プロセッサ１６２２はルーチン１６３０を実行し、メモリ１６２６内のデータ／情報１６３２を用いてＷＴ１６００の動作を制御し、本発明の方法を実施する。ＷＴ１６００のユーザは、ユーザＩ／Ｏ装置１６２４例えば、表示装置、スピーカ、マイクロホン、キーボード、キーパッド、マウスなどにより、ピアノードを対象としてユーザデータ及び情報を入力し、ピアノードからユーザデータ及び情報を出力することができる。
【００９０】
ルーチン１６３０は通信ルーチン１６３４及び移動ノード制御ルーチン１６３６を含む。移動ノード制御ルーチン１６３６は送信機アンテナ切り換え制御モジュール１６３８及びアップリンクチャネルフィードバックモジュール１６４０を含む。いくつかの実施形態、例えば、複数の受信機アンテナ１６０６，１６０８及び切り換えモジュール１６１２を含む実施形態では、移動ノード制御ルーチン１６３６は受信機アンテナ切り換え制御モジュール１６４２をも含む。
【００９１】
データ／情報１６３２は、ユーザ／装置／セッション／資源情報１６４４と、基地局から得られたアップリンクチャネル状態フィードバック情報１６４６と、チャネル推定間隔情報１６４８と、チャネル推定境界切り換え情報１６５０とを含む。ユーザ／装置／セッション／資源情報１６４４は、ＷＴ１６００とピアノードとの間の通信セッションに関する情報例えば経路情報、識別情報、割り当てトラフィックチャネル区分情報などを含む。
【００９２】
基地局からのアップリンクチャネル状態フィードバック情報１６４６は受信品質指示信号情報１６５２及び複数のアンテナフィードバック情報セット（アンテナ素子１フィードバック情報１６５８，アンテナ素子Ｎフィードバック情報１６６０）を含む。ＷＴ１６００からの基地局受信アップリンク信号は、受信したアップリンク信号の品質を決定し、受信した品質を表すフィードバック信号をＷＴへ送信する。受信品質指示信号情報１６５２は、これらフィードバック信号内に運ばれる情報であり、送信電力制御信号情報１６５４及び送信確認応答信号情報１６５６を含む。送信電力制御信号情報１６５４は、電力レベル、相対電力レベル、信号対雑音比、及び、命じられた電力レベル変更を表す情報を含むことができる。送信確認応答信号情報１６５６は、送信された１つまたは複数のアップリンク信号を受信する際に成功または失敗を知らせる情報、例えば、ＡＣＫ／ＮＡＫにより表されるような情報、または、ＡＣＫ／ＮＡＫに関する統計情報を含むことができる。
【００９３】
基地局は、ＷＴ１６００が複数の送信アンテナを切り換えること、及び／または、ＷＴ１６００が切り換える時を知る必要がなく、いくつかの実施形態では、基地局はこのことを知らない。しかし、ＷＴ１６００は、基地局により用いられているチャネル推定間隔を追跡し、送信アンテナの切り換えが生じる時、チャネル推定境界上で生じる。例えば、基地局は、所定の期間中、１つのチャネル推定値を実行し、次に、このチャネル推定値を再初期化し、再始動することができる。ＷＴ１６００は、アンテナを切り換えるための再初期化時点に対応する時間を選択することができる。ＷＴ１６００は、チャネル推定値に対応する間隔に対してＷＴ１６００のどのＷＴ送信アンテナ（１６１４，１６１６）が用いられるかについての知識を利用し、受信したフィードバック情報例えば、受信したＡＣＫ／ＮＡＫを特定のアンテナと関連付け、従って、アンテナによるフィードバック情報セット（アンテナ素子１フィードバック情報１６５８，アンテナ素子Ｎフィードバック情報１６６０）を形成及び維持することができる。いくつかの実施形態では、基地局は、異なる進行中のチャネル品質推定値、例えば、各送信アンテナ（１６１４，１６１６）に対応するチャネル品質推定値を維持し、基地局は、これら進行中のチャネル推定値をＷＴ送信アンテナ切り換えと協調して交互に換える。この実施形態は、ＷＴ１６００が一定数の送信アンテナ（１６１４，１６１６）と共に所定の周期的なシーケンスで、例えば、各アンテナ間で一様な使用を用いて動作する場合に有益である。基地局が、ＷＴ１６００により用いられる異なる送信アンテナ（１６１４，１６１６）の知識を有するいくつかの実施形態では、ＷＴ１６００が関連付けを実行する必要なしに、ＢＳは異なるフィードバック情報セットを維持し、これらフィードバック情報セットをＷＴ１６００へ伝達して、アンテナ素子フィードバックセット（アンテナ素子１フィードバック情報１６５８，アンテナ素子Ｎフィードバック情報１６６０）として記憶することができる。
【００９４】
チャネル推定間隔情報１６４８は、基地局チャネル推定境界に対応するタイミング情報１６６２と、信号種類情報１６６４とを含む。タイミング情報１６６２は、チャネル推定境界に対応する時点でアンテナ切り換えを制御できるように基地局アップリンク信号チャネル推定周期及び間隔をＷＴタイミングに関連付けて、２つの異なる送信アンテナ（１６１４，１６１６）からのアップリンク信号の混合による基地局チャネル推定値の間違いを防止するのに役立つ。信号種類情報は種類選択１６６６、符号分割多重アクセス（ＣＤＭＡ）情報１６６８及び直交周波数分割多重化（ＯＦＤＭ）情報１６７０を含む。種類選択１６６６は、ＷＴ１６００と基地局との間で用いる通信信号送信の種類のユーザまたはサービスプロバイダ選択、例えば、ＣＤＭＡ信号送信またはＯＦＤＭ信号送信を含む。選択に応じて、異なる回路がＷＴ１６００内で起動される。ＣＤＭＡ情報１６６８は、用いられる搬送周波数と、帯域幅と、用いられる符号語と、チャネル推定間隔時間とを含む。ＯＦＤＭ情報１６７０は、連続するＯＦＤＭシンボル送信期間の数により規定されたドウェル間隔を識別する情報と、ドウェル境界を識別する情報と、所定のドウェル中に用いられるトーンを含むトーン情報と、トーンホッピングシーケンス情報とを含むことができる。いくつかの実施形態では、ＷＴ１６００は、一種類の信号送信を支援し、他を支援しない。この場合、ＷＴ１６００は情報１６６８または１６７０の一方を含む。
【００９５】
チャネル推定境界切り換え情報１６５０は、切り換え基準情報１６７２、所定切り換えシーケンス情報１６７４、アンテナ素子使用情報１６７６及び複数のアンテナ切り換え制御情報セット（アンテナ素子１切り換え制御情報１６７８，アンテナ素子Ｎ切り換え制御情報１６８０）を含む。切り換え基準情報１６７２は、送信アンテナ（１６１４，１６１６）間のチャネル境界切り換えを決定するのに用いられる方法及び限度を識別する情報を含む。例えば、切り換え基準情報１６７２は、受信したフィードバック品質レベルに適用されて切り換えを決定するしきい値限界を含むことができる。例えば、１つの基準を、フィルタリングされたＳＮＲの最小値とすることができ、この最小値を超えると、異なるアンテナ素子への移行を生じさせる。所定切り換えシーケンス情報１６７４は、使用できる所定のチャネル推定境界切り換えシーケンスを識別する情報を含む。例えば、例示的なシーケンスは、一定数の連続するチャネル推定値の間、単一送信チェーン１６１８をアンテナの１つ例えばアンテナ１６１４に結合し、次に、別の送信アンテナ例えばアンテナ１６１６に切り換え、同一数の連続するチャネル推定値の間、ここに留まり、その後、この過程を繰り返して、送信アンテナ（１６１４，１６１６）の各々の間で交互に換わり、結果として、等しい送信アンテナの使用を生じさせることができる。送信アンテナの使用が各アンテナ間で等しくなるこの方法を３つ以上のアンテナに対して拡張させることができる。いくつかの実施形態では、一定の所定切り換えシーケンスについて動作する場合、チャネル推定境界切り換えを実行する際、受信品質指示信号情報１６５２はＷＴ１６００により必要とされず、または用いられない。例えば、ＷＴ１６００は、異なるアンテナ（１６１４，１６１６）間のチャネル品質の変動にかかわらず、所定のチャネル推定境界切り換えシーケンスに従う。しかし、ＷＴ１６００は、アップリンク信号送信で基地局により実行されるチャネル推定値と、切り換え点との間のタイミング同期を維持する必要がある。他の実施形態では、所定切り換えシーケンスは、ＢＳからのアップリンクチャネル状態フィードバック情報１６４６と共に用いられる。例えば、情報１６７４からの異なる所定切り換えシーケンスを品質フィードバック情報に基づいて、例えば、ある送信アンテナを支持するか、ある送信アンテナを受け付けない特定の所定シーケンスを選択することができる。あるいはまた、いくつかの実施形態では、所定切り換えシーケンスは、異なるチャネル品質を評価するため、最初に、及び／または断続的に用いられ、その後、チャネル境界切り換えはアップリンクチャネル品質フィードバック情報に基づく。いくつかの実施形態では、所定切り換えシーケンスは用いられず、チャネル境界切り換えはアップリンクチャネル品質に応じて実行される。アンテナ使用情報１６７６は、例えば、他の送信アンテナに対する時間またはデューティサイクルの観点から、送信アンテナ（１６１４，１６１６）の各々の現在の使用を識別する情報と、実行すべきアンテナ使用の変化を識別する情報とを含む。
【００９６】
異なる切り換え制御情報セット（アンテナ素子１切り換え制御情報１６７８，アンテナ素子Ｎ切り換え制御情報１６８０）は、異なるアンテナフィードバック情報セット（アンテナ素子１フィードバック情報１６５８，アンテナ素子Ｎフィードバック情報１６８０）に対応してＷＴ１６００により維持される。
【００９７】
通信ルーチン１６３４は、ＷＴ１６００により用いられるさまざまな通信プロトコルを実施する。移動ノード制御ルーチン１６３６は、受信機モジュール１６０２、送信機モジュール１６０４及びユーザＩ／Ｏ装置１６２４の動作を含むＷＴ機能を制御し、本発明の方法を実施し、本発明の方法は、アップリンク信号送信を表すフィードバック情報を処理することと、本発明に従って、異なるアンテナ間またはアンテナ素子（１６１４，１６１６）間で単一送信機チェーン１６１８のチャネル推定境界切り換えを実施及び制御することとを含む。
【００９８】
送信機アンテナ切り換え制御モジュール１６３８はデータ／情報１６３２を用いて、アンテナ使用、シーケンス、シーケンスの変化及び、品質フィードバック情報による変化に関する決定を行うことを含むチャネル推定境界切り換え方法を実施する。送信機アンテナ切り換え制御モジュール１６３８は、切り換え決定を行うため、例えば制御選択信号を介してチャネル推定境界切り換えモジュール１６１８の動作を制御する。アップリンクチャネルフィードバックモジュール１６４０は、送信電力制御信号情報１６５４及び／または送信確認応答信号情報１６５６を取り出す受信フィードバック信号の処理を制御する。アップリンクチャネルフィードバックモジュール１６４０は、どのチャネル推定値がどのＷＴ送信アンテナと関連するかという知識を用いて受信フィードバック情報１６５２を、異なるアンテナと関連する情報セット（アンテナ素子１フィードバック情報１６５８，アンテナ素子Ｎフィードバック情報１６６０）に分離することもできる。いくつかの実施形態では、基地局は、アンテナ（１６１４，１６１６）の各々に対する異なるチャネル推定報告をＷＴ１６００に伝達し、アップリンクチャネルフィードバックモジュールは、このような情報を適切なフィードバック情報セット（１６５８，１６６０）内に記憶することができる。アップリンクチャネルフィードバックモジュール１６４０から得られた出力情報を、チャネル推定境界切り換え決定に至る際に用いられる送信機アンテナ切り換え制御モジュール１６３８による入力として用いることができる。
【００９９】
選択的な受信機アンテナ切り換え制御モジュール１６４２は、実施の際、どの時点においても複数の受信アンテナまたはアンテナ素子（１６０６，１６０８）のうちの１つを単一の受信チェーン１６１０に接続するように受信チェーン切り換え制御モジュール１６１２の切り換えを制御するのに用いられる。受信機アンテナ切り換え制御モジュール１６４２は制御選択信号を切り換えモジュール１６１２へ送信してアンテナ選択を制御する。受信機アンテナ切り換え制御モジュール１６４２はアンテナ（１６０６，１６０８）間を切り換えることにより受信ダイバーシティを行うことができる。切り換え決定方法例えば、アンテナ（１６０６，１６０８）間の周期的な切り換え、及び／または、受信したダウンリンク信号の品質に基づく切り換え、例えば、各チャネルを検査し、最上の品質のダウンリンクチャネルを生じさせるアンテナの確定に関してさまざまな実施形態が実現可能である。
【０１００】
図１９には、本発明に従って実施されるもう１つ別の例示的な無線端末（ＷＴ）１７００例えば移動ノード（ＭＮ）を示す。ＭＮ１７００を図１３の例示的なＭＮ（１４，１６，１４’，１６’）のいずれかにすることができる。例示的なＷＴ１７００を図１６の例示的なＢＳ１９００と共に用いることができる。移動ノード１７００を移動端末（ＭＴ）として用いることができる。移動ノード１７００は、受信機チェーン／アンテナモジュール１７０２と、制御可能ベースバンド送信機ユニット１７１８を有する複数の送信機チェーン／アンテナモジュール（１７０４，１７０４’）とを含む。受信機チェーン／アンテナモジュール１７０２を、図８に示す受信チェーン及び複数の受信アンテナに類似または同様に実施することができる。制御可能ベースバンド送信機ユニット１７１８を有する複数の送信機チェーン／アンテナモジュール（１７０４，１７０４’）を、図２７、２８または２９で示す実施形態のいずれかと同じまたは類似して実施することができる。受信機チェーン／アンテナモジュール１７０２は受信アンテナ１ １７０６及び受信機チェーン１７１０を含む。いくつかの実施形態では、受信機モジュール１７０２は複数の受信アンテナまたはアンテナ素子（受信アンテナ１ １７０６，受信アンテナＮ １７０８）と、制御可能な切り換えモジュール１７１２例えば切り換え回路とを含む。本発明に従ってダイバーシティを獲得するため、複数の送信機チェーン／アンテナモジュール１７０４，１７０４’を用いて、異なる周波数セットまたはトーンセットを異なるアンテナまたはアンテナ素子に同時に送信する。送信機チェーン／アンテナモジュール１ １７０４は、送信チェーン１７１６に結合されている送信アンテナ１７１４を含む。同様に、送信機チェーン／アンテナモジュールＮ １７０４’は、送信機チェーン１７１６’に結合されている送信アンテナ１７１４’を含む。送信機チェーン１７１６，１７１６’は、制御可能ベースバンド送信機ユニット１７１８に結合されている。受信機モジュール１７０２、制御可能ベースバンド送信機ユニット１７１８、プロセッサ１７２０例えばＣＰＵ，ユーザＩ／Ｏ装置１７２２及びメモリ１７２４は、さまざまな素子がデータ及び情報をやり取りできるバス１７２６を介して連結されている。ＷＴ１７００のユーザは、ユーザＩ／Ｏ装置１７２２例えば、キーパッド、キーボード、マウス、ビデオカメラ、マイクロホン、表示装置、スピーカなどによりユーザデータ／情報をピアノードに入力し、ピアノードからユーザデータ／情報を出力することができる。メモリ１７２４はルーチン１７２８及びデータ／情報１７３０を含む。
【０１０１】
プロセッサ１７２０は、メモリ１７２４内に記憶されている１つ以上のルーチン１７２８の制御下、本発明の方法に従って移動ノード１７００を動作させる。ルーチン１７２８は通信ルーチン１７３２及び移動ノード制御ルーチン１７３４を含む。通信ルーチン１７３２は、ＷＴ１７００により用いられるさまざまな通信プロトコル及び機能を実行する。移動ノード制御ルーチン１７３４は、移動ノード１７００が本発明の方法に従って動作するのを確実にする責任がある。
【０１０２】
移動ノード制御ルーチン１７３４は、周波数送信分割制御モジュール１７３６及びアップリンクチャネルフィードバックモジュール１７３８を含む。いくつかの実施形態では、例えば、受信機の制御可能な切り換えモジュール１７１２及び複数の受信アンテナ（１７０６，１７０８）を含む実施形態では、制御ルーチン１７３４は受信機アンテナ切り換え制御モジュール１７４０を含む。このような実施形態では、受信機アンテナ切り換え制御モジュール１７４０の指示を受けて受信機アンテナ切り換え制御を実行でき、受信機アンテナ切り換え制御モジュール１７４０は、プロセッサ１７２０により実行されると、受信チェーン１７１０のモジュール１７１２の切り換え回路により実行される切り換えを制御するのに用いられるアンテナ切り換え制御信号を発生させる責任がある。
【０１０３】
周波数送信分割制御モジュール１７３６は、送信に用いられるように周波数例えば一連のトーンを分割し、従って、第１トーンサブセットを用いて情報のいくつかを送信機チェーンアンテナモジュール１ １７０４へ送信し、第２トーンサブセットを用いて情報のいくつかを送信機チェーン／アンテナモジュールＮ １７０４’へ送信し、第１及び第２トーンサブセットが少なくとも１トーンだけ互いに異なるようにするため、制御可能ベースバンド送信機ユニット１７１８の動作を制御する。いくつかの実施形態では、３つ以上のアンテナまたはアンテナ素子を同時送信に用い、３つ以上のトーンサブセットを同時に送信する。例えば、各アンテナまたはアンテナ素子に対応する１つのトーンサブセットを同時に用いる。いくつかの実施形態では、異なる送信機チェーン／アンテナと関連する異なるトーンサブセットは互いに排他的である。いくつかの実施形態では、トーンサブセット間で部分的な重複が存在する。本発明によれば、ＷＴ１７００は、第１トーンセット及び第２トーンセットの双方を同時に送信することができ、アンテナ１ １７１４からＢＳへ第１トーンセットを第１通信チャネルにより伝達し、アンテナＮ １７１４’から同一の基地局へ第２トーンセットを第２通信チャネルにより伝達する。周波数分割制御モジュール１７３６は、一連のトーンからのトーンを複数の異なるトーンサブセットに割り当てる割り当てサブモジュール１７４２を含む。複数の異なるトーンサブセットは少なくとも第１及び第２トーンサブセットを含み、異なるトーンサブセットの各々は少なくとも１トーンだけ互いに異なる。周波数分割制御モジュール１７３６は、選択されたトーンサブセットの送信を制御する送信サブモジュールをも含む。
【０１０４】
割り当てサブモジュール１７４２は、所定切り換えシーケンス情報１７８０、切り換え基準情報１７７８、アンテナ素子１フィードバック情報１７５８、アンテナ素子Ｎフィードバック情報１７６０、トーンセット情報１７６２及び／またはホッピング情報１７６４を含むデータ／情報１７３０を用いて、トーンを決定し、トーンサブセット（トーンサブセット１情報−間隔１ １７６６，トーンサブセットＮ情報−間隔１ １７７０，トーンサブセット１情報−間隔Ｍ １７６８，トーンサブセットＮ情報−間隔Ｍ １７７２）へ割り当てる。また、割り当てサブモジュール１７４２はアンテナ素子制御情報（アンテナ素子１切り換え制御情報１７８４，アンテナ素子Ｎ切り換え制御情報１７８６）を発生し、記憶する。送信サブモジュール１７４４は、トーンサブセット（１７６６，１７７０，１７６８，１７７２）、ＯＦＤＭタイミング情報１７５２及びアンテナ素子切り換え制御情報（１７８４，１７８６）を含むデータ／情報１７３０を用いて、割り当てサブモジュール１７４２の決定を実施し、制御可能ベースバンド送信機ユニット１７１８の動作を制御する。
【０１０５】
アップリンクチャネルフィードバックモジュール１７３８は、送信電力制御信号情報１７６２及び送信確認応答信号情報１７６４を含むＢＳからのアップリンクチャネル状態フィードバック情報１７４８を獲得するＢＳからのアップリンクチャネル品質フィードバック信号を処理する。多くの実施形態では、ＢＳは、用いられる特定のＷＴ送信アンテナチェーン／アンテナ（１７０４，１７０４’）に対応するトーンサブセット情報を知る必要がなく、これを知らない。しかし、トーンサブセット情報（１７６６，１７７０，１７６８，１７７２）、例えば、特定のドウェル中に各アンテナまたはアンテナ素子に割り当てられたトーン数に関する重み付けを承知しているＷＴ１７００は、フィードバック情報１７５６を特定のアンテナ素子に関連付け、この情報をアンテナ素子１フィードバック情報１７５８，アンテナ素子Ｎフィードバック情報１７６０として記憶する。
【０１０６】
データ／情報１７３０は、ユーザ／装置／セッション／資源情報１７４６、ＢＳからのアップリンクチャネル状態フィードバック情報１７４８、ＯＦＤＭトーン情報１７５０、ＯＦＤＭタイミング情報１７５２及び周波数分割情報１７５４を含む。ユーザ／装置／セッション／資源情報１７４６は、ユーザ／装置識別情報と、ピアノード識別及び経路情報を含むセッション情報と、ＢＳによりＷＴ１７００へ割り当てられたアップリンク及びダウンリンク区分を含む資源情報とを含む。
【０１０７】
ＢＳからのアップリンクチャネル状態フィードバック情報１７４８は受信品質指示信号情報１７６２及び複数のアンテナ素子フィードバック情報セット（アンテナ素子１フィードバック情報１７５８，アンテナ素子Ｎフィードバック情報１７６０）を含む。受信品質指示信号情報１７５６は、例えば、ＷＴアップリンク信号の受信電力レベル、ＳＮＲ値、ＷＴ送信電力調節信号など、チャネル品質を示す送信電力制御信号情報１７６２と、送信確認応答信号情報１７６４例えば、１つまたは複数のＷＴ送信アップリンク信号を受信する際に成功または失敗を知らせる受信した送信確認応答信号からの情報とを含む。アンテナ素子１フィードバック情報１７５８及びアンテナ素子Ｎフィードバック情報１７６０は、ＷＴ１７００により用いられる送信機チェーン／アンテナ（１７０４，１７０４’）の各々と関連付けられるため、ＷＴ１７００により受信品質指示信号情報１７６２，１７６４から取り出され、且つ／または処理された情報を含む。
【０１０８】
ＯＦＤＭトーン情報１７５０は、トーンセット情報１７６２、例えば、ＷＴによりアップリンク信号送信に用いられる一連のトーンと、ホッピング情報１７６４、例えば、論理的なトーンを物理的なトーンへホッピングするドウェルに基づいてホッピングシーケンスを規定する情報を含むアップリンクホッピングシーケンス情報とを含む。ＯＦＤＭトーン情報１７５０は、複数のトーンサブセット（トーンサブセット１情報−間隔１ １７６６，トーンサブセットＮ情報−間隔１ １７７０，トーンサブセット１情報−間隔Ｍ １７６８，トーンサブセットＮ情報−間隔Ｍ １７７２）をも含む。各トーンサブセットの情報（１７６６，１７７０）は異なる送信機チェーン／アンテナ（１７０４，１７０４’）と関連付けられ、トーンサブセット（１７６６，１７７０）は本発明に従って同時に送信される。同様に、各トーンサブセットの情報（１７６８，１７７２）は異なる送信機チェーン／アンテナ（１７０４，１７０４’）と関連付けられ、トーンサブセット（１７６８，１７７２）は本発明に従って同時に送信される。トーンの重み付け、例えば、各サブセットと関連付けられたトーン数は時間に応じて変更することができる。例えば、間隔１の間、送信機チェーン／アンテナ１と関連付けられたトーンサブセット１は６個のトーンを用いることができ、送信機チェーン／アンテナ２と関連付けられたトーンサブセット２は６個のトーンを用いることができる。しかし、連続する次の間隔の間、送信機チェーン／アンテナ１と関連付けられたトーンサブセット１は７個のトーンを用いることができ、送信機チェーン２／アンテナ２と関連付けられたトーンサブセット２は５個のトーンを用いることができる。更に、ドウェルごとに、アップリンクトーンホッピングシーケンスに従って一連のトーンをホッピングさせることができる。
【０１０９】
ＯＦＤＭタイミング情報１７５２はシンボルタイミング情報１７７４及びドウェル情報１７７６を含む。シンボルタイミング情報は、送信される各トーンで運ばれる変調シンボルを伝達する１つのＯＦＤＭシンボルの送信を規定するタイミングを含む。ドウェル情報１７７６は、連続するＯＦＤＭシンボルの数例えば７を識別する情報を含む。この場合、論理的なトーンから物理的なトーンにマッピングするアップリンクトーンはドウェル中に変化せず、トーンはドウェルごとに異なってホッピングされる。ドウェル情報１７５２は、ドウェル境界を識別する情報をも含む。本発明のいくつかの実施形態によれば、サブセットへの重み付けの変更は、ドウェル境界間ではなく、ドウェル境界上で実行される。
【０１１０】
いくつかの実施形態では、周波数分割は所定に基づく。例えば、トーンは複数の送信機チェーン／アンテナモジュール（１７０４，１７０４’）の間で、例えば、物理的なインデックス番号に対して交互に換わるシーケンスに分割される。他の実施形態では、異なる送信機チェーン／アンテナモジュール（１７０４，１７０４’）の間での重み付けは、アップリンクチャネル状態フィードバック情報１７４８と周波数分割基準情報１７５４内の切り換え基準情報１７７８に応じて変化する。例えば、ＷＴ１７００が第１及び第２の送信機チェーン／アンテナモジュール１７０４及び１７０４’を含み、チャネル品質がほぼ等価なものであるということ、例えば、チャネル品質の差が第１の基準レベルよりも下であるということをフィードバック情報が示せば、２つのモジュール１７０４，１７０４’の間で均一にトーンを分割することができる。しかし、送信機チェーン／アンテナモジュール１７０４に対応するチャネル品質が、送信機モジュール１７０４’に対応するチャネル品質よりも著しく良好であるということを同一の例示的なＷＴが決定し、その上、双方のチャネルのチャネル品質がフィードバック情報と第２及び第３の基準レベルの比較とに基づいて依然として容認することができれば、周波数分割制御モジュール１７３６は、多くのトーン例えばモジュール１７０４’の２倍のトーンをモジュール１７０４に与えるように制御ベースバンド送信機ユニット１７１８を制御することができる。
【０１１１】
周波数分割情報１７５４は、切り換え基準情報１７７８、所定切り換えシーケンス情報１７８０、アンテナ素子使用情報１７８２及び複数のアンテナ素子切り換え制御情報セット（アンテナ素子１切り換え制御情報１７８４，アンテナ素子Ｎ切り換え制御情報１７８６）を含む。切り換え基準情報１７７８は、さまざまな送信機チェーン／アンテナ（１７０４，１７０４’）の間で分割されたトーンのバランスを変えるかどうか、また、いつ変えるか、そして、どこまで変えるかを決定する際、アンテナ素子フィードバック情報（１７５８，１７６０）を評価するため、割り当てサブモジュール１７４２により用いられるしきい値限界を含む。所定切り換えシーケンス情報１７８０は、割り当てモジュールにより選択できる複数の所定シーケンスを含む。例えば、第１所定シーケンスは、例えばドウェルにおいて、（ｉ）第１送信機チェーン／アンテナと第２送信機チェーン／アンテナとの間におけるアップリンクトーンの５０対５０分割と、（ｉｉ）第１送信機チェーン／アンテナと第２送信機チェーン／アンテナとの間におけるアップリンクトーンの６０対４０分割とに交互に換わることができる。第２所定シーケンスは、例えばドウェルにおいて、（ｉ）第１送信機チェーン／アンテナと第２送信機チェーン／アンテナとの間におけるアップリンクトーンの５０対５０分割と、（ｉｉ）第１送信機チェーン／アンテナと第２送信機チェーン／アンテナとの間におけるアップリンクトーンの４０対６０分割とに交互に換わることができる。いくつかの実施形態では、ＷＴは、フィードバック情報に応じて変化しない所定切り換えシーケンス、例えば、長期にわたって送信機チェーン／アンテナ（１７０４，１７０４’）の間で、等しい周波数分割、あるいはほぼ等しい周波数分割をもたらす一定の所定シーケンスに従う必要がある。
【０１１２】
図２１は、本発明に従って送信機アンテナ素子のドウェル境界切り換えを行うことを含め、基地局と通信するＷＴを動作する例示的な方法のフローチャート２１００である。ＷＴを、例えば、図１７のＷＴ１５００と類似または同一の例示的なＷＴとすることができ、ＢＳを、例えば、図１４のＢＳ１４００と類似または同一の例示的なＢＳとすることができる。動作はステップ２１０２で開始し、ステップ２１０４へ進む。ステップ２１０４では、一連の複数のアンテナ素子例えば一連の２つのアンテナ素子からの第１アンテナ素子を単一送信機チェーンに結合するようにＷＴ送信機信号処理チェーン内のドウェル境界切り換えモジュールを動作する。動作はステップ２１０４からステップ２１０６へ進む。ステップ２１０６では、第１ドウェル中、送信に一連のトーンを用いて第１アンテナ素子によりアップリンク信号を基地局へ送信するようにＷＴを動作し、送信に用いられる一連のトーンは第１トーンセットに一致する。第１ドウェルは、一連の連続するＯＦＤＭシンボル送信期間、例えば、論理的なトーン指定から物理的なトーン指定へのトーン割り当てが変化しない一連の７つの連続するＯＦＤＭシンボル送信期間である。
【０１１３】
次に、ステップ２１０８では、第１アンテナ素子から第２アンテナ素子へアンテナ素子を切り換えるようにドウェル境界切り換えモジュールを動作する。動作はステップ２１０８からステップ２１１０に進む。ステップ２１１０では、送信に用いられている一連のトーンをアップリンクトーンホッピングシーケンスに従って第１トーンセットから、第１トーンセットとは異なる第２トーンセットへ変更するようにＷＴを動作する。次に、ステップ２１１２では、第２ドウェル中、第２トーンセットを用いて第２アンテナ素子によりアップリンク信号を基地局へ送信するようにＷＴを動作する。動作はステップ２１１２からステップ２１１４へ進む。ステップ２１１４では、アップリンクトーンホッピングシーケンス２１１４に従って第１及び第２トーンセット内のトーンを置き換えるようにＷＴを動作する。動作はステップ２１１４からステップ２１０４へ続行する。
【０１１４】
フローチャート２１００の動作は、第１アンテナ素子と第２アンテナ素子との間で所定の定期的な切り換えシーケンスを生じさせる。例示的なＷＴが送信機アンテナ素子を２つだけ有すると仮定すると、フローチャート２１００の動作はアンテナ素子の一様な使用を生じさせる。いくつかの実施形態では、各アンテナ素子は異なる方向に定められている。いくつかの実施形態では、異なる通信経路が第１及び第２アンテナ素子の各々と基地局との間に存在するように第１及び第２アンテナ素子が離間されている。いくつかの実施形態では、アンテナ素子間の間隔は、アンテナ素子から送信される最も低い周波数トーンの波長の少なくとも１／４である。
【０１１５】
３つ以上のアンテナ素子を用いる実施形態を含むようにフローチャート２１００の方法を広げることができる。更に、いくつかの実施形態では、異なるアンテナ素子へ切り換わる前、アンテナは、２つ以上の連続するドウェル中、例えば、１よりも大きい一定数のドウェル中、選択したアンテナ素子に結合されたままであり続けることができる。
【０１１６】
図２２は、本発明に従って送信機アンテナ素子のドウェル境界切り換えを行うことを含め、基地局と通信するＷＴを動作する例示的な方法のフローチャート２２００である。ＷＴを、例えば、図１７のＷＴ１５００と類似または同一の例示的なＷＴとすることができ、ＢＳを、例えば、図１４のＢＳ１４００と類似または同一の例示的なＢＳとすることができる。動作はステップ２２０２で開始し、ステップ２２０４へ進み、ステップ２２０４では、一連の複数のアンテナ素子例えば２つの送信アンテナ素子から指定されたアンテナ素子にＷＴの単一送信機チェーンを結合するようにＷＴ送信機信号処理チェーン内のドウェル境界切り換えモジュールを動作する。次に、ステップ２２０６では、送信に一連のトーンを用いて、第１ドウェル中、指定されたアンテナ素子によりアップリンク信号を基地局へ送信するようにＷＴを動作し、送信に用いられる一連のトーンは第１トーンセットに一致する。第１ドウェルは、例えば、一連の７つの連続するＯＦＤＭシンボル送信期間である。動作はステップ２２０６からステップ２２０８へ続行する。ステップ２２０８では、前のドウェル中、受信したアップリンク信号のチャネル品質を表す１つまたは複数のフィードバック信号を基地局から受信するようにＷＴを動作する。チャネル品質を表す１つまたは複数のフィードバック信号は、ＷＴアップリンク電力制御情報を表す送信電力制御信号と、送信された１つまたは複数のアップリンク信号を受信する際に成功または失敗を知らせる送信確認応答信号との少なくとも１つを含む。動作はステップ２２０８からステップ２２１０へ進む。ステップ２２１０では、受信した１つまたは複数のフィードバック信号を、前のドウェル中に用いられたアンテナ素子と関連付け、このアンテナ素子に対応する一連のフィードバック情報を更新するようにＷＴを動作する。フィードバック情報を送信する基地局は、どのアンテナ素子がこのドウェルの送信に用いられたかを知る必要がなく、多くの実施形態で、このことを知らない。ＷＴは、受信したフィードバック情報と用いられるアンテナ素子の追跡及び整合を実行する。ステップ２２１２では、受信したフィードバック信号に応じてアンテナ素子切り換え決定を行うようにＷＴを動作する。例えば、ＷＴ送信電力レベルが一定のままであり続けるか、あるいは、ＷＴ送信電力レベルを減少させる必要があることを電力制御フィードバック信号が示し、強く且つ信頼できるアップリンク信号を表す極めて高いＡＣＫ対ＮＡＫの割合をＡＣＫ／ＮＡＫ信号が示せば、ＷＴは、現在選択されている送信機アンテナ素子に結合されたままにしておくことができる。しかし、ＷＴ送信電力の著しい増加が必要とされることを電力制御フィードバック信号が示し、且つ／または、極めて高いＮＡＫ対ＡＣＫの割合をＡＣＫ／ＮＡＫ信号が示せば、ＷＴは、別のアンテナ素子に切り換えることを決定することができ、例えば、大きいチャネル変化の生成が見込まれるアンテナ素子、例えば、現在選択されているアンテナ素子に対して最も広い間隔及び／または最も大きい方位差を有するアンテナ素子を選択することができる。前のＷＴ送信アンテナ素子の接続によるチャネルの品質について記憶された情報をも選択処理に用いることができる。品質指示情報が限界状態を示す場合、現在選択されているアンテナ素子に対する間隔または方位にわずかな差を有するアンテナ素子を選択するようにＷＴを動作することができる。
【０１１７】
動作はステップ２２１２からステップ２２１４へ進む。ステップ２２１４では、動作は、ＷＴがアンテナ素子の切り換えを決定したかどうかに基づいて進行する。アンテナ素子を切り換えないことをＷＴがステップ２２１２で決定したならば、動作はステップ２２１４からステップ２２２０へ進行し、そうでなければ、動作はステップ２２１６へ進む。ステップ２２１６では、異なるアンテナ素子に対応する切り換え制御情報セットを更新し、保持するようにＷＴを動作する。この動作は、例えば、単一送信機チェーンに接続されるアンテナ素子に対応するビットを設定することと、単一送信機チェーンから接続解除されるアンテナ素子に対応するビットを除去することとを含む。動作はステップ２２１６からステップ２２１８へ進み、ステップ２２１８では、指定されたアンテナ素子を一連の複数のアンテナ素子からの異なる送信アンテナ素子に切り換えるようにドウェル境界切り換えモジュールを動作し、この異なる送信アンテナ素子は、ステップ２２１２で選択されたアンテナ素子であって、この異なる送信アンテナ素子には、ステップ２２１６で制御起動情報が設定されている。本発明によれば、切り換えを、ドウェル境界間ではなく、ドウェル境界において実行するように制御する。動作はステップ２２１８からステップ２２２０へ進む。
【０１１８】
ステップ２２２０では、送信に用いられる一連のトーンをアップリンクホッピングシーケンスに従って異なる一連のトーンに変更するようにＷＴを動作する。次に、ステップ２２２２では、次の連続するドウェル中、例えば、７つの連続するＯＦＤＭシンボル送信期間中、ステップ２２２０から送信に指定された一連のトーンを用いて、指定されたアンテナ素子によりアップリンク信号を基地局へ送信するようにＷＴを動作する。動作はステップ２２２２からステップ２２０８へ戻る。
【０１１９】
フローチャート２２００の動作は、アップリンクチャネル品質フィードバック情報に基づいて複数のアンテナ素子間のドウェル切り換えを生じさせる。いくつかの実施形態では、各アンテナ素子は異なる方向に定められている。いくつかの実施形態では、異なる通信経路が各アンテナ素子と基地局との間に存在するようにアンテナ素子が離間されている。いくつかの実施形態では、アンテナ素子間の間隔は、アンテナ素子から送信される最も低い周波数トーンの波長の少なくとも１／４である。
【０１２０】
フローチャート２２００の方法は、２つだけのアンテナ素子を有する実施形態と、３つ以上のアンテナ素子を有する実施形態とを含む。更に、いくつかの実施形態では、別のアンテナ素子に切り換えるかどうかについて切り換え決定を実行する前、アンテナは、２つ以上の連続するドウェル中、例えば、１よりも大きい一定数のドウェル中、選択したアンテナ素子に結合されたままであり続けることができる。いくつかの実施形態では、１ドウェル当たり一度よりも頻繁に、または、それほど頻繁でなくフィードバック情報を伝達する。
【０１２１】
図２３は、本発明に従って送信機アンテナ素子のチャネル推定境界切り換えを実行することを含め、基地局と通信するＷＴを動作する例示的な方法のフローチャート２３００である。ＷＴを、例えば、図１８のＷＴ１６００と類似または同一の例示的なＷＴとすることができ、基地局を、例えば、図１５のＢＳ１８００と類似または同一の例示的なＢＳとすることができる。動作はステップ２３０２で始まり、ステップ２３０４へ進む。ステップ２３０４では、異なる基地局アップリンク信号送信チャネル推定値を異なるＷＴ送信機アンテナ素子と関連付けるようにＷＴを動作する。例えば、基地局からのいくつかの受信したダウンリンク放送信号に基づいて、ＷＴは、受信したアップリンク信号送信のチャネル推定値に関する基地局のタイミングを決定するのに用いられる情報、例えば、実行されている複数のチャネル推定値間の境界を規定する情報、及び／または、チャネル推定値の初期化または再設定を規定する境界を規定する情報を獲得する。例えば、基地局がアップリンク信号送信の２つのチャネル推定値間を周期的に交互に換え、ＷＴが２つの送信アンテナ素子を有する場合、無線端末は第１チャネル推定値を第１アンテナ素子と関連付け、第２チャネル推定値を第２アンテナ素子と関連付け、異なるＢＳチャネル推定値に対応するようにアップリンク信号送信のタイミングを同調することができる。次に、ステップ２３０６では、一連の複数のアンテナ素子例えば一連の２つのアンテナ素子からの第１アンテナ素子を単一送信機チェーンに結合するようにＷＴ送信機信号処理チェーン内のチャネル推定境界切り換えモジュールを動作する。動作はステップ２３０６からステップ２３０８へ進む。ステップ２３０８では、第１アンテナ素子を用いてアップリンク信号を基地局へ送信するようにＷＴを動作し、ステップ２３１０では、アップリンク信号送信に対応するＢＳチャネル推定値のタイミングを追跡するようにＷＴを動作する。
【０１２２】
動作はステップ２３１０からステップ２３１２へ進み、ステップ２３１２では、チャネル推定境界に達しているかどうかに関する検査を実行する。チャネル推定境界に達していなければ、動作はステップ２３０８へ進み、ステップ２３０８では、同一のアンテナ素子すなわち第１アンテナ素子を用いて追加のアップリンク信号を送信するようにＷＴを動作する。しかし、チャネル推定境界に達したことをステップ２３１２で決定すれば、動作はステップ２３１２からステップ２３１４へ進む。ステップ２３１４では、第１アンテナ素子から第２アンテナ素子へ切り換えるようにチャネル推定境界切り換えモジュールを動作する。動作はステップ２３１４からステップ２３１６へ進む。ステップ２３１６では、第２アンテナ素子を用いてアップリンク信号をＢＳへ送信するようにＷＴを動作し、ステップ２３１８では、アップリンク信号送信に対応するＢＳチャネル推定値のタイミングを追跡するようにＷＴを動作する。
【０１２３】
動作はステップ２３１８からステップ２３２０へ進み、ステップ２３２０では、チャネル推定境界に達しているかどうかに関する検査を実行する。チャネル推定境界に達していなければ、動作はステップ２３１６へ進み、ステップ２３１６では、同一のアンテナ素子すなわち第２アンテナ素子を用いて追加のアップリンクを送信するようにＷＴを動作する。しかし、チャネル推定境界に達したことをステップ２３２０で決定すれば、動作はステップ２３２０からステップ２３２２へ進む。ステップ２３２２では、第２アンテナ素子から第１アンテナ素子へ切り換えるようにチャネル推定境界切り換えモジュールを動作する。動作はステップ２３２２からステップ２３０８へ続行し、ステップ２３０８では、第１アンテナ素子を用いてアップリンク信号をＢＳへ送信するようにＷＴを動作する。
【０１２４】
フローチャート２３００の動作は、第１及び第２アンテナ素子間に所定の周期的な切り換えシーケンスを生じさせる。例示的なＷＴが２つだけの送信機アンテナ素子を有すると仮定すると、フローチャート２３００の動作はアンテナ素子の一様な使用を生じさせることができる。いくつかの実施形態では、各アンテナ素子は異なる方向に定められている。いくつかの実施形態では、異なる通信経路が第１及び第２アンテナ素子の各々と基地局との間に存在するように第１及び第２アンテナ素子が離間されている。いくつかの実施形態では、アンテナ素子間の間隔は、アンテナ素子から送信される最も低い周波数トーンの波長の少なくとも１／４である。
【０１２５】
３つ以上のアンテナ素子を有する実施形態を含めるようにフローチャート２３００の方法を広げることができる。フローチャート２３００の方法は、ＯＦＤＭ及びＣＤＭＡ分野の双方に適している。いくつかのＯＦＤＭ実施形態では、チャネル推定境界は、ドウェル境界またはドウェル境界の倍数に対応することができる。いくつかのＣＤＭＡ実施形態では、異なるチャネル推定値の各々は異なる符号語に対応することができる。
【０１２６】
図２４は、本発明に従って送信機アンテナ素子のチャネル推定境界切り換えを実行することを含め、基地局と通信するＷＴを動作する例示的な方法のフローチャート２４００である。ＷＴを、例えば、図１８のＷＴ１６００と類似または同一の例示的なＷＴとすることができ、基地局を、例えば、図１５のＢＳ１８００と類似または同一の例示的なＢＳとすることができる。動作はステップ２４０２で始まり、ステップ２４０４及びステップ２４１６へ同時に進む。ステップ２４０４では、一連の複数のアンテナから指定されたアンテナ素子にＷＴの単一送信機チェーンを結合するようにＷＴ送信機信号処理チェーン内のチャネル推定境界切り換えモジュールを動作する。次に、ステップ２４０８では、アップリンク信号送信に対応するＢＳチャネル推定値のタイミングを追跡するようにＷＴを動作する。例えば、基地局からいくつか受信したダウンリンク放送信号に基づいて、ＷＴは、受信したアップリンク信号送信のチャネル推定値に関する基地局のタイミングを決定するのに用いられる情報、例えば、実行されている複数のチャネル推定値間の境界を規定する情報、及び／または、チャネル推定値の初期化または再設定を規定する境界を規定する情報を獲得する。例えば、ＢＳが、一定の間隔に用いる受信アップリンク信号送信のチャネル推定を実行し、推定フィルタを再初期化し、次に、同一期間の次の間隔の間に用いる別の推定を開始し、このチャネル推定方法を周期的に繰り返す例示的な実施形態を検討する。ＢＳからの放送タイミング情報により、ＷＴはアップリンク信号送信をこれらチャネル推定境界と同調させることができる。動作はステップ２４０８からステップ２４１０へ進み、ステップ２４１０では、チャネル推定境界に達しているかどうかに関する検査を実行する。チャネル推定境界に達していなければ、動作はステップ２４１０からステップ２４１２へ進む。ステップ２４１２では、アップリンク信号をＢＳへ送信するようにＷＴを動作し、動作はステップ２４０８に戻る。しかし、ステップ２４１０でチャネル推定境界に達していれば、動作はステップ２４１４へ進み、ステップ２４１４では、受信したフィードバック信号に応じてアンテナ素子切り換え決定を行うようにＷＴを動作する。
【０１２７】
ステップ２４１６に戻り、ステップ２４１６では、受信アップリンク信号のチャネル品質を表す１つまたは複数のフィードバック信号を基地局から受信するようにＷＴを動作する。受信アップリンク信号のチャネル品質を表す１つまたは複数のフィードバック信号は、ＷＴアップリンク電力制御情報を表す送信電力制御信号と、送信された１つまたは複数のアップリンク信号を受信する際に成功または失敗を知らせる送信確認応答信号との少なくとも１つを含む。動作はステップ２４１６からステップ２４１８へ進む。ステップ２４１８では、受信した１つまたは複数の信号を、用いられるアンテナ素子と関連付け、このアンテナ素子に対応する一連のフィードバック情報を更新するようにＷＴを動作する。フィードバック情報を送信する基地局は、このチャネル推定値に対応するアップリンク信号の送信にどのアンテナ素子が用いられたかを知る必要がなく、多くの実施形態で、このことを知らない。ＷＴは、受信したフィードバック情報と用いられるアンテナ素子の追跡及び整合を実行する。ステップ２４１８の情報は、ステップ２４１４のアンテナ素子切り換え決定を行う際に用いられるようにＷＴが利用できるように構成されている。
【０１２８】
ステップ２４１４では、現在選択されているアンテナ素子に対応する品質指示情報と、接続を維持するのに用いられるしきい値とを比較することができる。一連の選択対象にされている置き換えられるアンテナ素子に対応する品質指示情報を用いて、切り換えを決定する際にどのアンテナ素子を選択するかを決定することができる。更に、いくつかの実施形態では、新たなチャネル品質情報を獲得し、交互に換わるアンテナ素子に対応する交互のチャネルを評価する目的で記憶されているチャネル品質情報にかかわらず、または、これと最小限度に関連して、例えば周期的にアンテナ素子間の切り換えを実行することができる。動作はステップ２４１４からステップ２４２０へ進む。
【０１２９】
ステップ２４１４では、現在選択されているアンテナ素子にとどまる決定を行えば、動作はステップ２４２０からステップ２４１２へ続行し、ステップ２４１２では、アップリンク信号をＢＳへ送信するようにＷＴを動作する。しかし、送信機アンテナ素子を切り換えることをＷＴが決定すれば、動作はステップ２４２０からステップ２４２２へ進む。ステップ２４２２では、異なるアンテナ素子に対応する切り換え制御情報セットを更新し、維持するようにＷＴを動作する。例えば、新たに選択されたアンテナ素子の起動に対応する制御ビットを設定し、前に使用されていたアンテナ素子に対応する制御ビットを除去する。次に、ステップ２４２４では、送信に用いられる指定されたアンテナ素子を、一連の複数のアンテナ素子からの異なるアンテナ素子、例えば、ステップ２４１４で選択され、ステップ２４２２で設定されたアンテナ素子へ切り換えるようにチャネル境界切り換えモジュールを動作する。本発明によれば、信号境界間ではなく、基地局チャネル推定信号境界に対応する信号境界で実行するように切り換えを制御する。動作はステップ２２２４からステップ２４２６へ進む。
【０１３０】
ステップ２４２６では、指定されたアンテナ素子によりアップリンク信号を基地局へ送信するようにＷＴを動作する。動作はステップ２４２６からステップ２４０８へ続行する。
【０１３１】
フローチャート２４００の方法は、ＯＦＤＭ及びＣＤＭＡ分野の双方に適する。いくつかのＯＦＤＭ実施形態では、チャネル推定境界は、ドウェル境界またはドウェル境界の倍数に対応することができる。いくつかのＯＦＤＭ実施形態では、各チャネル推定信号間隔は複数のＯＦＤＭシンボル送信期間を含み、各チャネル推定信号間隔でＷＴにより用いられるトーンはトーンホッピングシーケンスに従って決定される。いくつかのＣＤＭＡ実施形態では、異なるチャネル推定値の各々は異なる符号語に対応することができる。
【０１３２】
いくつかの実施形態では、各アンテナ素子は異なる方向に定められている。いくつかの実施形態では、異なる通信経路が第１及び第２アンテナ素子の各々と基地局との間に存在するように第１及び第２アンテナ素子が離間されている。いくつかの実施形態では、アンテナ素子間の間隔は、アンテナ素子から送信される最も低い周波数トーンの波長の少なくとも１／４である。
【０１３３】
図２５は、本発明に従って、異なるトーンサブセットを異なるアンテナ素子に割り当て、複数のアンテナ素子にわたって同時に送信することを含め、例示的ＯＦＤＭ通信装置、例えば、図１８のＷＴ１７００と類似または同一の例示的なＷＴを動作する例示的な方法のフローチャート２５００である。動作はステップ２５０２で始まり、ステップ２５０４へ進む。ステップ２５０４では、第１トーンセットのトーンを、少なくとも第１及び第２トーンサブセットを含む複数の異なるトーンサブセットに割り当て、異なるトーンサブセットの各々が少なくとも１トーンだけ互いに異なるように通信装置を動作する。いくつかの実施形態では、第１及び第２トーンサブセットに割り当てられたトーンは互いに排他的である。動作はステップ２５０４からステップ２５０６へ進む。ステップ２５０６では、前記異なるトーンサブセットの各々に対して異なるアンテナ素子を用いて前記異なるトーンサブセットの各々を同一の時間間隔の間に同時に送信するように通信装置を動作する。動作はステップ２５０６からステップ２５０８へ進み、ステップ２５０８では、通信装置は、第１及び第２トーンサブセットの少なくとも１つに割り当てられたトーンの数を変更する。動作はステップ２５０８からステップ２５０４へ戻る。いくつかの実施形態では、トーンの割り当ては周期的に変化する。
【０１３４】
いくつかの実施形態では、フローチャート２５００の通信装置は、アップリンク信号、例えば、ドウェルごとにアップリンクホッピングシーケンスに従ってホッピングされているトーンを用いるアップリンク信号を基地局へ送信する無線端末であり、基地局はアップリンク信号を受信する。他の実施形態では、フローチャート２５００の通信装置は、ダウンリンク信号、例えば、ＯＦＤＭシンボル送信期間の間、ダウンリンクホッピングシーケンスに従ってホッピングされているトーンを用いる、ダウンリンク信号を送信する基地局、例えば、図１６の例示的なＢＳ１９００と類似または同一の基地局であり、無線端末はダウンリンク信号を受信する。
【０１３５】
図２６は、本発明に従って、チャネル品質指示情報を受信及び処理し、異なるトーンサブセットを異なるアンテナ素子に割り当て、複数のアンテナ素子にわたって同時に送信することを含め、例示的なＯＦＤＭ通信装置、例えば、図１９のＷＴ１７００と類似または同一の例示的なＷＴを動作する例示的な方法のフローチャート２６００である。動作はステップ２６０２で始まり、ステップ２６０４へ進む。ステップ２６０４では、第１トーンセットのトーンを、少なくとも第１及び第２トーンサブセットを含む複数の異なるトーンサブセットに割り当て、前記異なるトーンサブセットの各々が少なくとも１トーンだけ互いに異なるように通信装置を動作する。いくつかの実施形態では、トーンの割り当ては周期的に変化する。動作はステップ２６０４からステップ２６０６へ進み、ステップ２６０６では、前記異なるトーンサブセットの各々に対して異なるアンテナ素子を用いて前記異なるトーンサブセットの各々を同一の時間間隔の間に同時に送信し、前記異なるアンテナ素子が少なくとも第１及び第２アンテナ素子を含むように通信装置を動作する。動作はステップ２６０６からステップ２６０８へ進む。ステップ２６０８では、通信装置送信電力を表す送信電力制御信号と、通信装置に送信された１つまたは複数の信号を受信する際に成功または失敗を知らせる送信確認応答信号との少なくとも１つを含むチャネル品質を表す１つまたは複数の信号を受信するように通信装置を動作する。
【０１３６】
次に、ステップ２６１０では、受信した品質指示情報に基づいて、通信装置は、トーンサブセットへのトーンの割り当てを変更すべきかどうかを決定する。例えば、どのアンテナ素子が良好なチャネル品質を有し、どのアンテナ素子を支持すべきかについて適切な判断を下すのに記憶された品質指示情報が不十分であれば、個々のアンテナ素子に関して高い重み付けを用いて品質指示フィードバック情報を集めることができるように、通信装置は、支持するアンテナにトーンの割り当てを変更することを決定でき、通信装置は各アンテナ素子を介して周期的に繰り返すことができる。トーンの割り当てを決定するのに十分な情報があれば、通信装置は、トーンサブセットへのトーンの割り当てを変更すると決定し、有利なチャネル状態、例えば、同一のＡＣＫ／ＮＡＫ比を得るため、低いＷＴ送信電力レベルを生じさせる変更、改善されたＡＣＫ／ＮＡＫ比を生じさせる変更、及び／または、低い通信装置送信電力レベルを生じさせる変更を実現しようとすることができる。トーンサブセットへのトーンの割り当てを変更すべきでないとステップ２６１０で決定されたら、動作はステップ２６０４へ戻る。しかし、トーンサブセットへのトーンの割り当てを変更すべきであるとステップ２６１０で決定されたら、動作はステップ２６１２へ進み、ステップ２６１２では、第１及び第２トーンサブセットの少なくとも１つでトーンの数を変更するように通信装置を動作する。いくつかの実施形態では、第１トーンサブセットを複数のトーンに割り当て、第２トーンサブセットをゼロトーンに割り当てる。動作はステップ２６１２からステップ２６０４へ続行する。
【０１３７】
いくつかの実施形態では、通信装置と通信する装置から受信された複数の信号に応じてトーン割り当てを実行し、この方法は、異なるアンテナ素子を用いて前記通信装置から送信された信号に対応して、前記通信装置と通信する前記装置から受信された信号に関して異なるトーン割り当て制御情報セットを維持することを含む。
【０１３８】
いくつかの実施形態では、フローチャート２６００の通信装置は、アップリンク信号、例えば、ドウェルごとにアップリンクホッピングシーケンスに従ってホッピングされているトーンを用いるアップリンク信号を基地局へ送信する無線端末であり、基地局はアップリンク信号を受信し、フィードバックチャネル品質信号を送信する。他の実施形態では、フローチャート２６００の通信装置は、ダウンリンク信号、例えば、ＯＦＤＭシンボル送信期間の間、ダウンリンクホッピングシーケンスに従ってホッピングされているトーンを用いるダウンリンク信号を送信する基地局、例えば、図１６のＢＳ１９００であり、無線端末はダウンリンク信号を受信し、フィードバックチャネル品質信号を送信する。
【０１３９】
本発明を更に説明する。下記の説明の一部は上記の説明の一部を繰り返す場合があるが、いくつかの実施形態の特徴を更に詳しく説明する。上記に説明したように、本発明は、かなりの費用または複雑性なしに、単一のＲＦチェーン及び複数の物理アンテナを用いてアップリンク送信ダイバーシティを移動送信機に実現させることができる新規の技術を用いる。
【０１４０】
説明目的のため、スペクトル拡散ＯＦＤＭ（直交周波数分割多重化）多重アクセスシステムとの関連で本発明を検討する。本発明の送信ダイバーシティ技術はその他のシステムにも適用できることに留意すべきである。
【０１４１】
例示的なＯＦＤＭシステムでは、トーンは、スペクトル拡散の利点を実現するようにホッピングする。（基地局から無線端末までの）ダウンリンクでは、トーンはＯＦＤＭシンボルごとにホッピングする。あらゆる論理的なトーンは異なる物理的なトーンにマッピングされ、このマッピングはあらゆるＯＦＤＭシンボル境界上で変更される。このホッピングは、論理的なトーンのいくつかのサブセットを含む符号化ブロックが利用可能な周波数帯域全体にわたって分散することを確実にする。（無線端末から基地局までの）アップリンクでは、あらゆる論理的なトーンは物理的なトーンにマッピングされ、数個のＯＦＤＭシンボル期間中、マッピングが一定に維持される。この期間はドウェル期間として知られている。ドウェル期間にわたるアップリンクホッピングの過程を５に示す。
【０１４２】
送信ダイバーシティをセルラーアップリンクにおいて実現するため、本発明を無線端末の送信機で用いることができる。本発明は、複数の物理的な送信アンテナを有する移動送信機を必要とするが、複数のＲＦチェーンを含む移動送信機を必要としない。本発明の好適な実施形態は、アップリンク信号のドウェル境界で送信アンテナを切り換える必要がある。
【０１４３】
この説明のため、図６を検討する。図６には、４つの連続するドウェル期間にわたってアップリンクで送信される符号語を示す。図３に示すように移動送信機が２つの物理的な送信アンテナと単一のＲＦチェーンとを有すると仮定する。図３に示す送信機は、選択ダイバーシティを用いるシステムを代表するものであるが、本発明は、符号語内に高速の時間尺度で送信ダイバーシティを実現する。送信機内の切り換え制御モジュールの管理下にある切り換えモジュール動作は、送信アンテナのどちらかにより送信信号を指向することができる。一実施形態では、切り換え制御モジュールはドウェル情報を知っている。切り換え制御モジュールはこのような情報及び／または切り換え命令を移動送信機のベースバンドユニットから受信することができる。切り換え制御モジュールは、ドウェル１及びドウェル３中、アンテナ１を介し、ドウェル２及びドウェル４中、アンテナ２を介して符号語を送信するよう切り換えユニットに命令する。受信機では、符号化ブロックの一部はアンテナ１からチャネル応答Ｈ１を受け、符号化ブロックの一部はアンテナ２から応答Ｈ２を受ける。ある例示的なＯＦＤＭ実施形態では、基地局の受信機は、あるドウェルから別のドウェルまでチャネルの一貫性を全くとらず、各ドウェル中、チャネルを独立して推定する。従って、ドウェル境界上での切り換えは基地局チャネル推定を妨げず、あるいは、追加の推定を必要としない。更には、ドウェル境界での送信アンテナの切り換えは、受信機で行われる動作に影響を及ぼさない。実際に、この状況では、基地局の受信機は、本発明の送信ダイバーシティを使用しているかさえ分からない場合がある。チャネル応答Ｈ１及びＨ２が独立していると仮定すれば、受信機は符号化ブロックにわたってダイバーシティ利得を実現することができる。
【０１４４】
一般に、Ｎは移動送信機の送信アンテナの数を示すものとし、｛Ｈｋ，ｋ＝１，．．．，Ｎ｝は、各送信アンテナから受信機への無線チャネル応答を表すものとする。好ましくは、チャネル応答｛Ｈｋ｝の集合体が実質的に独立するように送信アンテナを空間的に配置する。いくつかの実施形態では、アンテナは、信号を送信するのに用いられる搬送周波数の、１／２を超える波長により離間されている。多くの場合、アンテナの間隔は、１搬送波波長を超えて離れている。ある送信アンテナから別の送信アンテナへ符号化ブロックの長さにわたって切り換えることにより、送信機から受信機への効果的なチャネル応答が｛Ｈｋ｝の間で変化し、従って、送信ダイバーシティを実現する。本発明の別の一般化として、送信機は、１ドウェルごとに一度、または、数個のドウェルごとに一度アンテナを切り換えることができる。
【０１４５】
上記の説明では、送信機の切り換えブロックは各送信アンテナをほぼ等しく選択する。しかし、アンテナを等しく使用しないことも可能である。いくつかの実施形態では、基地局は、使用されている異なるアンテナに対応するアップリンクチャネルの品質を表すチャネルフィードバック情報をモバイルへ供給する。モバイルは、良好な（複数の）チャネルに対応する１つまたは複数のアンテナを、劣った品質のチャネルに対応するアンテナよりも多く使用させるように切り換えモジュールを制御するのに使用される情報に応答する。基地局の受信機はチャネル品質のいくつかの指示を送信機へフィードバックすると仮定する。送信機は、良好なチャネル品質を生じさせる送信アンテナを見つけ出し、このアンテナを時間のかなりの部分に用いるかを選択することができる。基地局の受信機がチャネル状態の変化を監視できるため、送信機は、少なくとも一部の期間、あまり望ましくないと分かっているアンテナを通常使用し続ける。更には、基地局は、時間的に変化するチャネル状態に従ってアンテナを切り換えるよう移動送信機に命令することができる。フィードバック及びアンテナチャネル選択技術は、チャネル状態がゆっくり変化する、例えば、複数のドウェルにわたって一定であり続ける場合に特に有益である。例えば、無線端末が、ある期間、例えば、通信セッションの継続期間中、人が同じ場所で働いている間、静止し続ける場合、このような状態に遭遇する。
【０１４６】
送信ダイバーシティを移動送信機で実現する本発明の形態を、受信ダイバーシティを基地局の受信機で実現する従来の形態とも組み合わせて、更なるダイバーシティ利得を生じさせることができる。
【０１４７】
本発明のこの実施形態が送信機で必要とするのは単一のＲＦチェーンなので、本発明のこの実施形態はセルラーアップリンクとの関連において特に有益である。本発明は、移動装置において送信ダイバーシティ利得を実現するための費用及び複雑性をかなり減少させる。
【０１４８】
トーン分割を用いるアップリンク送信ダイバーシティのさまざまな態様を更に説明する。提案する本発明のさまざまな実施形態は、例示的なＯＦＤＭ多重アクセスシステムの関連でアップリンク送信ダイバーシティを実現するため、別の技術にも組み入れる。本発明のこの実施形態は、２つ以上の送信アンテナを用いて情報を同時に送信する移動送信機を必要とする。
【０１４９】
説明目的のため、２つの送信アンテナを有する移動送信機を検討する。図９に示すように、各ＯＦＤＭシンボルのトーンの１サブセットは第１アンテナにより送信され、トーンの残りのセットは第２アンテナにより送信される。例示的なＯＦＤＭシステムでは、論理的なトーンを物理的なトーンにマッピングするアップリンクホッピングシーケンスはドウェル境界上で変更される。従って、各アンテナにより送信されるトーンのサブセットはドウェル全体にわたって一定に保たれ、このようにしてチャネルの一貫性を受信機で保持する。この場合も、基地局の受信機は、送信機の異なるアンテナの間でトーンが分割されていることをはっきりと知る必要がない。
【０１５０】
このように符号語がいくつかのドウェル期間にわたって送信されている時、ダイバーシティ利得は受信機で実現される。その理由は、符号語の異なる部分が、複数の送信アンテナからの応答に対応して異なるチャネルにわたって受信されるためである。
【０１５１】
トーン分割を決定するのにいくつかの異なる動機付けがある。特定のアップリンクチャネルに対してダイバーシティ利得を最大限にするようにトーンを分割することができる。別の動機付けは、各アンテナを駆動する電力増幅器のいずれかに対してピーク値対平均値の比を最小限にするためのものである。
【０１５２】
トーンを分割する利点の実際的な利点は、費用を過度に増大することなしに、高い電力を送信する能力である。２つの送信アンテナを用いる本発明の実施形態では、アンテナを駆動する電力増幅器を各々１Ｗ（ワット）に定め、結果として、２Ｗ（ワット）の総電力を導くことができる。典型的に、このことは、２Ｗ（ワット）に定められた単一の電力増幅器と比較した場合、費用を非常に低く抑える。
【０１５３】
この技術を複数のアンテナについて容易に一般化することができる。物理的な送信アンテナの各々は、図２７に示すようなＲＦチェーンに結合されている。図２７は、本発明のトーン分割実施形態に用いることができる例示的な送信機構造を示す図面２７００である。図２７の例示的な送信機は、単一のベースバンドユニット２７０６及び単一の周波数送信分割制御モジュール２７０４を含む。ベースバンドユニット２７０６は送信のための情報２７０２例えば、符号化されたユーザデータを受信し、周波数送信分割制御モジュール２７０４からの信号を制御する。情報２７０２は、送信に用いられる一連のトーンにマッピングされる。異なるトーンサブセットはこの一連のトーンから形成され、異なるトーンサブセットは少なくとも１トーンだけ互いに異なる。いくつかの実施形態では、異なるトーンサブセットは互いに排他的である。いくつかの実施形態では、トーンサブセットは重複することができる。いくつかの実施形態では、各サブセットのトーンの数は同一である。いくつかの実施形態では、１トーンサブセットのトーンの数は、別のトーンサブセットのトーンの数と異なるように制御されている。いくつかの実施形態では、トーンサブセットのいくつかはヌルセットである。周波数送信分割制御モジュール２７０４からの制御信号は、トーンサブセットの特性、例えば、所定トーンサブセットのトーンの数及び選択部分を決定し、特定の期間で特定の送信チェーン／送信アンテナを用いる各トーンサブセットを識別する。ベースバンドモジュール２７０６は信号を複数の送信チェーン（送信チェーン１ ２７０７，送信チェーンＮ ２７０７’）へ出力する。ベースバンドユニット２７０６へ入力された情報２７０２は、周波数送信分割制御モジュール２７０４からの制御信号に応じて送信チェーン２７０７，２７０７’の１つ以上に送信される。所定のＯＦＤＭシンボル送信期間の間、ベースバンドユニット２７０６は、送信される情報ビットを、送信に用いられる一連のトーンにマッピングし、次に、関連の送信機チェーン／送信機アンテナ対（２７０７／２１１４，２７０７’／２７１４’）を用いるトーンサブセットを識別する。この情報は、デジタル形式でデジタル信号処理モジュール（２７０８，２７０８’）へ伝達される。各送信チェーン（２７０７，２７０７’）はそれぞれデジタル信号処理ブロック（２７０８，２７０８’）、デジタルアナログ変換ブロック（２７１０，２７１０’）及びアナログ信号処理ブロック（２７１２，２７１２’）を含む。デジタル信号処理ブロック（２７０８，２７０８’）は、受信した情報を、伝達のためにデジタル信号へ変換する。デジタルアナログ変換モジュール（２７１０，２７１０’）はデジタル信号をアナログ信号例えば、選択したトーンまたは、選択した搬送周波数を用いる副搬送周波数のアナログ変調シンボルへ変換し、アナログ信号処理チェーン（２７１２，２７１２’）は追加のアナログ信号処理例えば、送信される信号の増幅及びフィルタリングを実行する。各アナログ信号処理ブロック（２７１２，２７１２’）はそれぞれ送信アンテナ（送信アンテナ１ ２７１４，送信アンテナＮ ２７１４’）に結合されている。異なるアナログ信号は複数��アンテナ（送信アンテナ１ ２７１４，送信アンテナＮ ２７１４’）を介して同時に送信される。合成のアナログ信号は、情報２７０２に含まれた一連の元の符号化情報ビットを含む。
【０１５４】
図２８は、本発明のトーン分割実施形態に用いることができるもう１つの例示的な送信機構造を示す図面２８００である。図２８のさまざまな素子（２８０２，２８０４，２８０６，２８１０，２８１２，２８１４，２８１０’，２８１２’，２８１４’）はそれぞれ、上述した図２７の素子（２７０２，２７０４，２７０６，２７１０，２７１２，２７１４，２７１０’，２７１２’，２７１４’）に類似または同一である。図２８の送信機チェーン１ ２８０７及び送信機チェーンＮ ２８０７’は図２７のチェーン（２７０７，２７０７’）に類似する。しかし、チェーン２８０７，２８０７’は共通のデジタル信号処理ブロック２８０８を共有する。共通のデジタル信号処理ブロック２８０８は、デジタル信号処理ブロック２７０８，２７０８’の双方の機能を、例えば時分割方式で実行して、ハードウェアコスト、減少した重み、減少したサイズ、及び／または、低下した電力消費量の観点から効果を生じさせる。
【０１５５】
図２９は、本発明のトーン分割実施形態に用いることができる別の例示的な送信機構造を示す図面２９００である。図２９のさまざまな素子（２９０２，２９０６，２９０８，２９１０，２９１２，２８０８’，２８１０’，２８１２’）はそれぞれ、上述した図２７の素子（２７０２，２７０６，２７０８，２７１０，２７１２，２７０８’，２７１０’，２７１２’）に類似または同一である。図２７の送信機２７００はＮ個の送信機チェーンを含むが、図２９の送信機２９００は２つの送信チェーン（送信チェーン１ ２９０７，送信チェーン２ ２９０７”）を含む。送信機２７００及び送信機２９００の双方はＮ個のアンテナまたはアンテナ素子を含む。図２９の送信機２９００は、その時々でアンテナ（アンテナ１ ２９１４，アンテナ２ ２９１４”，アンテナＮ ２９１４’）の２つを送信機チェーンに結合するのに追加のアンテナ切り換えモジュール２８１３を用いる。図２９に示すように、現在、送信チェーン１ ２９０７が送信アンテナ２ ２９１４”に結合されているのに対して、送信アンテナＮ ２９１４’は送信チェーン２ ２９０７”に結合されている。図２７のモジュール２９０４の機能を実行するのに加えて、周波数送信分割制御モジュール２９０４は、送信チェーンに整合するアンテナの選択及び制御を実行し、モジュール２９０４は制御信号を切り換えモジュール２９１３へ送信する。
【０１５６】
いくつかの実施形態では、本発明の方法に従ってダイバーシティを獲得するのに用いられる複数のアンテナまたはアンテナ素子を、移動通信装置から遠くに、例えば、車両上の異なる場所に装着または位置付けすることができる。
【０１５７】
本発明の方法及び装置をＯＦＤＭシステムとの関連で説明したが、多くの非ＯＦＤＭ及び／または非セルラーシステムを含む広範囲の通信システムに適用することができる。
【０１５８】
さまざまな実施形態では、本明細書に記述したノードは、本発明の１つ以上の方法に対応するステップ例えば信号処理、アンテナ切り換え、メッセージ生成及び／または送信ステップを実施する１つ以上のモジュールを用いて実施される。いくつかの実施形態では、本発明のさまざまな特徴はモジュールを用いて実施される。ソフトウェア、ハードウェア、または、ソフトウェア及びハードウェアの組み合わせを用いて、このようなモジュールを実施することができる。例えば１つ以上のノードで、上述した方法のすべてまたは一部分を実施するように機械、例えば、追加のハードウェアを持っている場合と持たない場合とがある汎用コンピュータを制御するためにメモリ装置例えばＲＡＭやフロッピー（登録商標）ディスクなどのような機械可読媒体内に含まれるソフトウェアのような機械実行可能命令を用いて、上記に説明した多くの方法または方法のステップを実施することができる。従って、特に、本発明は、上述した（複数の）方法のステップの１つ以上を機械例えばプロセッサ及び関連のハードウェアに実行させる機械実行可能命令を含む機会可読媒体に関する。
【０１５９】
上述した本発明の方法及び装置に関する多数の追加の変形形態は、本発明の上記の説明を考慮して当業者に明らかになる。このような変形形態は、本発明の範囲内にあると考えるべきである。本発明の方法及び装置をＣＤＭＡ、直交周波数分割多重化（ＯＦＤＭ）及び／または、アクセスノードと移動ノードとの間で無線通信リンクを形成するのに利用できるさまざまな他の種類の通信技術と用いることができ、さまざまな実施形態で用いられる。いくつかの実施形態では、アクセスノードは、ＯＦＤＭ及び／またはＣＤＭＡを用いて移動ノードと通信リンクを確立する基地局として実施される。さまざまな実施形態では、移動ノードは、ノート型コンピュータ、パーソナルデータアシスタント（ＰＤＡ）あるいは、本発明の方法を実施する受信機／送信機回路並びに、ロジック及び／またはルーチンを含む他の携帯装置として実施される。
【図面の簡単な説明】
【０１６０】
【図１】受信ダイバーシティを利用する複数のアンテナが設けられている従来技術の無線システム内の受信機の略図である。
【図２】送信ダイバーシティを利用する複数のアンテナが設けられている従来技術の送信機の略図である。
【図３】本発明により実施される例示的な送信チェーン及び複数の送信アンテナを示す図である。
【図４】例示的なＯＦＤＭシステムにおける例示的なダウンリンクトーンホッピングを示す図である。
【図５】例示的なＯＦＤＭシステムにおけるドウェルに基づく例示的なアップリンクトーンホッピングを示す図である。
【図６】本発明に従って、無線端末が２つの異なる送信アンテナを用いて送信ダイバーシティを実現する例示的なＯＦＤＭアップリンクシステムに対する例示的なアップリンクトーンホッピング及びアンテナ切り換えを示す図である。
【図７】本発明による、２つの送信アンテナを有する例示的なＯＦＤＭダウンリンクシステムに対する例示的なダウンリンクトーンホッピング及びアンテナ切り換えを示す図である。
【図８】本発明による例示的な受信チェーン及び複数の受信アンテナを示す図である。
【図９】本発明に従って２つの送信アンテナ間で分割され、同時に送信される複数のトーンを含む例示的なＯＦＤＭシンボルを示す図である。
【図１０】時間を伴うトーン分割の変更と、第１アンテナへのトーンの全割り当て並びに第２アンテナへのトーンのゼロ割り当てと、トーン分割の割り当ての繰り返しとを含む本発明による、図９に示したトーン分割の例示的な変形形態を示す図である。
【図１１】トーン分割がチャネル品質フィードバック情報に応じて次第に変更される本発明による、図９に示したトーン分割の例示的なもう１つの変形形態を示す図である。
【図１２】任意の所定の時間間隔で各アンテナと関連するトーンのサブセットを重複でき、各サブセットと関連するトーンの数がチャネル品質フィードバック情報に応じて変化する本発明による、図９に示したトーン分割の例示的な別のもう１つの変形形態を示す図である。
【図１３】本発明に従って実施され、本発明の方法を用いる例示的な通信システムを示す図である。
【図１４】本発明に従って実施され、ドウェル境界アンテナ切り換えを用いることができる例示的な基地局を示す図である。
【図１５】本発明に従って実施され、チャネル推定境界アンテナ切り換えを用いることができるもう１つの例示的な基地局を示す図である。
【図１６】本発明に従って実施され、同時送信のため、異なるトーンサブセットを異なる送信アンテナに割り当てるのに用いることができるもう１つ別の例示的なＯＦＤＭ基地局を示す図である。
【図１７】本発明に従って実施され、複数の送信アンテナまたはアンテナ素子間のドウェル境界切り換えを含む本発明の方法を用いる例示的な無線端末を示す図である。
【図１８】本発明に従って実施され、複数の送信アンテナまたはアンテナ素子間のチャネル推定境界切り換えを含む本発明の方法を用いるもう１つの例示的な無線端末を示す図である。
【図１９】本発明に従って実施され、異なる送信アンテナまたはアンテナ素子への異なるトーンサブセットの割り当てと、異なるアンテナまたはアンテナ素子を用いて割り当てられた異なるトーンサブセットの同時送信とを含む本発明の方法を用いるもう１つ別の例示的な無線端末を示す図である。
【図２０】本発明に従って、分離したチャネル推定値を時間間隔ごとに維持する例示的な基地局の受信機により一連の時間間隔に分割された時間を示す図である。
【図２１】本発明に従って、送信機アンテナ素子のドウェル境界切り換えを行うことを含め、基地局と通信する無線端末を動作する例示的な方法のフローチャートである。
【図２２】本発明に従って、品質指示フィードバック情報に基づき、送信機アンテナ素子のドウェル境界切り換えを行うことを含め、基地局と通信する無線端末を動作する例示的な方法のフローチャートである。
【図２３】本発明に従って、送信機アンテナ素子のチャネル推定境界切り換えを行うことを含め、基地局と通信する無線端末を動作する例示的な方法のフローチャートである。
【図２４】本発明に従って、品質指示フィードバック情報に基づき、送信機アンテナ素子のチャネル推定境界切り換えを行うことを含め、基地局と通信する無線端末を動作する例示的な方法のフローチャートである。
【図２５】本発明に従って、異なるトーンサブセットを異なるアンテナ素子に割り当て、複数のアンテナ素子にわたって同時に送信することを含め、ＯＦＤＭ通信装置を動作する例示的な方法のフローチャートである。
【図２６】本発明に従って、チャネル品質指示情報を受信及び処理し、異なるトーンサブセットを異なるアンテナ素子に割り当て、複数のアンテナ素子にわたって同時に送信することを含め、ＯＦＤＭ通信装置を動作する例示的な方法のフローチャートである。
【図２７】本発明のトーン分割実施形態に用いることができる例示的な送信機構造を示す図である。
【図２８】本発明に従ってデジタル部分に共通性を含む図２７の送信機構造の例示的な変形形態を示す図である。
【図２９】本発明に従って２つだけの送信チェーン、アンテナ切り換えモジュール及び３つ以上の送信機アンテナを含む図２７の送信機構造のもう１つの変形形態を示す図である。
【符号の説明】
【０１６１】
１０  通信システム、１４，１４’，１６，１６’  移動ノード、１００  受信機、２００  送信機、３０２  送信チェーン、８０２  受信チェーン
【図１】
2011101389.tif 000008
【図２】
2011101389.tif 000009
【図３】
2011101389.tif 000010
【図４】
2011101389.tif 000011
【図５】
2011101389.tif 000012
【図６】
2011101389.tif 000013
【図７】
2011101389.tif 000014
【図８】
2011101389.tif 000015
【図９】
2011101389.tif 000016
【図１０】
2011101389.tif 000017
【図１１】
2011101389.tif 000018
【図１２】
2011101389.tif 000019
【図１３】
2011101389.tif 000020
【図１４】
2011101389.tif 000021
【図１５】
2011101389.tif 000022
【図１６】
2011101389.tif 000023
【図１７】
2011101389.tif 000024
【図１８】
2011101389.tif 000025
【図１９】
2011101389.tif 000026
【図２０】
2011101389.tif 000027
【図２１】
2011101389.tif 000028
【図２２】
2011101389.tif 000029
【図２３】
2011101389.tif 000030
【図２４】
2011101389.tif 000031
【図２５】
2011101389.tif 000032
【図２６】
2011101389.tif 000033
【図２７】
2011101389.tif 000034
【図２８】
2011101389.tif 000035
【図２９】
2011101389.tif 000036
【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
基地局と通信するために無線端末を動作する方法であって、前記無線端末が、単一の送信機処理チェーンを複数のアンテナ素子につなげるチャネル推定境界切り換えモジュールを含む前記送信機処理チェーンを含み、前記チャネル推定境界切り換えモジュールが、信号境界間ではなく、基地局チャネル推定信号境界に対応する信号境界上で切り換え、基地局チャネル推定切り換え境界は、前記基地局がチャネル推定間隔の間で移行する信号点であり、あるチャネル推定間隔内で基地局により実行されるチャネル推定が、直前のチャネル推定間隔内で実行されたチャネル推定から独立し、前記複数のアンテナ素子が少なくとも第１アンテナ素子及び第２アンテナ素子を含み、これらの各々を独立して用いることができ、前記方法が、
第１期間中に生じる少なくともいくつかのチャネル推定境界で前記第１及び第２アンテナ素子間を切り換えるため、前記第１期間中、前記チャネル推定境界切り換えモジュールを動作し、これにより、前記単一の送信機信号処理チェーンから信号を送信するのに用いられているアンテナ素子を変更するステップを有する方法。
【請求項２】
前記チャネル推定境界切り換えモジュールが、所定の切り換えシーケンスに従って前記第１及び第２アンテナ素子間を切り換える、請求項１に記載の方法。
【請求項３】
前記切り換えシーケンスが周期的である、請求項２に記載の方法。
【請求項４】
前記周期的切り換えシーケンスがアンテナ素子間を一定の間隔で切り換え、これにより、アンテナ素子の一様な使用を生じさせる、請求項３に記載の方法。
【請求項５】
前記チャネル推定境界切り換えモジュールが、チャネル品質を表す前記基地局からの信号に応じて前記第１及び第２アンテナ素子間を切り換える、請求項１に記載の方法。
【請求項６】
チャネル品質を表す前記信号が送信電力制御信号である、請求項５に記載の方法。
【請求項７】
チャネル品質を表す前記信号が、送信信号を受信する際に成功または失敗を知らせる送信確認応答信号である、請求項５に記載の方法。
【請求項８】
前記基地局から受信された複数の信号に応じて前記切り換えを実行し、前記方法が、
異なるアンテナ素子を用いて前記無線端末から送信された信号に対応して前記基地局から受信された信号の異なる切り換え制御情報セットを維持するステップを有する、請求項５に記載の方法。
【請求項９】
各チャネル推定信号間隔が複数のＯＦＤＭシンボル送信期間を含み、各ドウェル中、前記無線端末により用いられるトーンをトーンホッピングシーケンスに従って決定する、請求項８に記載の方法。
【請求項１０】
前記複数のアンテナ素子の各々が異なる方向に定められている、請求項１に記載の方法。
【請求項１１】
異なる通信経路が前記第１及び第２アンテナ素子と前記基地局との間に存在するように前記複数のアンテナ素子の各々が離間されている、請求項１に記載の方法。
【請求項１２】
アンテナ素子間の間隔が、前記アンテナ素子から送信される最も低い周波数トーンの波長の少なくとも１／４である、請求項１１に記載の方法。
【請求項１３】
前記送信機送信信号がＣＤＭＡ信号である、請求項５に記載の方法。
【請求項１４】
基地局を含む通信システムで用いる無線端末であって、前記無線端末が、
単一の送信機処理チェーンを複数のアンテナ素子につなげるチャネル推定境界切り換えモジュールを含む前記送信機処理チェーンであって、前記チャネル推定境界切り換えモジュールが、信号境界間ではなく、基地局チャネル推定信号境界に対応する信号境界上で切り換え、基地局チャネル推定切り換え境界は、前記基地局がチャネル推定間隔の間で移行する信号点であり、あるチャネル推定間隔内で基地局により実行されるチャネル推定が、直前のチャネル推定間隔内で実行されたチャネル推定から独立し、前記複数のアンテナ素子が少なくとも第１アンテナ素子及び第２アンテナ素子を含み、これらの各々を独立して用いることができる単一の送信機処理チェーンと、
第１期間中に生じる少なくともいくつかのチャネル推定境界で前記第１及び第２アンテナ素子間を切り換えるため、前記第１期間中、前記チャネル推定境界切り換えモジュールを制御し、これにより、前記単一送信機信号処理チェーンから信号を送信するのに用いられているアンテナ素子を変更する手段とを有する無線端末。
【請求項１５】
前記チャネル推定境界切り換えモジュールが、所定の切り換えシーケンスに従って前記第１及び第２アンテナ素子間を切り換える、請求項１４に記載の無線端末。
【請求項１６】
ＯＦＤＭ通信装置を動作する方法であって、
ｉ）少なくとも第１及び第２トーンサブセットを含む複数の異なるトーンサブセットに第１トーンセットのトーンを割り当て、前記異なるトーンサブセットの各々が少なくとも１トーンだけ互いに異なるステップと、
ｉｉ）前記異なるトーンサブセットの各々を、同一の時間間隔中に、異なるアンテナ素子を用いて同時に送信するステップと
ｉｉｉ）ステップｉ）及びｉｉ）を繰り返すステップと
を有する方法。
【請求項１７】
前記第１及び第２トーンサブセットに割り当てられるトーンが互いに排他的である、請求項１６に記載の方法。
【請求項１８】
ステップｉ）及びｉｉ）を繰り返す際、前記第１及び第２トーンサブセットの少なくとも１つに割り当てられているトーンの数を変更するステップを更に有する、請求項１６に記載の方法。
【請求項１９】
ステップｉ）及びｉｉ）を繰り返すステップを周期的に実行し、トーンの割り当てが周期的に変化する、請求項１８に記載の方法。
【請求項２０】
前記方法が、前記第１及び第２アンテナ素子から送信された信号を受信する装置から、チャネル品質を表す信号を受信するステップを更に有し、
トーンサブセットへの前記トーンの割り当てを、チャネル品質を表す前記信号に応じて実行する、請求項１８に記載の方法。
【請求項２１】
チャネル品質を表す前記信号が送信電力制御信号である、請求項２０に記載の方法。
【請求項２２】
チャネル品質を表す前記信号が、送信信号を受信する際に成功または失敗を知らせる送信確認応答信号である、請求項２０に記載の方法。
【請求項２３】
前記トーンの割り当てを、前記装置から受信された複数の信号に応じて実行し、前記方法が、
異なるアンテナ素子を用いて前記通信装置から送信された信号に対応して前記基地局から受信された信号の、異なるトーン割り当て制御情報セットを維持するステップを含む、請求項２０に記載の方法。
【請求項２４】
複数のトーンを前記第１トーンサブセットに割り当て、ゼロトーンを前記第２トーンサブセットに割り当てる、請求項１６に記載の方法。
【請求項２５】
少なくとも第１及び第２トーンサブセットを含む複数の異なるトーンサブセットに第１トーンセットのトーンを割り当てる手段であって、前記異なるトーンサブセットの各々が少なくとも１トーンだけ互いに異なる手段と、
前記異なるトーンサブセットの各々を、同一の時間間隔中に、異なるアンテナ素子を用いて同時に送信する手段と、
前記割り当てる手段と、前記送信する手段とを制御して、割り当て動作及び送信動作を繰り返す制御手段と
を有するＯＦＤＭ通信装置。
【請求項２６】
前記第１及び第２トーンサブセットに割り当てられるトーンが互いに排他的である、請求項２５に記載の装置。
【手続補正２】
【補正対象書類名】明細書
【補正対象項目名】０１６１
【補正方法】変更
【補正の内容】
【０１６１】
１０  通信システム、１４，１４’，１６，１６’  移動ノード、１００  受信機、２００  送信機、３０２  送信チェーン、８０２  受信チェーン
以下に本件出願当初の特許請求の範囲に記載された発明を付記する。
［Ｃ１］基地局と通信するために無線端末を動作する方法であって、前記無線端末が、ドウェル境界切り換えモジュールを含む単一送信機信号処理チェーンを含み、前記ドウェル境界切り換えモジュールが前記単一送信機チェーンを複数のアンテナ素子につなげ、前記ドウェル境界切り換えモジュールが、ドウェル境界間ではなくドウェル境界上で切り換え、前記複数のアンテナ素子が少なくとも第１アンテナ素子及び第２アンテナ素子を含み、これらの各々を独立して用いることができ、前記方法が、
第１期間中に生じる少なくともいくつかのドウェル境界で前記第１及び第２アンテナ素子間を切り換えるため、前記第１期間中、前記ドウェル境界切り換えモジュールを動作し、これにより、前記単一送信機信号処理チェーンから信号を送信するのに用いられているアンテナ素子を変更するステップを含み、１ドウェルが前記第１期間内の第２期間であり、この間、前記無線端末が単一のトーンセットを用いて信号を前記基地局へ送信し、異なるトーンセットが、前記第１期間中、直後に連続するドウェルに用いられる方法。
［Ｃ２］前記ドウェル境界切り換えモジュールが、所定の切り換えシーケンスに従って前記第１及び第２アンテナ素子間を切り換える、Ｃ１に記載の方法。
［Ｃ３］前記切り換えシーケンスが周期的である、Ｃ２に記載の方法。
［Ｃ４］前記周期的切り換えシーケンスがアンテナ素子間を一定の間隔で切り換え、これにより、アンテナ素子の一様な使用を生じさせる、Ｃ３に記載の方法。
［Ｃ５］前記ドウェル境界切り換えモジュールが、チャネル品質を表す前記基地局からの信号に応じて前記第１及び第２アンテナ素子間を切り換える、Ｃ１に記載の方法。
［Ｃ６］チャネル品質を表す前記信号が送信電力制御信号である、Ｃ５に記載の方法。
［Ｃ７］チャネル品質を表す前記信号が、送信信号を受信する際に成功または失敗を知らせる送信確認応答信号である、Ｃ５に記載の方法。
［Ｃ８］前記基地局から受信された複数の信号に応じて前記切り換えを実行し、前記方法が、
異なるアンテナ素子を用いて前記無線端末から送信された信号に対応して前記基地局から受信された信号の異なる切り換え制御情報セットを維持するステップを有する、Ｃ５に記載の方法。
［Ｃ９］各ドウェルが複数のＯＦＤＭシンボル送信期間を含み、各ドウェル中、前記無線端末により用いられるトーンをトーンホッピングシーケンスに従って決定する、Ｃ８に記載の方法。
［Ｃ１０］前記複数のアンテナ素子の各々が異なる方向に定められている、Ｃ１に記載の方法。
［Ｃ１１］異なる通信経路が前記第１及び第２アンテナ素子と前記基地局との間に存在するように前記複数のアンテナ素子の各々が離間されている、Ｃ１に記載の方法。
［Ｃ１２］アンテナ素子間の間隔が、前記アンテナ素子から送信される最も低い周波数トーンの波長の少なくとも１／４である、Ｃ１１に記載の方法。
［Ｃ１３］基地局を含む通信システムで用いる無線端末であって、前記無線端末が、
単一送信機チェーンを複数のアンテナ素子につなげるドウェル境界切り換えモジュールを含む単一送信機信号処理チェーンであって、前記ドウェル境界切り換えモジュールが、ドウェル境界間ではなくドウェル境界上で切り換え、前記複数のアンテナ素子が少なくとも第１アンテナ素子及び第２アンテナ素子を含み、これらの各々を独立して用いることができる前記単一送信機信号処理チェーンと、
第１期間中に生じる少なくともいくつかのドウェル境界で前記第１及び第２アンテナ素子間を切り換えるため、前記第１期間中、前記ドウェル境界切り換えモジュールを制御し、これにより、前記単一送信機信号処理チェーンから信号を送信するのに用いられているアンテナ素子を変更する手段であって、１ドウェルが前記第１期間内の第２期間であり、この間、前記無線端末が単一のトーンセットを用いて信号を前記基地局へ送信し、異なるトーンセットが、前記第１期間中、直後に連続するドウェルに用いられる手段とを有する無線端末。
［Ｃ１４］前記ドウェル境界切り換えモジュールが、所定の切り換えシーケンスに従って前記第１及び第２アンテナ素子間を切り換える、Ｃ１３に記載の無線端末。
［Ｃ１５］基地局と通信するために無線端末を動作する方法であって、前記無線端末が、単一の送信機処理チェーンを複数のアンテナ素子につなげるチャネル推定境界切り換えモジュールを含む前記送信機処理チェーンを含み、前記チャネル推定境界切り換えモジュールが、信号境界間ではなく、基地局チャネル推定信号境界に対応する信号境界上で切り換え、基地局チャネル推定切り換え、基地局チャネル推定切り換え境界は、前記基地局がチャネル推定間隔の間で移行する信号点であり、あるチャネル推定間隔内で基地局により実行されるチャネル推定が、直前のチャネル推定間隔内で実行されたチャネル推定から独立し、前記複数のアンテナ素子が少なくとも第１アンテナ素子及び第２アンテナ素子を含み、これらの各々を独立して用いることができ、前記方法が、
第１期間中に生じる少なくともいくつかのチャネル推定境界で前記第１及び第２アンテナ素子間を切り換えるため、前記第１期間中、前記チャネル推定境界切り換えモジュールを動作し、これにより、前記単一の送信機信号処理チェーンから信号を送信するのに用いられているアンテナ素子を変更するステップを有する方法。
［Ｃ１６］前記チャネル推定境界切り換えモジュールが、所定の切り換えシーケンスに従って前記第１及び第２アンテナ素子間を切り換える、Ｃ１５に記載の方法。
［Ｃ１７］前記切り換えシーケンスが周期的である、Ｃ１６に記載の方法。
［Ｃ１８］前記周期的切り換えシーケンスがアンテナ素子間を一定の間隔で切り換え、これにより、アンテナ素子の一様な使用を生じさせる、Ｃ１７に記載の方法。
［Ｃ１９］前記チャネル推定境界切り換えモジュールが、チャネル品質を表す前記基地局からの信号に応じて前記第１及び第２アンテナ素子間を切り換える、Ｃ１５に記載の方法。
［Ｃ２０］チャネル品質を表す前記信号が送信電力制御信号である、Ｃ１９に記載の方法。
［Ｃ２１］チャネル品質を表す前記信号が、送信信号を受信する際に成功または失敗を知らせる送信確認応答信号である、Ｃ１９に記載の方法。
［Ｃ２２］前記基地局から受信された複数の信号に応じて前記切り換えを実行し、前記方法が、
異なるアンテナ素子を用いて前記無線端末から送信された信号に対応して前記基地局から受信された信号の異なる切り換え制御情報セットを維持するステップを有する、Ｃ１９に記載の方法。
［Ｃ２３］各チャネル推定信号間隔が複数のＯＦＤＭシンボル送信期間を含み、各ドウェル中、前記無線端末により用いられるトーンをトーンホッピングシーケンスに従って決定する、Ｃ２２に記載の方法。
［Ｃ２４］前記複数のアンテナ素子の各々が異なる方向に定められている、Ｃ１５に記載の方法。
［Ｃ２５］異なる通信経路が前記第１及び第２アンテナ素子と前記基地局との間に存在するように前記複数のアンテナ素子の各々が離間されている、Ｃ１５に記載の方法。
［Ｃ２６］アンテナ素子間の間隔が、前記アンテナ素子から送信される最も低い周波数トーンの波長の少なくとも１／４である、Ｃ２５に記載の方法。
［Ｃ２７］前記送信機送信信号がＣＤＭＡ信号である、Ｃ１９に記載の方法。
［Ｃ２８］基地局を含む通信システムで用いる無線端末であって、前記無線端末が、
単一の送信機処理チェーンを複数のアンテナ素子につなげるチャネル推定境界切り換えモジュールを含む前記送信機処理チェーンであって、前記チャネル推定境界切り換えモジュールが、信号境界間ではなく、基地局チャネル推定信号境界に対応する信号境界上で切り換え、基地局チャネル推定切り換え境界は、前記基地局がチャネル推定間隔の間で移行する信号点であり、あるチャネル推定間隔内で基地局により実行されるチャネル推定が、直前のチャネル推定間隔内で実行されたチャネル推定から独立し、前記複数のアンテナ素子が少なくとも第１アンテナ素子及び第２アンテナ素子を含み、これらの各々を独立して用いることができる単一の送信機処理チェーンと、
第１期間中に生じる少なくともいくつかのチャネル推定境界で前記第１及び第２アンテナ素子間を切り換えるため、前記第１期間中、前記チャネル推定境界切り換えモジュールを制御し、これにより、前記単一送信機信号処理チェーンから信号を送信するのに用いられているアンテナ素子を変更する手段とを有する無線端末。
［Ｃ２９］前記チャネル推定境界切り換えモジュールが、所定の切り換えシーケンスに従って前記第１及び第２アンテナ素子間を切り換える、Ｃ２８に記載の無線端末。
［Ｃ３０］ＯＦＤＭ通信装置を動作する方法であって、
ｉ）少なくとも第１及び第２トーンサブセットを含む複数の異なるトーンサブセットに第１トーンセットのトーンを割り当て、前記異なるトーンサブセットの各々が少なくとも１トーンだけ互いに異なるステップと、
ｉｉ）前記異なるトーンサブセットの各々を、同一の時間間隔中に、異なるアンテナ素子を用いて同時に送信するステップと
ｉｉｉ）ステップｉ）及びｉｉ）を繰り返すステップと
を有する方法。
［Ｃ３１］前記第１及び第２トーンサブセットに割り当てられるトーンが互いに排他的である、Ｃ３０に記載の方法。
［Ｃ３２］ステップｉ）及びｉｉ）を繰り返す際、前記第１及び第２トーンサブセットの少なくとも１つに割り当てられているトーンの数を変更するステップを更に有する、Ｃ３０に記載の方法。
［Ｃ３３］ステップｉ）及びｉｉ）を繰り返すステップを周期的に実行し、トーンの割り当てが周期的に変化する、Ｃ３２に記載の方法。
［Ｃ３４］前記方法が、前記第１及び第２アンテナ素子から送信された信号を受信する装置から、チャネル品質を表す信号を受信するステップを更に有し、
トーンサブセットへの前記トーンの割り当てを、チャネル品質を表す前記信号に応じて実行する、Ｃ３２に記載の方法。
［Ｃ３５］チャネル品質を表す前記信号が送信電力制御信号である、Ｃ３４に記載の方法。
［Ｃ３６］チャネル品質を表す前記信号が、送信信号を受信する際に成功または失敗を知らせる送信確認応答信号である、Ｃ３４に記載の方法。
［Ｃ３７］前記トーンの割り当てを、前記装置から受信された複数の信号に応じて実行し、前記方法が、
異なるアンテナ素子を用いて前記通信装置から送信された信号に対応して前記基地局から受信された信号の、異なるトーン割り当て制御情報セットを維持するステップを含む、Ｃ３４に記載の方法。
［Ｃ３８］複数のトーンを前記第１トーンサブセットに割り当て、ゼロトーンを前記第２トーンサブセットに割り当てる、Ｃ３０に記載の方法。
［Ｃ３９］少なくとも第１及び第２トーンサブセットを含む複数の異なるトーンサブセットに第１トーンセットのトーンを割り当てる手段であって、前記異なるトーンサブセットの各々が少なくとも１トーンだけ互いに異なる手段と、
前記異なるトーンサブセットの各々を、同一の時間間隔中に、異なるアンテナ素子を用いて同時に送信する手段と、
前記割り当てる手段と、前記送信する手段とを制御して、割り当て動作及び送信動作を繰り返す制御手段と
を有するＯＦＤＭ通信装置。
［Ｃ４０］前記第１及び第２トーンサブセットに割り当てられるトーンが互いに排他的である、Ｃ３９に記載の装置。
【外国語明細書】
2011101389000001.pdf